(57)【要約】本発明は、プローブ分子と標的分子との相互作用を検出するための方法であって、標的分子を標識する必要のない方法に関する。本発明はさらに、そのような方法に適したプローブ・アレイおよびキット、ならびにプローブ・アレイを製造し、品質管理を行い、標準化する方法にも関する。
2005500855.tif 000002
【特許請求の範囲】
【請求項１】
プローブ・アレイであって、該プローブ・アレイ上でのプローブ分子と標的分子との分子相互作用によりサンプル中の標的分子を定性的かつ／または定量的に検出するためのプローブ・アレイであり、アレイ表面と、該アレイ表面の定められた部位に固定されたプローブ分子とからなり、
該プローブ分子が少なくとも１つの標識を有し、さらに同プローブ分子内に、該アレイ表面へのプローブ分子固定化部位と該標識との間に少なくとも１つの選択的に切断可能な結合も有することを特徴とするプローブ・アレイ。
【請求項２】
前記プローブ分子が、オリゴヌクレオチド、ペプチド、タンパク質、およびこれらの類似体からなる群から選択されることを特徴とする、請求項１に記載のプローブ・アレイ。
【請求項３】
前記プローブ分子がオリゴヌクレオチドであることを特徴とする請求項１または２に記載のプローブ・アレイ。
【請求項４】
前記プローブ分子が、１０〜１００塩基長、好ましくは１５〜５０塩基長、特に好ましくは２０〜３０塩基長のオリゴヌクレオチドであることを特徴とする、請求項３に記載のプローブ・アレイ。
【請求項５】
前記選択的に切断可能な結合が、前記アレイ表面へのプローブ分子固定化部位と前記プローブ分子の標識との間のほぼ中央に位置していることを特徴とする、請求項１〜４のいずれか一項に記載のプローブ・アレイ。
【請求項６】
前記選択的に切断可能な結合が、酵素的方法によって選択的に切断することができないことを特徴とする、請求項１〜５のいずれか一項に記載のプローブ・アレイ。
【請求項７】
前記選択的に切断可能な結合が、化学的方法および物理的方法のうち少なくともいずれかによって選択的に切断可能であることを特徴とする、請求項１〜６のいずれか一項に記載のプローブ・アレイ。
【請求項８】
前記選択的に切断可能な結合が、酸の陰イオン、塩基の陽イオン、フッ化物イオン、ならびに水銀イオンおよび／または銀イオンなどの重金属イオンのうち少なくともいずれかによって選択的に切断可能であることを特徴とする、請求項１〜７のいずれか一項に記載のプローブ・アレイ。
【請求項９】
前記選択的に切断可能な結合が、光分解によって選択的に切断可能であることを特徴とする、請求項１〜８のいずれか一項に記載のプローブ・アレイ。
【請求項１０】
前記プローブ分子が式Ａ１−Ｓ−Ａ２の核酸からなり、式中、Ｓは少なくとも１つの選択的に切断可能な結合を含む核酸であり、Ａ１およびＡ２は任意の核酸または核酸類似体であることを特徴とする、請求項１〜９のいずれか一項に記載のプローブ・アレイ。
【請求項１１】
Ｓが、選択的に切断可能な結合によって架橋されたヌクレオチドダイマーであることを特徴とする、請求項１０に記載のプローブ・アレイ。
【請求項１２】
Ｓが、下記の式ＩおよびＩＩを有するダイマーからなる群から選択されることを特徴とする、請求項１０または１１に記載のプローブ・アレイ。
【化１】
2005500855.tif 000026
（式中、ＸおよびＹは独立に、Ｏ、ＮＨ、およびＳからなる群から選択され、ただしＸおよびＹが同時にＯではないことを条件とし、Ｂは、プリン誘導体であるアデニンおよびグアニンならびにピリミジン類であるシトシンおよびチミンなどの核酸塩基を表す。）
【化２】
2005500855.tif 000027
（式中、ＸおよびＹは、ＰＧが不安定な保護基ではない場合、独立にＯ、ＮＨ、およびＳからなる群から選択され、ただしＸおよびＹが同時にＯではないことを条件とし、Ｂは、プリン誘導体であるアデニンおよびグアニンならびにピリミジン類であるシトシンおよびウラシルなどの核酸塩基を表し、ＰＧは、Ｈ、および下式
【化３】
2005500855.tif 000028
などの不安定な保護基からなる群から選択される。）
【請求項１３】
前記選択的に切断可能な結合がホスホチオエート結合であることを特徴とする請求項１〜１２のいずれか一項に記載のプローブ・アレイ。
【請求項１４】
前記標識が、標識済みのレポーター・プローブとのハイブリダイゼーションによって検出可能な、蛍光標識、発光標識、金属標識、酵素標識、放射性標識、ポリマー標識、および核酸からなる群から選択される検出可能なユニットであることを特徴とする、請求項１〜１３のいずれか一項に記載のプローブ・アレイ。
【請求項１５】
前記検出可能なユニットがアンカー基を介して前記プローブ分子に結合し、該アンカー基が好ましくはジゴキシゲニンおよびビオチンからなる群から選択されることを特徴とする、請求項１４に記載のプローブ・アレイ。
【請求項１６】
少なくとも１つの標識を有し選択的に切断可能な結合を持たないプローブ分子が、前記プローブ・アレイの少なくとも１つのアレイ要素上に配置されることを特徴とする、請求項１〜１５のいずれか一項に記載のプローブ・アレイ。
【請求項１７】
選択的に切断可能な結合を備えていない前記プローブ分子が、その化学的性質により選択的に切断可能な結合を備えたプローブ分子に相当する分子から選択されることを特徴とする、請求項１６に記載のプローブ・アレイ。
【請求項１８】
選択的に切断可能な結合を備えていない前記プローブ分子が、定められた配列またはランダムな配列を有するオリゴヌクレオチドであることを特徴とする、請求項１６または１７に記載のプローブ・アレイ。
【請求項１９】
プローブ分子と結合していない検出可能なユニットが、少なくとも１つのアレイ要素上に配置されることを特徴とする、請求項１〜１８のいずれか一項に記載のプローブ・アレイ。
【請求項２０】
選択的に切断可能な結合を備えていないプローブ分子またはプローブ分子と結合していない検出可能なユニットが、標識度が異なる状態で種々のアレイ要素上に配置されることを特徴とする、請求項１６〜１９のいずれか一項に記載のプローブ・アレイ。
【請求項２１】
標的分子に対して親和性がないかまたは少なくとも特異的な親和性を持たないプローブ分子が、少なくとも１つのアレイ要素上に配置されることを特徴とする、請求項１〜２０のいずれか一項に記載のプローブ・アレイ。
【請求項２２】
標的分子に対して親和性がないかまたは少なくとも特異的な親和性を持たないプローブ分子が、定められた配列またはランダムな配列を有するオリゴヌクレオチドであることを特徴とする、請求項２１に記載のプローブ・アレイ。
【請求項２３】
好ましくは既知濃度でサンプルに外部から加えられる標的分子に対し特異的な親和性を有するプローブ分子が、少なくとも１つのアレイ要素上に配置されることを特徴とする、請求項１〜２２のいずれか一項に記載のプローブ・アレイ。
【請求項２４】
標識および該標識とアレイ表面へのプローブ固定化部位との間に位置する選択的に切断可能な結合を有し、かつ外部から加えられた標的分子または十分な濃度でサンプル中に存在する標的分子に対して特異的な親和性を有するプローブ分子が配置されたアレイ要素が、アレイの表面全体に分布していることを特徴とする、請求項１〜２３のいずれか一項に記載のプローブ・アレイ。
【請求項２５】
請求項１〜２４のいずれか一項に記載のプローブ・アレイを製造する方法であって、
ａ）標識され、かつアレイ表面へのプローブ分子固定化部位と該標識との間に切断可能な結合を有するプローブ分子を合成する工程と、
ｂ）プローブ分子内に定められた位置を介して該プローブ分子をアレイ表面へ部位特異的に固定化する工程と
からなる方法。
【請求項２６】
アレイ表面の所定位置にプローブ分子をｉｎ  ｓｉｔｕ合成することにより、請求項１〜２４のいずれか一項に記載のプローブ・アレイを製造する方法であって、
ａ）適切な試薬で活性化することが可能であるか、または保護基を備えたアレイ表面を準備する工程と、
ｂ）合成しようとするプローブ分子のサブユニットを、好ましくは該サブユニットを沈着させることによって該アレイ表面の所定部位に結合または固定化する工程であって、所定部位への結合が、好ましくは該アレイ表面の活性化または脱保護を行った後に該サブユニットを結合することによって行われる工程と、
ｃ）標識と、該アレイ表面のプローブ分子固定化部位と標識との間の選択的に切断可能な結合とを組み込むことによって、工程ｂ）で固定化または結合したサブユニットの後にプローブ分子をｉｎ  ｓｉｔｕ合成する工程と
からなる方法。
【請求項２７】
前記アレイ表面へのプローブの固定化が共有結合であることを特徴とする、請求項２５または２６に記載の方法。
【請求項２８】
オリゴヌクレオチド・プローブの合成が、ホスホロアミダイト法によって実施されることを特徴とする、請求項２５〜２７のいずれか一項に記載の方法。
【請求項２９】
前記選択的に切断可能な結合が、ホスホチオエート基で２つのヌクレオシドを架橋することによって生成されることを特徴とする、請求項２５〜２８のいずれか一項に記載の方法。
【請求項３０】
同じ反応性を有する標識済みモノマーと非標識モノマーの、好ましくは定められた比率での混合物を、合成の過程で添加することによって、アレイ要素上に段階的に異なる標識度が実現されることを特徴とする、請求項２５〜２９のいずれか一項に記載の方法。
【請求項３１】
請求項１〜２４のいずれか一項に記載のプローブ・アレイまたは請求項２５〜３０のいずれか一項に従って製造されたプローブ・アレイの品質を管理する方法であって、
ａ）請求項１〜２４のいずれか一項に記載のプローブ・アレイを準備する工程と、
ｂ）アレイ表面に合成され固定化されたプローブ分子をシグナル強度の形式で検出する工程と
からなる方法。
【請求項３２】
前記検出が、直接検出される標識、特に蛍光標識および放射性標識のうち少なくともいずれかを介して実施されることを特徴とする、請求項３１に記載の方法。
【請求項３３】
プローブ分子を有するアレイ要素の占有密度が、前記標識によって生成されたシグナルの強度を用いて検出することにより決定されることを特徴とする、請求項３１または３２に記載の方法。
【請求項３４】
前記検出が、グレイスケールの形式でシグナル強度を映像化する撮像法を用いて行われることを特徴とする、請求項３１〜３３のいずれか一項に記載の方法。
【請求項３５】
前記品質管理の結果をデータベースに保存することを特徴とする、請求項３１〜３４のいずれか一項に記載の方法。
【請求項３６】
プローブ・アレイ上でのプローブ分子と標的分子との分子相互作用によって、分析サンプルから標的分子を定性的かつ／または定量的に検出する方法であって、
ａ）請求項１〜２４のいずれか一項に記載のプローブ・アレイを準備する工程と、
ｂ）任意選択で、アレイ表面に合成または固定化したプローブ分子をシグナル強度の形式で検出する工程と、
ｃ）分析サンプルと共にプローブ・アレイをインキュベートする工程と、
ｄ）任意選択で、標的分子とプローブ分子との特異的な相互作用が非常に安定したままの状態にあり、かつ非特異的に結合している標的が除去される条件下で洗浄する工程と、
ｅ）任意選択で、再びシグナル強度の形式で検出する工程と、
ｆ）該プローブ分子内の選択的に切断可能な結合を選択的に切断する工程と、
ｇ）任意選択で、標的分子との相互作用によって該アレイ表面に保持されていない標識済みプローブ分子断片を除去するために、洗浄する工程と、
ｈ）標的分子との相互作用によって該アレイ表面に保持されている標識済みプローブ分子断片を、シグナル強度の形式で検出する工程と、
ｉ）任意選択で、工程ｈ）で得られたシグナル強度を標準化する工程と
からなる方法。
【請求項３７】
工程ｉ）の標準化が、
ａ）工程ｈ）で得られたシグナル強度と、請求項３６に記載の工程ｂ）または請求項３１に記載の工程ｂ）で得られたシグナル強度を用いて決定された補正係数との数学的関連付けによる標準化方法、
ｂ）工程ｈ）で得られた強度と、対照アレイ要素のシグナル強度を用いて決定された補正係数との数学的関連付けによる標準化方法であって、該対照アレイ要素はアレイの全領域に分布しており、かつ該対照アレイ要素上に、標識および該標識とアレイ表面へのプローブ固定化部位との間に位置する選択的に切断可能な結合を有し、外部から加えられた標的分子または十分な濃度でサンプル中に存在する標的分子に対して特異的な親和性を有するプローブ分子が配置されていることを特徴とする標準化方法、
ｃ）サンプルからの標的分子との相互作用または検出可能な相互作用を生じないプローブ分子が配置されているバッククラウンド・アレイ要素の検出シグナル強度を、工程ｈ）で得られたシグナル強度から減じることによる標準化方法、および
ｄ）あるアレイ要素に関して得られたシグナル強度と、標識されているが選択的に切断可能な結合を備えていないプローブ分子が配置された検出標準アレイ要素のシグナル強度とを比較することによる標準化方法であって、該検出標準アレイ要素の標識度が好ましくは特徴的に異なっている標準化方法
のうち少なくとも１つによって実施されることを特徴とする、請求項３６に記載の方法。
【請求項３８】
前記選択的に切断可能な結合が、化学的方法および物理的方法のうち少なくともいずれかによって選択的に切断されることを特徴とする、請求項３６または３７に記載の方法。
【請求項３９】
前記選択的に切断可能な結合が、酸の陰イオン、塩基の陽イオン、フッ化物イオン、ならびに水銀イオンおよび／または銀イオンなどの重金属イオンのうち少なくともいずれかを添加することによって選択的に切断されることを特徴とする、請求項３６〜３８のいずれか一項に記載の方法。
【請求項４０】
前記標的分子が、酵素的、物理的、または化学的な方法によってインキュベーション前に断片化されることを特徴とする、請求項３６〜３９のいずれか一項に記載の方法。
【請求項４１】
インキュベーションを、標識済み標的のサンプルと共に行うことを特徴とする、請求項３６〜４０のいずれか一項に記載の方法。
【請求項４２】
前記選択的に切断可能な結合の切断を、高イオン強度および低温の少なくともいずれかの条件で行うことを特徴とする、請求項３６〜４１のいずれか一項に記載の方法。
【請求項４３】
プローブ・アレイ上でのプローブ分子と標的分子との分子相互作用によってサンプルから標的分子を定性的かつ／または定量的に検出するためのキットであって、
ａ）請求項１〜２４のいずれか一項に記載のプローブ・アレイと、
ｂ）プローブ分子内の選択的に切断可能な結合を選択的に切断するための試薬と、
ｃ）ハイブリダイゼーション緩衝液と、
ｄ）任意選択で、洗浄緩衝液と
からなるキット。
【請求項４４】
前記試薬が重金属イオンおよび酵素からなる群から選択されることを特徴とする、請求項４３に記載のキット。
【請求項４５】
前記重金属イオンが水銀イオンおよび銀イオンのうち少なくともいずれかから選択されることを特徴とする、請求項４４に記載のキット。
【請求項４６】
反応チャンバからさらになることを特徴とする請求項４３〜４５のいずれか一項に記載のキット。
【請求項４７】
検出器からさらになることを特徴とする請求項４３〜４６のいずれか一項に記載のキット。
【請求項４８】
温度制御ユニットからさらになることを特徴とする請求項４３〜４７のいずれか一項に記載のキット。
【請求項４９】
前記プローブ・アレイならびに請求項４６〜４８のいずれか一項に記載の構成要素が、高度に統合された自律的ユニットの形をとることを特徴とする、請求項４３〜４８のいずれか一項に記載のキット。
【請求項５０】
プローブ・アレイ上でのプローブ分子と標的分子との分子相互作用によって、サンプルから標的分子を定性的かつ／または定量的に検出するための、請求項１〜２４のいずれか
一項に記載のプローブ・アレイまたは請求項３６〜４２のいずれか一項に記載の方法または請求項４３〜４９のいずれか一項に記載のキットの使用。
【請求項５１】
細胞の遺伝子型の状態を分析するための請求項５０に記載の使用。
【請求項５２】
細胞の生理的状態を分析するための請求項５０に記載の使用。
【請求項５３】
プローブ分子内の不安定な結合の形成に使用することが可能な、ＤＮＡ合成に適切なモノマー構成単位を製造する方法であって、
ａ）脱離基として適切な酸と共にヌクレオシドの５’−ＯＨ基をエステル化する工程と、
ｂ）該エステルとチオエステルを反応させる工程と、
ｃ）該チオエステルをけん化してチオールを形成する工程と、
ｄ）リン酸トリエステル法またはホスホロアミダイト法に適した保護基で該チオール官能基を保護する工程と、
ｅ）リン酸トリエステル法またはホスホロアミダイト法を使用して、保護されたチオールの３’位を活性化する工程と
からなる方法。
【請求項５４】
プローブ分子内の不安定な結合の形成に使用することが可能な、ＤＮＡ合成に適切なモノマー構成単位を製造する方法であって、
ａ）リン酸トリエステル法またはホスホロアミダイト法で保護基として適切な化合物を反応させて、チオールを形成する工程と、
ｂ）脱離基として適切な酸と共にヌクレオシドの５’−ＯＨ基をエステル化する工程と、
ｃ）工程ａ）からのチオールと工程ｂ）からのエステルとを反応させる工程と、
ｄ）リン酸トリエステル法またはホスホロアミダイト法を使用して、保護されたチオールの３’位を活性化する工程と
からなる方法。
【請求項５５】
５’−Ｓ−（ジメトキシトリチル）−メルカプト−５’−デオキシヌクレオシド−３’−Ｏ−（２−シアノエチル，Ｎ，Ｎ’−ジイソプロピル−ホスファイト）。
【発明の詳細な説明】
【技術分野】
【０００１】
本発明は、プローブ・アレイ上でのプローブ分子と標的分子との相互作用を検出するための方法であって、標的分子の標識を省略することが可能な方法に関する。さらに本発明は、そのような方法に適したプローブ・アレイおよびキットと、プローブ・アレイを製造しその品質をモニタする方法に関する。
【背景技術】
【０００２】
生物医学的な試験は、既知の量でかつ既知の位置に存在する分子（分子プローブ）と検出しようとする分子（分子標的）との相互作用を決定することに基づいていることが多い。最新の試験は、通常１つのサンプルに関し、いくつかのプローブ上で並行して実施される（非特許文献１参照）。この場合、通常、プローブは例えば（特許文献１）に記載されているような適切なマトリクスに所与の方法で固定化され（例えば、特許文献２および３参照）、または合成により製造される（例えば、特許文献４、５、および６参照）。
【０００３】
そのような相互作用の検出は、通常以下のように実施する。プローブをある特定のマトリクスに既知の方法で固定する。溶液中で標的をプローブに接触させ、規定の条件下でインキュベートする。このインキュベーションでは、プローブと標的との間に特異的な相互作用が生じる。このように形成された結合は、プローブが特異性を示さない分子の結合よりもかなり安定である。その後、特異的に結合していない分子が除去されるように、この系を相応の溶液で洗浄する。
【０００４】
標的とプローブとの相互作用の検出に関しては、現在、非常に数多くの方法が使用されており、そのいくつかについて以下に述べる。
標的の標識に基づく検出方法としては、特に、蛍光をベースにした方法が知られている。この目的のため、プローブとの特異的な相互作用の前、後、またはその過程で標的に蛍光標識を設ける。局所解像度が高く他の従来法に比べて労力が少ないので、高度に統合されたプローブ・アレイに基づく分析は、一般に蛍光光学法によって選択される（非特許文献２および３参照）。
【０００５】
蛍光体で標的を効果的に標識するための様々な方法が知られている。一方では、化学的経路によって標的を標識するために、蛍光体および／または蛍光分子に対するアンカー基および反応基の結合体を使用する。例えば、ロシュ・バイオケミカルズ（Ｒｏｃｈｅ  Ｂｉｏｃｈｅｍｉｃａｌｓ）［ドイツ連邦共和国マンハイム所在］製ＢｉｏｔｉｎＣｈｅｍＬｉｎｋ（商品名）や、モレキュラー・プローブス（Ｍｏｌｅｃｕｌａｒ  Ｐｒｏｂｅｓ）［米国オレゴン州ユージーン所在］製Ｕｌｙｓｓｉｓ（商品名）、アンビオン・インコーポレイテッド（Ａｍｂｉｏｎ，Ｉｎｃ．）［米国テキサス州オースチン所在］製ソラレン−ビオチン（Ｐｓｏｒａｌｅｎ−Ｂｉｏｔｉｎ）など、核酸を特異的に標識するために使用可能な種々の製品が入手可能である。標的は、その標的内部を置換基で修飾する方法の産物として形成される。後者は、標的のハイブリダイゼーション上の挙動に予測困難な影響を及ぼすので、点変位の検出に必要とされるような最適なストリンジェンシーのハイブリダイゼーション条件を規定することは、相対的に困難である。
【０００６】
さらに、標的分子を蛍光体で標識するために、酵素活性を利用する。核酸標的を、例えばポリメラーゼを用いて複製するが、この場合、蛍光モノマー、および／またはビオチンやジゴキシゲニンもしくはこれらと類似の物質などのアンカー基に結合したモノマーを複製物に組み込む。このｃＤＮＡプロトコルの別の開発では、定量アレイ実験を行うために２つの異なるサンプル、すなわち分析用サンプルと標準サンプルとを異なる色素で標識し、それらを同時にアレイとハイブリダイズさせ、分析用サンプルによって生成されたシグナルを標準サンプルのシグナルと比較し、そして各アレイ要素を内部較正にかけることが可能である。しかし、この手法では、それ自体は互いに対して標準化されていない２つの値のうち一方の標準化だけが確実になる。
【０００７】
標的を複製することに基づくすべての標識方法では、個々の標的配列が異なる効率レベルで複製されるという不利な点があり、極端な場合、例えば安定な２次構造の形成の結果、ある特定の標的に関して情報の不足が生じる可能性がある。さらにこの場合も、上述の化学的方法と同様の方法によって、上述の不利点を有する内部標識された標的複製物が形成される。
【０００８】
この問題は、検出領域の外側、例えば検出しようとする分子の末端を標識することによって回避可能である。この目的のために、ＤＮＡまたはＲＮＡの３’末端に塩基を連続的に結合する末端デオキシヌクレオチジルトランスフェラーゼやポリ（Ａ）ポリメラーゼなどの鋳型非依存性ポリメラーゼを使用する（非特許文献４、５、および６参照）。
【０００９】
蛍光体またはアンカー分子で修飾した塩基の酵素による組込みの一般的な欠点とは、概してそれらがポリメラーゼに対して不十分な基質であり、したがって組込まれる効率が低いことである。この状況は、上述の鋳型非依存性ポリメラーゼの場合に特に顕著であり、したがって所望の高度に特異的な標識は、この方法では実現することができない。いずれにせよ効率的な標識は、ポリメラーゼと標識塩基との選択された組合せでしか実現することができない。
【００１０】
検出技法からは別の制約が生じる。現在最も感度の高い蛍光リーダは、利用可能なレーザによって励起可能な色素のみを高感度検出に使用しうるように、狭いスペクトル線のレーザ源を利用して蛍光体を励起する。蛍光を用いるプローブ・アレイ検出の欠点とは、放射性標識に比べ、感度が約１００分の１であることである（非特許文献７参照）。その結果、標的の検出は、標的の増幅後および／またはシグナル増幅後にのみ可能であることが多い。（特許文献７）は、定量検出のためのＰＣＲによる増幅について開示する。プローブ・アレイにおける定量的アッセイは、線形増幅速度論を用いた方法を必要とする。そのような方法は、（非特許文献８および９）に記載されている。
【００１１】
蛍光に基づいたこれらの方法とは別に、その他の作用に基づいて標的の検出を可能にする標的標識方法が知られており、特に広範囲にわたるアレイを使用するためには、標的をしばしば放射性物質で標識する。相互作用を、Ｘ線フィルムまたは光撮像器とのインキュベーションにより検出する。さらに、標的を色素で標識してその存在を光度計で検出することが可能である。（特許文献８）には、検出球状体（Ｄｅｔｅｋｔｉｏｎｓｋｕｅｇｅｌｃｈｅｎ）で標的を標識することが記載されており、その存在を、標的とプローブとの相互作用が生じた後に光学的に検出する。
【００１２】
（特許文献９）には、プローブ・アレイ上での標的と特異的プローブとの相互作用を、不溶性の生成物を形成してこれを相互作用が生じた部位に沈着させる反応によって、視覚化する方法が開示されている。この方法は、シグナルの増幅を実現し、極めて単純な検出器構造を特徴とする。
【００１３】
（非特許文献１０）は、質量分析による標的とプローブとの複合体の検出について述べている。さらに、表面プラズモン共鳴など、質量に対して感受性のある方法が使用される（非特許文献１１参照）。（特許文献１０）は、相互作用を直接電気的に検出する方法について開示している。
【００１４】
これら標的の標識に基づく検出方法には、標準化が不可能で標識の導入が複雑であるという共通の欠点がある。
さらに、標的核酸の直接標識を省略することが可能な、分子の相互作用を検出するための方法が知られている。
【００１５】
（特許文献１１）には、線形速度論を用いて環状１本鎖鋳型の複数の複製物を生成することが可能な方法が開示されている。（特許文献１２）には、ＲＣＡ（ローリング・サークル増幅（Ｒｏｌｌｉｎｇ  Ｃｉｒｃｌｅ  Ａｍｐｌｉｆｉｃａｔｉｏｎ））と呼ばれる上記のメカニズムを、プローブ・アレイ上での分子の相互作用を検出するために使用することが記載されている。３’末端でアレイ上に固定化されたプローブと標的との特異的相互作用の後、アダプターオリゴヌクレオチドを標的とハイブリダイズさせる。これは、標的に相補的な配列と、環状１本鎖ＤＮＡ分子に対して相補性を示す配列とからなる。この２つのモジュールは、５’−５’結合を介して互いに連結されている。環状１本鎖ＤＮＡ分子、ポリメラーゼ、およびそれに対応する一部標識済みの構成単位を添加した後、相互作用が生じたプローブ上でＲＣＡメカニズムに従ったＤＮＡ合成が起こり、その過程では、複数の標識済み構成単位を組み込んだ結果として標識およびシグナル増幅が生じる。この方法は、プローブと標的との間、および標的とアダプターオリゴヌクレオチドとの間の２重の特異的ハイブリダイゼーションに起因して、感度が高く特異性が高いことを特徴とする。しかし、これは非常に複雑であり、１つのプローブ・アレイ上で複数の異なる相互作用を検出するのには適していない。
【００１６】
サンドイッチ・ハイブリダーゼーションと呼ばれる技法の場合、標的核酸の異なる非重複領域に結合する２つのプローブを使用する（特許文献１２および１３参照）。これら２つのプローブの一方はいわゆる捕捉プローブとして働き、標的核酸が表面に対して特異的に結合するのを可能にする。第２の標的特異的プローブは検出可能なユニットを有し、したがって標的核酸は、この第２のプローブとのハイブリダイゼーションを介して標識される。その結果、このようなサンドイッチ・ハイブリダイゼーションは２つの機能を果たす。すなわち２つの特異的なプローブとの２重の相互作用によって検出の特異性を増大させ、また検出プローブとハイブリダイズさせることによってハイブリダイズした標的核酸を標識する。
【００１７】
サンドイッチ・ハイブリダイゼーション法の修正例に関する調査が、（非特許文献１４）に示されている。（特許文献１３）は、微生物の核酸を検出するためのサンドイッチ・ハイブリダイゼーションの使用について述べている。（特許文献１４）は、標的核酸の固定化、ハイブリダイゼーション、および検出が１つの工程で可能になるサンドイッチ法について開示している。（特許文献１５）には、検出がジゴキシンまたはジゴキシゲニンと特異的な検出可能な抗体との相互作用に基づいた、サンドイッチ・ハイブリダイゼーション法が記載されている。（特許文献１６）には、２重特異性捕捉プローブ、すなわちその一方の特異性が標的ＤＮＡとのハイブリダイゼーションに利用され、他方の特異性が表面とのハイブリダイゼーションに利用される２重特異性捕捉プローブを使用する、サンドイッチ・ハイブリダイゼーションに基づいた方法が開示されている。（特許文献１７および１８）には、得られる複合体を固定化する前に溶液中で捕捉プローブおよび検出プローブを標的核酸とハイブリダイゼーションさせる、サンドイッチ・ハイブリダイゼーションに基づいた方法が記載されている。
【００１８】
（特許文献１９）は、最初に標的プローブと捕捉プローブとの間で複合体を形成し、その後この複合体を固定化し、次いで検出プローブとのハイブリダイゼーションによって検出する方法を開示している。（特許文献２０）は、捕捉プローブの長さが１１〜１９塩基長であり、このプローブを疎水性基材に共有結合によって固定化しない方法について述べている。（特許文献２１）からは、シグナル増幅を保証するサンドイッチ・ハイブリダイゼーションに基づいた方法がわかる。
【００１９】
サンドイッチ・ハイブリダイゼーションによって実施される上述の方法には、個々の標的それぞれを検出するために特異的捕捉プローブと特異的検出プローブの両方が必要であるという共通の欠点がある。例えばプローブ・アレイ上でいくつかの異なる標的を並行に検出するには、同様に多数の特異的検出プローブが必要であり、この場合上述の方法は、最高でも低い程度でしか並行して使用することができない。
【００２０】
この問題を解決するため、現況技術では、５’末端にアダプター配列を含有するプライマーから開始することによる標的混合物の複製によって、標的混合物のすべての標的に均一のアタプター配列を設ける方法が記述されている。しかし、アダプター・プライマーを介したアダプター配列の均質で効率的な導入は、該プライマーが結合し得る同じ配列モジュールを持たない標的の場合は不利であり、したがってこの方法は、ごく限られた範囲でしか適用できない。
【００２１】
プローブ・アレイ上での相互作用の高感度検出のため、均一なアダプター配列の導入を必要とする高感度サンドイッチ・ハイブリダイゼーションは、多重標識デンドリマーを使用することに基づいている（特許文献２２、２３、および２４参照、ジェニスフィアインコーポレイテッド社（Ｇｅｎｉｓｐｈｅｒｅ  Ｉｎｃ．）［米国ニュージャージー州モントベール所在］から市販されている）。この方法では、アダプター配列を備えた標的の複製物をプローブ・アレイと共にインキュベートし、特異的なハイブリダイゼーションを行う。特異的ハイブリダイゼーションの検出は、アダプター配列の相補体を持つ多重標識デンドリマーをハイブリダイズさせてアダプター配列に結合させることにより、第２の工程で実現される。アダプター・プライマーを介してアダプター配列を導入する際の制約があるので、ポリアデニル化真核ＲＮＡなどの均一な配列モジュールを備えた標的にこの方法を利用するのには限りがある。
【００２２】
標的の直接標識が省略される上述の検出方法には、限られた範囲内でしか並行して実施することができず、仮にできたとしても、結果としてアレイを用いる検出方法には適さないという共通の欠点がある。これらの方法の並行実施能力が保証されるものである場合、やはり標的の修飾または複製が必要であり、その結果複雑になり標準化することができない。
【００２３】
これまでのところ、プローブ・アレイ上での標的とプローブとの複数の異なる相互作用を、効率的に、すなわち特に感度および特異性が高い状態で、また均質に、すなわち異なる標的に関して同じ効率で、かつ並行して検出することが可能な方法は、知られていない。
【００２４】
その結果、現況技術の欠点を示すことのない、プローブ・アレイを用いて標的を検出するための別の方法が強く求められている。
将来有望な手法は、上述の問題に関連した標的の標識を行わないことからなる。その結果このような方法は、プローブの標識と、標的との相互作用の後にプローブを選択的に除去することに基づく。
【００２５】
（特許文献２５）には、複数の切断可能なシグナル要素を固体担体表面に固定化するプローブ・アレイが開示されている。シグナル要素は、潜在的な切断部位または破断部位、特にシロキサン基を有する化学リンカーと、固定化部位とは反対側の表面でこのリンカーに付着した標識とを含む。標的の特異性は、シロキサン切断部位の下方または上方で化学リンカーに連結される２つのオリゴヌクレオチド・プローブによって与えられる。切断可能なシグナル要素の第１および第２のオリゴヌクレオチド・プローブの両方に標的を結合させることによって、標識は、その後のシロキサン切断部位の切断にもかかわらず、基質表面に連結したままになる。
【００２６】
標本に接触させかつ切断部位を切断する物質に接触させた後のシグナルの存否は、標的の存否を示す。
しかし（特許文献２５）に記載されているシグナル要素の合成は極めて複雑であり、したがって標的との相互作用の前に、プローブ・アレイを効率的にかつ均質に標識することは保証されない。さらに（特許文献２５）に記載されている方法では、上述のように、シグナル要素の２つのプローブ配列が標的分子と一体的に相互作用せず、代わりに標的分子がそれぞれ２つのプローブのいずれかにハイブリダイズする可能性がある。後者の場合、標識は、シロキサン切断部位での切断の後に基材表面から切り離され、誤って陰性の測定結果が得られる。
【００２７】
（特許文献２６）には、標識、切断可能な結合、および固定化アンカーを有する標的検出用プローブが記載されている。そこに同様に記載されている、そのようなプローブを利用するアッセイは、固定化、ハイブリダイゼーション、切断可能な結合の酵素による切断、および表面に結合したままの標識の検出という各工程からなる。
【００２８】
（特許文献２６）は、一連のプローブ上で並行して実施可能な検出について述べていない。特にこの文献に記載されているプローブは、切断部位と表面とが空間的に近いため誤った陽性シグナルにより高いバックグラウンドが生じる原因となるので、該表面に固定化したプローブの酵素的切断が極めて非効率的となるため、アレイの処理には適していない。さらに、（特許文献２６）に記載されている表面への共有結合による固定化の方法は、この目的を意図した反応性基に特異的ではなく、固定化はプローブ内の別の基でも生じる。固定化部位が切断部位と標識との間に位置する場合、標識は、切断後であっても表面に残ったままである。その結果、標的がハイブリダイズしなかったプローブの標識を表面から定量的に除去することは不可能であり、高いバックグラウンドが生成される。（特許文献２６）に記載されている非共有結合による固定化は不安定であることもわかっており、切断なしでもプローブが溶液中に放出され、それがおそらくは誤った陰性の測定結果につながる。このように（特許文献２６）に記載されている方法は、上述の問題があるので、実用上意味がない。
【００２９】
（特許文献２７および２８）に記載されている方法は、いわゆる逆アッセイを実施することによって、上述の高いバックグラウンドの問題を回避する。この場合、固定化され標識されたプローブと標的とのハイブリダイゼーションによって、制限酵素切断部位や化学的に不安定な１本鎖領域など、表面と標識との間に不安定な結合が形成される。この不安定な結合の切断によって標識が切り離され、次いでこれを溶液中で定量する。このような手順は、表面に固定化された標識によって検出しなければ空間的解像度はもはや保証されないので、アレイを用いた方法に実用的ではない。
【００３０】
標的との相互作用の前と標識を除去した後にアレイを記録し、標的とのインキュベーションおよび不安定な結合の切断の後でシグナルが検出されないようなプローブの相互作用を決定することによって、（特許文献２７および２８）に記載されている方法をアレイの適用例に導入することも不可能であるが、その理由は、プローブの濃度が、通常は検出する標的の濃度よりも著しく高く、その結果、プローブと標的とのハイブリダイゼーションによって標識のいくつかが切断されているアレイ要素上であっても強力なシグナルが検出されるからである。特に低濃度の標的分子に対する特異的な検出は、この方法では不可能である。
【００３１】
（特許文献２９、３０、および３１）は、例えば（特許文献２７および２８）に記載されているアッセイなどのハイブリダイゼーション・アッセイに使用される、化学的または物理的に切断可能な結合を有するオリゴヌクレオチドの構造および合成について開示する。オリゴヌクレオチド・プローブの切断能力は、かさ高い側基を導入することによって一部実現されるが、しかし該側基は配列のハイブリダイゼーションの振舞いに悪影響を及ぼすものである。さらに、これらの文献に記載されているオリゴヌクレオチド構成単位の合成は複雑であり、特にオリゴヌクレオチド・プローブを合成するための標準的なＤＮＡ合成化学に直接組み込むことができない。最後に、化合物の取扱いやすさは、同化合物の光に対する一部の感受性が原因で大幅に制限される。周知のように、光化学的切断の効率は定量的なものではない。
【００３２】
現況技術で述べたアレイ実験の別の問題は、該実験によって実現される標準化の程度が満足のいかないものであることからなる。例えば、異なる実験室により実施された実験は、一般に互いに比較可能であるものではなく、結果は、それらのデータを収集して共同分析にかけることができないようなものである。異なるものであるが同じ方法で用意された同じレイアウトまたはサンプルの異なるアレイを使用して１つの実験室で実施された実験だけが、限られた範囲内で比較可能なだけである（例えば、非特許文献１５〜１９参照）。
【００３３】
現況技術のアレイに基づく検出方法を十分に標準化できない１つの理由は、製造したアレイの品質のばらつきにある。特に、実験を行う前に準備したアレイの品質を決定しかつその後の評価で考慮に入れることが、通常は不可能である。このため、かなりの誤差が必然的に生じる。
【００３４】
アレイ実験から得られた測定結果を標準化する際の誤差の第２の原因は、検出方法が標的の標識に基づく場合に生じる。使用される方法とは関係なく、標的の標識は標準化が困難な方法であり、出発材料の品質に測定不可能なばらつきがあるというだけで効率が大幅に変動し、さらに酵素やモノマー、標識済み構成単位などの品質の影響を受ける。
【００３５】
アレイの実験を少なくとも部分的に標準化可能にした手法について、以下に述べる。（特許文献３２）は、異なる標識を施した２つのサンプルを１つの同じアレイに対してハイブリダイズさせる方法について述べている。１つのサンプルはリファレンスとして使用する。その結果、この方法では、スポットの品質のばらつきに対する標準化が行われる。しかしながら、標識効率の違いに関しては標準化は限られた範囲内でしか実現されない。なぜなら明確に定義されていないサンプル、すなわち被験サンプルは、別の明確に定義されていないサンプル、すなわちレファレンスに対して標準化されるにすぎないからである。両サンプルに異なる標識を施すと、色素の取込み効率の違い、量子収率の違い、消光、および蛍光と濃度との間の依存性の違いが生じることから、別の欠点が生じる。これらの生化学的および物理的特性の相違は、標準化における誤差の別の原因を示している。
【００３６】
別の手法が（非特許文献２０）に記載されている。この場合、スポットの品質のばらつきと標的の標識の品質のばらつきとの両方に対して正規化する試みがなされている。様々な標識効率に対する正規化は、外部で生成した段階的な既知濃度の標的、いわゆるスパイキング標的を、サンプルに対してある特定の定量比で添加することにより実現される。さらに、これらスパイキング標的を標的とするオリゴヌクレオチドをアレイ上に並べ、完全にハイブリダイズした際のその強度を使用して、チップ間の標準化を行うことが可能である。この手順の欠点は、核酸の断片化やタンパク質との複合体の形成など、標識効率を低下させるサンプル品質に関連するある種の制限を、スパイキング・プローブを用いて検出できないことである。
【００３７】
スポットの品質のばらつきに対する正規化は、非特許文献２０において実現されると言われており、ある特定のオリゴヌクレオチドが占めるスポット、いわゆる較正スポットを、アレイ全体に分布させる。相補オリゴヌクレオチドをサンプルに添加する。較正スポットの強度を測定し、平均較正スポット強度からの各較正スポットの偏差を使用して、その他すべてのスポットで得られた結果を計算するときに考慮に入れる係数を決定する。各スポットに適用可能な係数に関しては、較正スポットまでの距離も考慮する。この手順は極めて複雑で、表面全体にわたるスポット品質の大域的なばらつきしか決定することができないという欠点がある。個々のスポットのみに影響を及ぼしかつ隣接するスポットの品質には影響を及ぼさないという品質の問題は、この方法では明らかにすることができない。その結果、標的分子の標識に関係する誤差を回避し、かつスポット・レベルでのアレイの品質をアレイ実験の評価に含めることが可能な方法を、今のところは利用することができない。
【００３８】
現在のところ、プローブ・アレイを製造するには、基本的に全く異なる２つの方法を使用する。１つの方法では、微量の液体を部位特異的に確実に沈着させるロボット機器、いわゆるスポッターによって、オリゴヌクレオチドなどの別々に合成したプローブを表面に付着させ、該表面に共有結合または非共有結合により結合させる。この方法は、連続的に行う。各スポット位置は個々にプローブで占められる。個々のスポットの品質は、連続製造工程の過程で変化する多数の要因に依存するので、個々のスポットの性質の差異は予測不可能な状態である。
【００３９】
別例として、プローブ、例えばオリゴヌクレオチド・プローブの部位特異的ｉｎ  ｓｉｔｕ合成によって、ＤＮＡアレイを製造する。この合成は例えばウェハ・スケールで並行して行う。個々のアレイ要素それぞれに関する合成効率をモニタすることは、ウェハ・スケールでしばしば実施されるこの高度に並行な方法の場合、困難である。トリチルのモニタのような従来のモニタ手法は、ウェハ全体にわたる結合効率の概略的な状況しか提供しないので、適切ではないことがわかっている。
【００４０】
上記２つの製造方法では、製造されるアレイの品質に関する詳細は、アレイを完成させた後にしか得ることができない。このため、例えばバッチから少なくともランダムに得られたチップを標準サンプルとハイブリダイズさせ、そのチップの品質をハイブリダイゼーション・シグナルによって決定する。この手法の欠点は、ハイブリダイゼーションをランダムなサンプルについて実施する場合、個々のチップそれぞれの品質に関する信頼性ある説明を行うことができないことである。サンプルのハイブリダイゼーションを個々のチップそれぞれを用いて実施する場合は、評価した後に適切な方法を使用してそのシグナルを再び消さなければならなくなる。
【００４１】
合成によって製造したアレイの品質管理に関する代替の手法が、（非特許文献２１）に記載されている。この文献によれば、オリゴヌクレオチドの合成の後、不安定なリンカーを介して色素をアレイ表面に結合させる。個々のスポット上で決定されたシグナル強度は、合成収量の尺度である。この方法には、ハイブリダイゼーション・アッセイの前に標識を除去しなければならず、ハイブリダイゼーション結果の検出と同時に使用することができないという欠点がある。
【特許文献１】
国際出願国際公開第００／１２５７５号
【特許文献２】
米国特許第５，４１２，０８７号
【特許文献３】
国際出願国際公開第９８／３６８２７号
【特許文献４】
米国特許第５，１４３，８５４号
【特許文献５】
米国特許第５，６５８，７３４号
【特許文献６】
国際出願国際公開第９０／０３３８２号
【特許文献７】
米国特許明細書第４，６８３，２０２号
【特許文献８】
独国特許第１９  ５４３  ２３２号
【特許文献９】
独国特許第１０  ０３３  ３３４号
【特許文献１０】
米国特許第５，６０５，６６２号
【特許文献１１】
国際出願国際公開第９２／０１８１３号
【特許文献１２】
国際出願国際公開第２０００／０４１９３号
【特許文献１３】
米国特許第４，４８６，５３９号
【特許文献１４】
米国特許第５，２８８，６０９号
【特許文献１５】
米国特許第５，３５４，６５７号
【特許文献１６】
米国特許第４，７５１，１７７号
【特許文献１７】
欧州特許第０  １９８  ６６２号
【特許文献１８】
欧州特許第０  １９２  １６８号
【特許文献１９】
米国特許第５，６４１，６３０号
【特許文献２０】
米国特許第５，６９５，９２６号
【特許文献２１】
米国特許第４，８８２，２６９号
【特許文献２２】
米国特許第５，４８７，９７３号
【特許文献２３】
米国特許第５，４８４，９０４号
【特許文献２４】
米国特許第５，１７５，２７０号
【特許文献２５】
国際出願国際公開第９８／０１５３３号
【特許文献２６】
米国特許第４，８７６，１８７号
【特許文献２７】
米国特許第４，７７５，６１９号
【特許文献２８】
米国特許第５，１１８，６０５号
【特許文献２９】
米国特許第５，３６７，０６６号
【特許文献３０】
米国特許第５，５５２，５３８号
【特許文献３１】
米国特許第５，５７８，７１７号
【特許文献３２】
米国特許第５，８００，９９２号
【非特許文献１】
ディー・ジェー・ロックハート（Ｄ．Ｊ．Ｌｏｃｋｈａｒｔ）、イー・エー・ウィンツェラー（Ｅ．Ａ．Ｗｉｎｚｅｌｅｒ）；Ｇｅｎｏｍｉｃｓ，ｇｅｎｅ  ｅｘｐｒｅｓｓｉｏｎ  ａｎｄ  ＤＮＡ  ａｒｒａｙｓ；Ｎａｔｕｒｅ  ２０００、４０５、８２７〜８３６
【非特許文献２】
エー・マーシャル（Ａ．Ｍａｒｓｈａｌｌ）、ジェー・ホッジソン（Ｊ．Ｈｏｄｇｓｏｎ）、ＤＮＡ  Ｃｈｉｐｓ：Ａｎ  ａｒｒａｙ  ｏｆ  ｐｏｓｓｉｂｉｌｉｔｉｅｓ、Ｎａｔｕｒｅ  Ｂｉｏｔｅｃｈｎｏｌｏｇｙ  １９９８、１６、２７〜３１
【非特許文献３】
ジー・ラムゼイ（Ｇ．Ｒａｍｓａｙ）、ＤＮＡ  Ｃｈｉｐｓ：Ｓｔａｔｅ  ｏｆ  ｔｈｅ  Ａｒｔ、Ｎａｔｕｒｅ  Ｂｉｏｔｅｃｈｎｏｌｏｇｙ  １９９８、１６、４０〜４４
【非特許文献４】
ジー・マーチン（Ｇ．Ｍａｒｔｉｎ）、ダブリュ・ケラー（Ｗ．Ｋｅｌｌｅｒ）、Ｔａｉｌｉｎｇ  ａｎｄ  ３’−ｅｎｄ  ｌａｂｅｌｌｉｎｇ  ｏｆ  ＲＮＡ  ｗｉｔｈ  ｙｅａｓｔ  ｐｏｌｙ（Ａ）ｐｏｌｙｍｅｒａｓｅ  ａｎｄ  ｖａｒｉｏｕｓ  ｎｕｃｌｅｏｔｉｄｅｓ．ＲＮＡ、１９９８、４、２２６〜２３０
【非特許文献５】
ヴィ・ローゼンマイヤー（Ｖ．Ｒｏｓｅｎｍｅｙｅｒ）、エー・ラウブロック（Ａ．Ｌａｕｂｒｏｃｋ）、アール・ゼイブル（Ｒ．Ｓｅｉｂｌ）、Ｎｏｎｒａｄｉｏａｃｔｉｖｅ  ３’−ｅｎｄ  ｌａｂｅｌｌｉｎｇ  ｏｆ  ＲＮＡ  ｍｏｌｅｃｕｌｅｓ  ｏｆ  ｄｉｆｆｅｒｅｎｔ  ｌｅｎｇｔｈ  ｂｙ  Ｔｅｒｍｉｎａｌ  Ｄｅｏｘｙｎｕｃｌｅｏｔｉｄｙｌ  Ｔｒａｎｓｆｅｒａｓｅ．Ａｎａｌｙｔｉｃａｌ  Ｂｉｏｃｈｅｍｉｓｔｒｙ  １９９５、２２４、４４６〜４４９
【非特許文献６】
ディ・フィッギー（Ｄ．Ｆｉｇｅｙｓ）、エー・レンボルグ（Ａ．Ｒｅｎｂｏｒｇ）、エヌ・ジェー・ドヴィッチ（Ｎ．Ｊ．Ｄｏｖｉｃｈｉ）、Ｌａｂｅｌｌｉｎｇ  ｏｆ  ｄｏｕｂｌｅ  ｓｔａｎｄａｒｄ  ＤＮＡ  ｂｙ  ＲＯＸ−ｄｉｄｅｏｘｙｃｙｔｏｓｉｎｅ  ｔｒｉｐｈｏｓｐｈａｔｅ  ｕｓｉｎｇ  Ｔｅｒｍｉｎａｌ  Ｄｅｏｘｙｎｕｃｌｅｏｔｉｄｙｌ  Ｔｒａｎｓｆｅｒａｓｅ  ａｎｄ  ｓｅｐａｒａｔｉｏｎ  ｂｙ  ｃａｐｉｌｌａｒｙ  ｅｌｅｔｃｔｒｏｐｈｏｒｅｓｉｓ．Ａｎａｌ．Ｃｈｅｍ．１９９４、６６、４３８２〜４３８３
【非特許文献７】
エフ・ベルトゥッチ（Ｆ．Ｂｅｒｔｕｃｃｉ）他、Ｓｅｎｓｉｔｉｖｉｔｙ  ｉｓｓｕｅｓ  ｉｎ  ＤＮＡ−ａｒｒａｙ  ｂａｓｅｄ  ｅｘｐｒｅｓｓｉｏｎ  ｍｅａｓｕｒｅｍｅｎｔｓ  ａｎｄ  ｐｅｒｆｏｒｍａｎｃｅ  ｏｆ  ｎｙｌｏｎ  ｍｉｃｒｏ−ａｒｒａｙｓ  ｆｏｒ  ｓｍａｌｌ  ｓａｍｐｌｅｓ．Ｈｕｍａｎ  Ｍｏｌｅｃｕｌａｒ  Ｇｅｎｅｔｉｃｓ  １９９９、８（９）、１７１５〜１７２２
【非特許文献８】
ジェー・フィリップス（Ｊ．Ｐｈｉｌｌｉｐｓ）、ジェー・エッチ・エバーワイン（Ｊ．Ｈ．Ｅｂｅｒｗｉｎｅ）、Ａｎｔｉｓｅｎｓｅ  ＲＮＡ  ａｍｐｌｉｆｉｃａｔｉｏｎ：Ａ  ｌｉｎｅａｒ  ａｍｐｌｉｆｉｃａｔｉｏｎ  ｍｅｔｈｏｄ  ｆｏｒ  ａｎａｌｙｚｉｎｇ  ｔｈｅ  ｍＲＮＡ  ｐｏｐｕｌａｔｉｏｎ  ｆｒｏｍ  ｓｉｎｇｌｅ  ｌｉｖｉｎｇ  ｃｅｌｌ．Ｍｅｔｈｏｄｓ  １９９６、１０（３）、２８３〜２８８
【非特許文献９】
ワン（Ｗａｎｇ）他、Ｈｉｇｈ  ｆｉｄｅｌｉｔｙ  ｍＲＮＡ  ａｍｐｌｉｆｉｃａｔｉｏｎ  ｆｏｒ  ｇｅｎｅ  ｐｒｏｆｉｌｉｎｇ、Ｎａｔ．Ｂｉｏｔｅｃｈｎｏｌ．２０００、１８（４）４５７〜４５９
【非特許文献１０】
Ｎａｔｕｒｅ  Ｂｉｏｔｅｃｈｎｏｌｏｇｙ  １９９８、１６、７２５〜７２７
【非特許文献１１】
ジェー・エム・ブロックマン（Ｊ．Ｍ．Ｂｒｏｃｋｍａｎ）他、Ａ  ｍｕｌｔｉｓｔｅｐ  ｃｈｅｍｉｃａｌ  ｍｏｄｉｆｉｃａｔｉｏｎ  ｐｒｏｃｅｄｕｒｅ  ｔｏ  ｃｒｅａｔｅ  ＤＮＡ  Ａｒｒａｙｓ  ｏｎ  ｇｏｌｄ  ｓｕｒｆａｃｅｓ  ｆｏｒ  ｔｈｅ  ｓｔｕｄｙ  ｏｆ  ｐｒｏｔｅｉｎ−ＤＮＡ  Ｉｎｔｅｒａｃｔｉｏｎｓ  ｗｉｔｈ  ｓｕｒｆａｃｅ  ｐｌａｓｍｏｎ  ｒｅｓｏｎａｎｃｅ  ｉｍａｇｉｎｇ、Ｊ．Ａｍ．Ｃｈａｍ．Ｓｏｃ．１９９９、１２１、８０４４〜８０５１
【非特許文献１２】
エー・アール・ダン（Ａ．Ｒ．Ｄｕｎｎ）、ジェー・エー・ハッセル（Ｊ．Ａ．Ｈａｓｓｅｌ）、Ａ  ｎｏｖｅｌ  ｍｅｔｈｏｄ  ｔｏ  ｍａｐ  ｔｒａｎｓｃｒｉｐｔｓ：ｅｖｉｄｅｎｃｅ  ｆｏｒ  ｈｏｍｏｌｏｇｙ  ｂｅｔｗｅｅｎ  ａｎ  ａｄｅｎｏｖｉｒｕｓ  ｍＲＮＡ  ａｎｄ  ｄｉｓｃｒｅｔｅ  ｍｕｌｔｉｐｌｅ  ｒｅｇｉｏｎｓ  ｏｆ  ｔｈｅ  ｖｉｒａｌ  ｇｅｎｏｍｅ．Ｃｅｌｌ  １９７７、１２、２３〜３６
【非特許文献１３】
エム・ランキ（Ｍ．Ｒａｎｋｉ）他、Ｓａｎｄｗｉｃｈ  ｈｙｂｒｉｄｉｓａｔｉｏｎ  ａｓ  ａ  ｃｏｎｖｅｎｉｅｎｔ  ｍｅｔｈｏｄ  ｆｏｒ  ｔｈｅ  ｄｅｔｅｃｔｉｏｎ  ｏｆ  ｎｕｃｌｅｉｃ  ａｃｉｄｓ  ｉｎ  ｃｒｕｄｅ  ｓａｍｐｌｅｓ．Ｇｅｎｅ  １９８３、２１（１−２）、７７〜８５
【非特許文献１４】
エフ・ロットシュパイッヒ（Ｆ．Ｌｏｔｔｓｐｅｉｃｈ）およびエッチ・ゾルバス（Ｈ．Ｚｏｒｂａｓ）編、Ｂｉｏａｎａｌｙｔｉｋ，Ｓｐｅｋｔｒｕｍ，Ａｋａｄ．Ｖｅｒｌ．、Ｈｅｉｄｅｌｂｅｒｇ、Ｂｅｒｌｉｎ、１９９８
【非特許文献１５】
シュッフハルト，ジェー（Ｓｃｈｕｃｈｈａｒｄｔ，Ｊ．）；ボイレ，ディー（Ｂｅｕｌｅ，Ｄ．）；マリック，エー（Ｍａｌｉｋ，Ａ）；ウォルスキー，イー（Ｗｏｌｓｋｉ，Ｅ．）；アイクホッフ，エッチ・エル（Ｅｉｃｋｈｏｆｆ，Ｈ．Ｌ．）；ヘルツェル，エッチ（Ｈｅｒｚｅｌ，Ｈ．）、Ｎｕｃｌｅｉｃ  Ａｃｉｄｓ  Ｒｅｓｅａｒｃｈ、２０００、Ｖｏｌ．２８、Ｎｏ．１、Ｅ４７
【非特許文献１６】
ドラギッチ，エス（Ｄｒａｇｈｉｃｉ，Ｓ．）；クックリン，エー（Ｋｕｋｌｉｎ，Ａ．）；ホッフ，ビー（Ｈｏｆｆ，Ｂ．）；シャームス，エス（Ｓｈａｍｓ，Ｓ．）、Ｄｒｕｇ  Ｄｉｓｃｏｖｅｒｙ  ＆  Ｄｅｖｅｌｏｐｍｅｎｔ  ２００１、Ｖｏｌ．４、Ｎｏ．３、３３２
【非特許文献１７】
ツィーン，エー（Ｚｉｅｎ  Ａ．）、アイグナー，ティー（Ａｉｇｎｅｒ  Ｔ．）、ツィンマー，アール（Ｚｉｍｍｅｒ  Ｒ．）、レンガウアー，ティー（Ｌｅｎｇａｕｅｒ  Ｔ）、Ｂｉｏｉｎｆｏｒｍａｔｉｃｓ  ２００１  Ｊｕｎ、１７：Ｓ３２３〜Ｓ３３１
【非特許文献１８】
ツェン，ジー・シー（Ｔｓｅｎｇ  Ｇ．Ｃ．）、オー，エム・ケー（Ｏｈ  Ｍ．Ｋ．）、ローリン，エル（Ｒｏｈｌｉｎ  Ｌ．）、リャオ，ジェー・シー（Ｌｉａｏ  Ｊ．Ｃ．）、ウォン，ダブリュ・エッチ（Ｗｏｎｇ  Ｗ．Ｈ．）、Ｎｕｃｌｅｉｃ  Ａｃｉｄｓ  Ｒｅｓ  ２００１  Ｊｕｎ  １５、２９（１２）：２５４９〜２５５７
【非特許文献１９】
ロックハート，ディー・ジェー（Ｌｏｃｋｈａｒｔ  Ｄ．Ｊ．）、ウィンツェラー，イー・エー（Ｗｉｎｚｅｌｅｒ  Ｅ．Ａ．）、Ｎａｔｕｒｅ  ２０００  Ｊｕｎ  １５、４０５（６７８８）：８２７〜８３６
【非特許文献２０】
セリンガー，ディー・ダブリュ（Ｓｅｌｉｎｇｅｒ  Ｄ．Ｗ．）、チョン，ケー・ジェー（Ｃｈｅｕｎｇ  Ｋ．Ｊ．）、マイ，アール（Ｍｅｉ  Ｒ．）、ヨハンソン，イー・エム（Ｊｏｈａｎｓｓｏｎ  Ｅ．Ｍ．）、リッチモンド，シー・エス（Ｒｉｃｈｍｏｎｄ  Ｃ．Ｓ．）、ブラットナー，エフ・アール（Ｂｌａｔｔｎｅｒ  Ｆ．Ｒ．）、ロックハート，ディー・ジェー（Ｌｏｃｋｈａｒｔ  Ｄ．Ｊ．）、チャーチ，ジー・エム（Ｃｈｕｒｃｈ  Ｇ．Ｍ．）、Ｎａｔ．Ｂｉｏｔｅｃｈｎｏｌ．２０００  Ｄｅｃ；１８（１２）：１２６２〜８
【非特許文献２１】
エム，バイヤー（Ｍ．Ｂｅｉｅｒ）およびジェー・ディー，ホハイセル（Ｊ．Ｄ．Ｈｏｈｅｉｓｅｌ）、Ｎｕｃｌｅｉｃ  Ａｃｉｄｓ  Ｒｅｓ．２０００、Ｖｏｌ．２８、Ｎｏ．４
【発明の開示】
【発明が解決しようとする課題】
【００４２】
したがって本発明の目的は、標的の標識を行わずに済みかつ現況技術による方法の上述の欠点を克服した、プローブ・アレイによって分子標的を検出するための簡単な方法を提供することである。
【００４３】
本発明の別の目的は、不安定な結合の切断を介し、標的との特異的な相互作用が生じなかったプローブから、特にプローブが表面に固定化されている場合においても、標識を効率的にかつ選択的に除去することが可能なプローブ・アレイを提供することである。
【００４４】
さらに本発明の目的は、プローブ内の不安定な結合が、プローブと標的との相互作用の特異性にごくわずかに影響を及ぼすだけがまたは全く影響を及ぼさないようなものであるプローブ・アレイを提供することである。
【００４５】
本発明の別の目的は、これまでにわかっている可能性を超えて、アレイ実験を標準化して定性的に、かつ必要なら定量的に評価することが可能な構造を持つプローブ・アレイを提供することである。
【００４６】
本発明の別の目的は、効率的、均質、かつ／または並行なプローブ合成を保証し、特に、不安定な結合をプローブ分子に組み込むことによる影響をできる限り受けることのないプローブ・アレイ製造方法を提供することである。
【００４７】
本発明の別の目的は、サンプル・ハイブリダイゼーションなどの別の工程を必要とせずに、個々のアレイそれぞれの品質をそのアレイの調製直後に試験することが可能な方法を提供することである。
【００４８】
本発明の以上の目的およびその他の目的は、特許請求の範囲で特徴付けられる実施形態を提供することによって実現される。
【課題を解決するための手段】
【００４９】
従って、本発明は、プローブ・アレイ上でのプローブ分子と標的分子との種々の相互作用を、高度に特異的、高感度かつ定量的に検出することが可能なプローブ・アレイに関する。
【００５０】
本発明のプローブ・アレイ上に配置されかつ標的分子との分子相互作用を検出するのに使用されるプローブ分子は、少なくとも１つの標識、すなわち検出可能なユニット、または検出可能なユニットに結合可能なアンカー基、および少なくとも１つの所定の破断点、すなわちそれぞれ特異的に不安定化もしくは切断可能な不安定結合または選択的切断可能な結合からなる。
【００５１】
プローブの製造過程でまたはプローブ・アレイの製造過程でプローブに連結された標識は、アレイを使用する任意の段階で、すなわちアレイを分析するサンプルと共にインキュベートする前にも検出可能であることが好ましく、従って、アレイの製造後かつアレイを使用して標的分子を検出する前に、個々のアレイ要素それぞれの占有密度を確立することが可能であるという点で、とりわけ製造したアレイの品質を評価することが可能になる。本発明のプローブ・アレイの別の利点は、品質管理に使用されるシグナルを実際のアレイ実験の前に取り除く必要がなく、むしろそのシグナルが、特異的な相互作用を検出する基礎をなすということからなる。
【００５２】
標識と、プローブがアレイ表面に連結する位置との間に配置された、選択的に切断可能な結合によって、品質管理に使用される標識および／または検出可能なユニットを、プローブと標的との分子相互作用を特異的に検出するのにも使用可能となる。これに関連し、所定の切断部位または選択的に切断可能な結合をプローブ分子内に位置付けて、該結合の破断により、検出可能なユニットが、またはアンカー基が検出可能なユニットと共に、アレイ表面から切り離されるようにする。一方、標的分子と特異的に相互作用したプローブ分子の標識はアレイ表面に連結したままであるが、その理由は、標識に連結されているプローブの切断生成物またはプローブ断片が、アレイ表面に固定化されたプローブの第２の切断生成物に標的との相互作用によって結合したままだからである。
【００５３】
その結果、本発明によるプローブ・アレイのプローブ分子は、標的分子との相互作用が生じなかったプローブ分子から切断によって標識が切り離されるような性質の、選択的に切断可能な結合を含む。
【００５４】
本発明によるプローブ・アレイの構造により、分析するサンプル中の標的を検出するアッセイが大幅に単純化されうる。プローブと標的との特異的な相互作用の検出は、プローブ・アレイの製造中に既に付着された標識を介して行われる。このように、通常なら費用がかかり労力も要する方法であり、さらに効率および均質性が不十分であることの多い標的の標識を、省略することが可能になる。
【００５５】
さらに、本発明によるプローブ・アレイは、標的分子の標識、したがって標的分子そのものに左右される、アレイに基づく多段階の検出方法を、標的分子とはまったく関係のない均質なアレイに基づくアッセイに切り換えることが可能であることを保証するものである。このため、アレイに基づく分析の適用分野が大幅に拡大される。
【００５６】
内部標識、特に切断できない対照標的を使用してシグナルを標準化する手段とし、本発明によるプローブ・アレイをさらに定量的アッセイにも使用可能である。
以下の用語および定義は、本発明の範囲内で使用する。
【００５７】
本発明の範囲内で、プローブまたはプローブ分子とは、特異的な特徴的結合挙動またはある特定の反応性によって他の分子を検出するために使用される分子を意味する。アレイ上に配置される、選択的に切断可能な結合を有するプローブには、固体表面に結合することが可能であり特異的な親和性を示す任意のタイプの分子を使用することが可能である。好ましい実施形態によれば、これらは、ペプチド、タンパク質、核酸、および／またはそれらの類似体といった種類のバイオポリマーである。切断可能なプローブは、核酸および／または核酸類似体であることが特に好ましい。核酸として、ＤＮＡ分子とＲＮＡ分子のいずれも使用可能である。
【００５８】
本発明の範囲内で、標的または標的分子とは、分子プローブを用いて検出しようとする分子を意味する。本発明の好ましい実施形態では、検出しようとする標的は核酸である。しかし本発明によるプローブ・アレイは、タンパク質とプローブとの相互作用や抗体とプローブとの相互作用などを検出するための類似の方法で使用することが可能である。
【００５９】
本発明の範囲内で、「選択的に切断可能な結合」という用語は、プローブ分子内に存在するその他の結合とは異なる結合であって、該その他の結合、特にプローブ分子の主鎖の結合に悪影響を与えることなく、ある特定の条件下で特異的に切断可能な結合を意味する。選択的に切断可能な結合は、プローブの構築に使用される少なくとも１つのモノマー構成単位において、１個または２個の原子、必要なら３個、４個、５個、または数個の原子を置換することによって生成されることが好ましい。置換は、標的の認識がプローブの官能基の影響を受けないように、例えばオリゴヌクレオチド・プローブの場合には核酸塩基の影響を受けないように、ポリマー鎖の主鎖で行うことが好ましい。例えばオリゴヌクレオチド・プローブの場合、好ましくはヌクレオチド構成単位の１原子または２原子のみを、特に好ましくはヌクレオチドのリン酸基において例えばＯをＳに置換して、選択的に切断可能な結合を提供することが好ましい。例えば核酸をプローブとして使用する場合、プローブのホスホジエステル結合を切断することなく、選択的に切断可能な結合を切断することが可能である。本発明の範囲内において、選択的に切断可能な結合を、不安定な結合または所定の切断部位とも呼ぶ。
【００６０】
本発明の範囲内において、サンプルという用語は、複数の標的を含有する複合体混合物を意味する。
本発明の範囲内において、標識とは、検出可能なユニット、例えば蛍光体、または該検出可能なユニットを結合させることが可能なアンカー基を指す。
【００６１】
本発明の範囲内において、プローブ・アレイとは、各プローブの位置が別々に決定されている、表面上の分子プローブの配列を意味する。特に本発明の範囲内において、プローブ・アレイとは、高密度のアレイ要素を有し、 従って多数のプローブ−標的相互作用を同時に試験することが可能なバイオチップおよび／またはマイクロアレイ（いわゆる高密度アレイまたはマイクロアレイ）を意味する。アレイは、チップまたは担体当たり１００を超えるプローブ・スポット、特に好ましくは１，０００を超え、１０，０００を超え、さらに最大で１００，０００をも超えるプローブ・スポットを含み得ることが好ましい。そのようなチップまたは担体は市販されており、本明細書で述べる文献にも記載されている（調査のためＳｃｉｅｎｃｅ（２００２）２９５、第６０〜１７２頁も参照）に記載されている。
【００６２】
本発明の範囲内で、「アレイ要素」という用語は、均一組成のプローブが配置されている表面上のある特定の領域を意味すると理解すべきであり、すべて占有されたアレイ要素を合わせたものがプローブ・アレイである。
【００６３】
プローブ・アレイ上でのプローブ分子と標的分子との分子相互作用によりサンプルから標的を定性的かつ／または定量的に検出するために使用される本発明のプローブ・アレイは、アレイ表面ならびに同アレイ表面上の定められた部位に固定化されたプローブ分子からなる。本発明によるプローブ・アレイの本質的な特徴は、プローブ分子が少なくとも１つの標識を有し、かつプローブ分子内に、アレイ表面上のプローブ固定化部位と標識との間に少なくとも１つの選択的に切断可能な結合を有することである。
【００６４】
本発明によるプローブ・アレイの特に好ましい実施形態では、プローブは、そのヌクレオチド配列内に選択的に切断可能な結合を有するオリゴヌクレオチドである。例えばオリゴヌクレオチド・プローブは、アレイ表面に固定された長さ１０〜１００塩基、好ましくは１５〜５０塩基、特に好ましくは２０〜３０塩基のオリゴヌクレオチドでありうる。
【００６５】
本発明の範囲内で使用される選択的に切断可能な結合は、それらがプローブのハイブリダイゼーションの挙動に、特にある特定の標的分子に対する特異性および／または親和性に、少しも影響を及ぼさないかまたはごくわずかしか影響を及ぼさないことを特徴とする。さらに、本発明によるプローブ・アレイのプローブ分子は、プローブと標的との相互作用に悪影響を及ぼさず、かつ／または切断後に標識済みプローブ断片とアレイ表面との間にいかなる連結ももたらさない条件下で切断可能な不安定な結合を含むことが好ましい。
【００６６】
さらに、選択的に切断可能な結合は、プローブがアレイ表面に固定されていても効果的に切断可能であるように生成されることが好ましい。
本発明によるプローブ・アレイの選択的に切断可能な結合は、化学的および／または物理的な方法によって選択的に切断可能であることが好ましい。
【００６７】
また表面での効率的な切断は、特に原子やイオンなど小さいサイズの物質によっても確実になる。したがって不安定な結合は、単純な化学物質によって、例えばイオン、特に好ましくは酸の陰イオン、塩基の陽イオン、フッ化物イオン、ならびに／または水銀および／または銀イオンなどの重金属イオンを添加することによって、選択的に切断可能であることが好ましい。
【００６８】
個別に合成したオリゴヌクレオチドの固定化によるアレイの製造において、選択的に切断可能な結合は、アレイ表面にプローブを固定化する際に適用された条件下で安定である。プローブの製造を、アレイ表面での部位特異的合成によってその場（ｉｎ  ｓｉｔｕ）で行う場合、不安定な結合を合成の過程で効率的に生成させることが好ましい。不安定な結合は、ホスホロアミダイト法によって提供することが特に好ましい。ついでながら、検出可能なユニットを組み込む場合も同様である。
【００６９】
従って、選択的に切断可能な結合は、従来のＤＮＡまたはＲＮＡ合成によって製造可能な核酸中に存在することが好ましい。本発明によるプローブ・アレイのプローブ分子は式Ａ１−Ｓ−Ａ２の核酸からなることが特に好ましく、Ｓは少なくとも１つの選択的に切断可能な結合を含む核酸および／またはヌクレオチド構成単位を表し、Ａ１およびＡ２は任意の核酸または核酸類似体を表す。プローブ分子は、２つの核酸または核酸類似体Ａ１およびＡ２のうち一方を介して本発明によるプローブ・アレイの表面に固定され、他方が少なくとも１つの標識を有する。Ｓは、選択的に切断可能な結合によって架橋結合されたヌクレオチドダイマーであることが好ましい。
【００７０】
選択的に切断可能な結合を含む、特に好ましいＤＮＡヌクレオチド構成単位Ｓの例を、下式Ｉに示す。
【００７１】
【化１】
2005500855.tif 000003
式中、ＸおよびＹは互いに独立に、好ましくはＯ、ＮＨ、およびＳからなる群から選択可能であり、ＸおよびＹは同時にＯではない。
【００７２】
Ｂは、プリン誘導体であるアデニンおよびグアニンと、ピリミジン類であるシトシンおよびチミンなどの核酸塩基を表す。
オリゴヌクレオチド・プローブなどのヌクレオチド配列内にある選択的に切断可能な結合は、ホスホチオエート結合またはホスホロアミダイト結合であることが好ましい。ホスホチオエート結合、すなわち糖‐Ｏ‐Ｐ‐Ｓ‐糖結合が、ホスホジエステル結合、すなわち非修飾オリゴヌクレオチドの糖‐Ｏ‐Ｐ‐Ｏ‐糖結合に取って代わることが特に好ましい。この実施形態では、２つのヌクレオシドがホスホチオエート結合によって結合される。
【００７３】
別例として、ヌクレオチド配列内の選択的に切断可能な結合は、ホスホノチオエート結合などの、別の硫黄または窒素で修飾されたエステル結合であってもよい。
本発明によるプローブ・アレイのプローブ分子内に選択的に切断可能な結合をもたらすための別の例は、アミド基、１，２‐ジオール基、ジスルフィド基、および／またはスルホニル基、ならびに（特許文献２８）に記載されておりそこに詳述されている条件下で切断可能なその他の基である。しかしこれらの基は、とりわけオリゴヌクレオチド・プローブへの組込みを従来の核酸合成によって行うことができないので、あまり好ましくない。
【００７４】
別例として、プローブ分子内の選択的に切断可能な結合を切断するために、物理的な方法を使用することも可能である。この方法では、選択的に切断可能な結合を、例えば光分解によって選択的に切断することが可能である。光分解によって選択的に切断可能な結合を含み、かつ本発明によるプローブ・アレイのプローブ分子の合成に使用可能なヌクレオチド構成単位は、例えば（特許文献２９、３０、および３１）に記載されている。
【００７５】
化学的または物理的手段によって選択的に切断可能な結合を含む、特に好ましいＲＮＡヌクレオチド構成単位であるその他の例を下式ＩＩに示す。
【００７６】
【化２】
2005500855.tif 000004
（式中、ただしＸおよびＹは互いに独立に、好ましくはＯ、ＮＨ、およびＳからなる群から選択可能であり、ＰＧが不安定な保護基ではない場合、ＸおよびＹは同時にＯではない。）
【００７７】
ＰＧは、Ｈ、および
【化３】
2005500855.tif 000005
のような不安定な保護基からなる群から選択することが好ましい。
式ＩＩのＢは、プリン誘導体であるアデニンおよびグアニンや、ピリミジン類であるシトシンおよびウラシルなどの核酸塩基を表す。
【００７８】
したがって本発明の別の対象は、ＤＮＡオリゴヌクレオチド・プローブの構成単位として、選択的に切断可能な結合を有するＲＮＡヌクレオチド構成単位、特に光に不安定なＲＮＡヌクレオチド構成単位を使用することである。そのような光に不安定なＲＮＡヌクレオチド構成単位を用いることによって、光分解によって選択的に切断可能な基が提供される。この光分解による切断は、好ましくはアルカリ性の媒体中で、特に好ましくは１０よりも大きいｐＨにおいて生じる。
【００７９】
しかし、通常の雰囲気、温度、および光の条件下では安定な、選択的に切断可能な結合を有するプローブ分子が好ましい。
代替の実施形態では、不安定な結合は、酵素を用いる方法によって選択的に切断可能である。そのような不安定な結合を含むヌクレオチド構成単位の例が、（特許文献２７および２６）に記載されている。しかし本発明の範囲内で、選択的に切断可能な結合を切断するための酵素を用いる方法はあまり好ましくない。なぜなら、プローブ分子を固定化する結果として選択的に切断可能な結合が表面に近接するために酵素活性が大幅に阻害されるからである。その結果、酵素切断反応は効率が非常に低レベルになり、誤って陽性の測定結果が得られる結果、望ましくない高いシグナル・バックグラウンドが生じる。したがって本発明によるプローブ・アレイの好ましい実施形態では、選択的に切断可能な結合を、酵素を用いる方法によって切断することはできない。
【００８０】
本発明によるプローブ・アレイの別の好ましい実施形態では、選択的に切断可能な結合を、アレイ表面へのプローブの固定化部位とプローブの標識位置との間のほぼ中間に定める。このようにすると、標的と、結合切断後の表面に残されたプローブ残基に相当する固定化したプローブ断片との相互作用の可能性が、確実に大幅に低下しかつ／またはほとんどなくなる。一方、選択的に切断可能な結合の位置をアレイ表面に近づけすぎると、標的と、アレイ表面に固定化されたプローブ断片とのハイブリダイゼーションが十分に安定ではないので、プローブ分子と標的分子との複合体は、切断後はもはや十分に安定ではない。このため、誤って陰性の測定結果につながる可能性がある。
【００８１】
本発明によるプローブ・アレイの好ましい実施形態では、選択的に切断可能な結合を定量的に切断することが可能である。これにより、検出しようとする標的との相互作用が生じないプローブから標識を完全に除去することが、確実になる。一方、標識に連結されたプローブ切断生成物は、アレイ表面に固定されたままの第２のプローブ切断生成物に、標的との相互作用を介して結合したままであるので、プローブが標的と特異的に相互作用したアレイ表面には、標識が連結されたままである。
【００８２】
また、プローブ内の選択的に切断可能な結合が、プローブと標的との分子相互作用を妨げないものであることも好ましい。このようにすると、選択的に切断可能な結合の導入によるプローブ分子の修飾によって、検出の特異性は低下しないことが確実である。
【００８３】
さらに、選択的に切断可能な結合は、プローブと標的との相互作用が、選択的に切断可能な結合の選択的切断の際に完全に維持されるようなものであることが好ましい。
本発明によるプローブ・アレイの１実施形態では、プローブ・アレイ上のすべてのプローブが、少なくとも１つの切断可能な結合ならびに少なくとも１つの標識を共に有する。別の実施形態では、少なくとも１つのプローブが、少なくとも１つの切断可能な結合と少なくとも１つの標識の両方を所有し、その他のプローブは、少なくとも１つの標識のみまたは少なくとも１つの切断可能な結合のみを有するか、あるいは標識も切断可能な結合も持たないことが好ましい。
【００８４】
選択的に切断可能な結合を持たないプローブ分子が、プローブ・アレイの少なくとも１つのアレイ要素上に配置されることが好ましい。この好ましい実施形態では、プローブ・アレイのすべてのプローブが標識を有する。一部のプローブは不安定な結合をさらに有し、標準化を目的として使用されるプローブには切断可能な結合がない。後者の場合、アッセイの過程において、不安定な結合を特異的に切断してもその標識は失われない。しかしアッセイの全工程にかけられるので、その他のプローブすべてと同様に、これらの工程に関係する標識シグナルに非特異的な低下が生ずる。従って、これらのプローブを、アッセイ後に検出しようとするシグナルの上限、ひいては分析のダイナミック・レンジの上限を決めるシグナルを生じる標準として使用することが可能である。その結果これらのプローブを、異なる実験の相互標準化に使用することが可能である。
【００８５】
特に好ましい実施形態では、選択的に切断可能な結合を持たないプローブ分子を、標識度がそれぞれ異なるアレイ要素上に配列する。したがって一部のアレイ要素は、標識済みプローブのみ含有することが可能であり、その他のアレイ要素では、標識済みプローブと非標識プローブとの混合物を配置することが可能である。標識済みプローブと非標識プローブとの混合物を備えたアレイ要素は、希釈系列の形態で存在させることが特に好ましい。これは、問題となっているアレイ要素が、標識済みプローブと非標識プローブとの比率により、特徴的かつ規定された状態で互いに異なることを意味する。
【００８６】
個別に合成されたプローブの固定化によって製造された本発明によるアレイの場合、固定化の前に、標識済みプローブと非標識プローブとを混合することによって、標識の程度を変えることが可能である。ｉｎ  ｓｉｔｕ合成により製造されるアレイの場合、例えば標識を行うモノマーを、同じ反応性の非標識モノマーと結合する過程で混合することが可能である。
【００８７】
実験を標準化するために、段階的な標識度を示すアレイ要素を使用することが可能である。一方ではこれら要素は、検出可能な範囲の上限および下限を表す。他方、アレイ要素上で決定されたシグナル強度を、評価の過程でプローブの標識度に対しプロットすることが可能であり、その結果アレイ実験の特性曲線が得られるようになり、この曲線に対して、実験値、すなわち不安定な結合を有するプローブを持つアレイ要素上で得られた値を、比較考量することが可能になる。
【００８８】
不安定な結合を持たないプローブは、表面への結合に好適な多数の化学結合の中から選択することが可能である。しかし、不安定な結合を持たないプローブは、例えばハイブリダイゼーションに基づくアッセイの場合にはオリゴヌクレオチド・プローブといったように、相互作用の検出に使用されるプローブに化学的にかなり似ている分子であることが好ましい。プローブ分子は、規定のまたはランダムな配列のオリゴヌクレオチドであることが特に好ましい。
【００８９】
別の実施形態では、標準化に使用されるアレイ要素を、検出可能なユニットと共に直接、すなわちプローブ分子への連結なしに、提供することも可能である。この実施形態では、プローブ分子への連結がない検出可能なユニットを、少なくとも１つのアレイ要素上に配置する。次いで、表面に結合したときに同じ反応性を示す検出可能なユニットと検出可能ではないユニットとを混合することによって、異なるシグナル強度を実現することが好ましい。
【００９０】
本発明によるプローブ・アレイの別の実施形態では、不安定な結合を有するすべてのプローブは、分析するサンプル中に予測される標的に対して特異的な親和性を有する。
しかし、標的分子に対して親和性がないかまたは少なくとも特異的な親和性を持たないプローブ分子を、本発明によるプローブ・アレイの少なくとも１つのアレイ要素上に配置することが好ましい。言い換えれば、一部のアレイ要素上には、サンプル中に予測される標的に対して親和性を持たないプローブおよび／またはサンプル中の標的に対する親和性はあっても検出可能なシグナルが得られないプローブを沈着させる。不安定な結合の切断後、これらのプローブの検出可能なユニットは、アレイ上のプローブと標的との特異的な相互作用によって留まることはない。その結果これらのプローブは、切断反応効率の対照としての役割を果たす。これらのプローブは、実験に固有のシグナル・バックグラウンドを定め、したがって検出可能な範囲の下限が定められる。
【００９１】
標的分子に対して親和性がないかまたは少なくとも特異的な親和性を持たないプローブ分子は、規定のまたはランダムな配列を有するオリゴヌクレオチドであることが好ましい。したがって、プローブとして使用される核酸および／または核酸類似体の場合、サンプル中の標的に対して有意な相補性を持たないように、プローブの配列を選択することが可能である。これは、定量的に定められた組成のサンプルの場合に特に実用的である。組成がわかっていないサンプルの場合、少なくとも一部がランダムな配列を、規定された配列の代わりに使用することが可能である。これらはサンプル中に存在する標的に相補的な配列からなるものでよいが、完全にランダムなアレイ要素の場合、このように生成された個々の特異的な配列のそれぞれの割合はわずか１／４ｎ（ｎはプローブの長さを表す）である。個々の特異的な配列のそれぞれが少量である結果、サンプル中に存在する標的との相互作用による合計シグナルは、検出限界を下回る。
【００９２】
本発明によるプローブ・アレイの一実施形態では、切断可能な結合を有しかつ標的配列を対象とするすべてのプローブは、標的中に元来存在する配列に相補的である。
別例として、サンプルに外部から好ましくは既知濃度だけ添加した標的分子に対して特異的な親和性を有するプローブ分子を、少なくとも１つのアレイ要素上に配列する。この実施形態では、標準化を目的としてサンプルに添加された標的を対象とし、不安定な結合を有するプローブを、アレイ上に配置する。これを「スパイキング」と呼ぶ。スパイキング・サンプルとして添加した種々の標的濃度を段階的にすることにより、アッセイのさらなる標準化が可能になる。
【００９３】
本発明によるプローブ・アレイの別の好ましい実施形態では、いわゆる対照プローブを少なくとも１つのアレイ要素上に配置するが、この対照プローブは、標識を有し、かつこの標識と表面上のプローブ固定化部位との間に配置された選択的に切断可能な結合を有する。そのような対照プローブは特異的な親和性を有し、すなわちオリゴヌクレオチドの場合は、外部から添加した標的、またはアレイで分析しようとするすべてのサンプル中に十分な濃度で存在する標的のいずれかに対する相補性を有する。この場合、十分な濃度とは、プローブとの相互作用の後に有意なシグナル、すなわち明らかに検出可能なシグナルをもたらす標的分子の濃度を意味する。
【００９４】
そのような対照プローブを配置したアレイ要素は、アレイの全面に分布させることが好ましく、均一に分布させることが特に好ましい。本発明の意味において、アレイの全面に分布させるとは、そのような対照プローブを備えたアレイ要素が、アレイ表面の中心を起点として種々の距離でかつ種々の方向に存在することを意味する。均一な分布とは、好ましくはそのような対照プローブを持つアレイ要素が均一な格子状、例えば１０×１０の格子状に配置され、該配置において１０個おきのアレイ要素がそのような対照プローブを備えたアレイ要素であることを意味する。この実施形態では、他にも理由はあるが、アレイ表面のアレイ要素の部位に応じてアレイ製造後に生じる可能性のある実験のばらつきを、正規化することが可能である。
【００９５】
上述のように、プローブ、好ましくはオリゴヌクレオチド・プローブに結合される標識は、検出可能なユニット、またはアンカー基を介してプローブに結合される検出可能なユニットであることが好ましい。検出および／または標識の可能性に関し、本発明によるプローブ・アレイは現況技術のプローブ・アレイに比べて極めて柔軟であることがわかっているが、これは標識効率が（未知の）標的分子の配列、構造、またはその他の特性に依存しないからである。したがって本発明によるプローブ・アレイを使用する手法は、数多くの物理的、化学的、または生化学的な検出方法に適合し得る。唯一の要件は、検出するユニットまたは構造を、例えばオリゴヌクレオチドなどのプローブに直接結合することが可能であるか、またはオリゴヌクレオチドに結合し得るアンカー基を介してプローブに連結することが可能であることである。
【００９６】
標識の検出を、例えば蛍光、磁気、電荷、質量、親和性、酵素活性、反応性、金標識などに基づいて実施することが可能である。標識は、本発明によるプローブ・アレイの場合、アレイの任意の適用段階で検出可能であることが好ましい。この場合、例えばアレイの品質の評価は、個々のアレイそれぞれの占有密度を決定可能であるという点において保証される。
【００９７】
また本発明によるプローブ・アレイでは、蛍光に基づかない方法を用いて検出を行うことが可能である。しかし標識は、蛍光体で標識した構造または構成単位の使用に基づくことが好ましい。蛍光検出に関し、標識は、合成中または合成後にプローブに連結可能な任意の色素でよい。これらの色素の例には、Ｃｙ色素（アマシャム・ファルマシア・バイオテック（Ａｍｅｒｓｈａｍ  Ｐｈａｒｍａｃｉａ  Ｂｉｏｔｅｃｈ）［スウェーデン、ウプサラ所在］）、Ａｌｅｘａ色素、テキサス・レッド、フルオレセイン、ローダミン（モレキュラー・プローブス（Ｍｏｌｅｃｕｌａｒ  Ｐｒｏｂｅｓ）［米国オレゴン州ユージーン所在］）、サマリウムやイッテルビウム、ユーロピウムなどのランタニド（イージー・アンド・ジー・バラク（ＥＧ＆Ｇ  Ｗａｌｌａｃ）［ドイツ、フライブルク所在］）がある。
【００９８】
蛍光標識の他、本発明の範囲内で、発光標識、金属標識、酵素標識、放射性標識、および／またはポリマー標識も、プローブに結合した標識および／または検出ユニットとして使用することが可能である。
【００９９】
同様に、標識済みレポーター・プローブとのハイブリダイゼーション（サンドイッチ・ハイブリダイゼーション）によって検出可能な標識（タグ）として、核酸を使用することも可能である。タグの検出には、プライマー伸長やライゲーション、ＲＣＡなどの様々な分子−生物学的検出反応を使用する。
【０１００】
本発明によるプローブ・アレイの代替の実施形態では、アンカー基を介してプローブに検出可能なユニットを結合する。使用されるアンカー基は、ビオチンやジゴキシゲニンなどが好ましい。後続の反応では、それ自体が検出可能であるかまたは検出可能な反応を引き起こすストレプトアビジン・コンジュゲートや抗体コンジュゲートなどの特異的に結合する構成要素とアンカー基とを反応させる。アンカー基を使用する場合、検出可能なユニットへのアンカー基の変換は、標的を含むサンプルの添加前、添加中、または添加後に実施可能なだけでなく、プローブ内の選択的に切断可能な結合の切断前、切断中、または切断後に実施可能である。しかし、検出可能なユニットへのアンカー基の変換は、製造したプローブ・アレイの品質を確認するために、プローブ・アレイの製造後、特にプローブの切断前に行うことが好ましい。
【０１０１】
本発明によれば、標識は、標識済みの分子とプローブ分子との相互作用によって行うことも可能である。標識は、例えば上述のように標識したオリゴヌクレオチドとオリゴヌクレオチド・プローブとのハイブリダイゼーションによって行うことが可能である。
【０１０２】
本発明において適切なその他の標識方法および検出システムは、例えば（ロットシュパイッヒ（Ｌｏｔｔｓｐｅｉｃｈ）およびゾルバス（Ｚｏｒｂａｓ）、Ｂｉｏａｎａｌｙｔｉｋ，Ｓｐｅｋｔｒｕｍ  Ａｋａｄｅｍｉｓｃｈｅｒ  Ｖｅｒｌａｇ、Ｈｅｉｄｅｌｂｅｒｇ、Ｂｅｒｌｉｎ  １９９８、Ｃｈａｐｔｅｒｓ  ２３．３および２３．４）に記載されている。
【０１０３】
本発明によるプローブ・アレイのさらなる代替実施形態では、ある特定の溶解度積を有する付加物が提供されて沈殿を生じる検出方法を使用する。難溶性で通常は着色された生成物へと変換可能な基質を、標識のため使用する。例えばこの標識反応では、難溶性生成物への基質の変換を触媒する酵素を使用することが可能である。アレイ要素上に沈殿物を生じるのに適したいくつかの反応、および考え得る沈殿物検出の可能性については、例えば（国際出願国際公開第０１／０７５７５号）に記載されている。
【０１０４】
本発明のさらに本質的な態様は、上述の本発明によるプローブ・アレイを調製するための方法であって、
ａ）標識ならびに該標識とプローブ分子のアレイ表面における固定化部位との間の選択的に切断可能な結合を有するプローブ分子を合成する工程と、
ｂ）プローブ分子内に定められた位置を介して該プローブ分子をアレイ表面に部位特異的に固定化する工程と
からなる。
【０１０５】
上記本発明によるプローブ・アレイを製造する方法の代替実施形態では、その製造は、アレイ表面の所定位置でプローブ分子をｉｎ  ｓｉｔｕ合成することによって行われ、
ａ）適切な試薬で活性化することが可能であるかまたは保護基を備えたアレイ表面を提供する工程と、
ｂ）合成しようとするプローブ分子のサブユニットを、好ましくはサブユニットを沈着させることによってアレイ表面の所定部位に結合または固定化する工程であって、好ましくはアレイ表面を活性化しまたはアレイ表面から保護基を除去（脱保護）してから該サブユニットを結合することによって所定部位に結合される工程と、
ｃ）標識ならびに該標識とプローブ分子のアレイ表面における固定化部位との間の選択的に切断可能な結合を組み込んで、工程ｂ）で結合または固定化したサブユニットに基づいてプローブ分子をｉｎ  ｓｉｔｕ合成する工程と
からなる。
【０１０６】
上記方法の工程ｂ）におけるアレイ表面の活性化に適切な試薬、またはアレイ表面に適切な保護基は、当業者に知られている。
アレイ表面への分子の固定化は、特異的にまたは非特異的に行うことが可能である。特異的な固定化は、固定化しようとする分子の特定の化学官能基と基質表面との相互作用の選択性を前提とする。特異的非共有結合による固定化の一例は、ビオチンで標識した核酸の、ストレプトアビジンで被覆された基質への結合である。アミノ修飾核酸は、該アミノ基とエポキシド、カルボキシ官能基、またはアルデヒドとの反応を介して特異的に固定化することが可能である。本発明による方法では、固定化は、プローブの末端リン酸基、またはアミノ化表面のバイオポリマー・プローブのモノマー構成単位を介して行うことが好ましい。
【０１０７】
非特異的な固定化は、多数のメカニズムおよび化学官能基を用いて行い、共有結合でも非共有結合でもよい。この点に関する一例は、ポリＬリジンへの核酸の固定化であるが、化学的に修飾されていない核酸の、エポキシド化しアミノ化した基材表面、またはアルデヒド官能基により占有された表面への固定化である。
【０１０８】
アレイ表面へのプローブの固定化は、共有結合によって行われることが好ましい。
本発明による調製手法に関連して、基材上の所定部位に少量の材料を沈着させる方法は数多く存在するが、そのいくつかを以下に詳細に述べる。そのような手法のいくつかは、例えば（ディー・ジェー，ロックハート（Ｄ．Ｊ．Ｌｏｃｋｈａｒｔ）、イー・エー，ウィンツェラー（Ｅ．Ａ．Ｗｉｎｚｅｌｅｒ）；Ｇｅｎｏｍｉｃｓ，ｇｅｎｅ  ｅｘｐｒｅｓｓｉｏｎ  ａｎｄ  ＤＮＡ  ａｒｒａｙｓ；Ｎａｔｕｒｅ、Ｖｏｌ．４０５、第８２７〜８３６頁、２０００年６月）に記載されている。（米国特許第６，０４０，１９３号）には、親水性構造の領域を利用して、キャピラリーから液滴を沈着させることによりアレイを設定可能な手法が記載されている。（欧州特許第０  ２６８  ２３７号）には、少量の材料の沈着などを同様に保証するジェット・ヘッドが記載されている。トランスファー・ニードルを用いた液滴の沈着は周知である。該ニードルは、万年筆のペン先と同様に、基材上の多数の部位に液体を沈着させることが可能なスリットを含んでもよい。（例えば、米国特許第６，２６９，８４６号、米国特許第６，１０１，９４６号、米国特許第６，２３５，４７３号、米国特許第５，９１０，２８８号参照）。（米国特許第４，８７７，７４５号）には、少量の材料をピペットで操作することによって分子アレイの製造を可能にする機器が記載されている。（米国特許第５，７３１，１５２号）には、多数の異なるプローブの沈着を同時に可能にするピペット操作用器具が記載されている。（米国特許第５，５５１，４８７号）には、分子プローブ・アレイを製造するためにインク・ジェット技術から取り入れたジェット・ヘッドが記載されている。表面に材料をスポット式に沈着させる特殊な器具も、特に（米国特許第５，８０７，５２２号）に記述され言及されている。電場を使用してプローブを固定化する可能性も、（米国特許第５，４３４，０４９号および国際出願国際公開第９７／１２０３０号Ａ１）からわかる。
【０１０９】
プローブ・アレイ製造の際に、プローブ分子内の定められた位置を介してアレイ上にプローブを固定化可能であるということから、不安定な結合が切断されると、標的との特異的な相互作用が生じなかったプローブの標識は表面から効率的に除去されうる。
【０１１０】
特に、本発明による方法は、不安定な結合と検出可能なユニットとの間の領域に、プローブと表面とのより安定な接触が形成されるのを回避する。
プローブと表面とのそのような特異的な結合は、個別かつ完全に、すなわち固定化前に合成されたプローブを固定化することによって、限られた範囲内でのみ確実に行いうる。その結果、そのような共有結合による固定化手法は、本発明による調製手法には好ましくない。これは、ある特定の適用例に関しては結合の十分な安定性が保証されない非共有結合によって固定化する方法でも同様である。
【０１１１】
一方、本発明では、表面上でプローブをｉｎ  ｓｉｔｕ合成することにより、プローブと表面との十分に規定された結合を実現可能であることがわかった。したがってプローブの合成は、特にオリゴヌクレオチド・プローブを使用する場合、アレイ表面の定められた位置でｉｎ  ｓｉｔｕで行うことが好ましい。
【０１１２】
表面上でのプローブ分子のｉｎ  ｓｉｔｕ合成は、固定化の特殊なケースである。この場合、ポリマー化合物のモノマーを表面に固定化するが、固定化は共有結合によることが好ましい。その後、プローブ分子を、表面でのｉｎ  ｓｉｔｕ合成により製造する。オリゴヌクレオチド・プローブの合成はｉｎ  ｓｉｔｕで、すなわちホスホロアミダイト構成単位を使用して固相で行うことが特に好ましい。
【０１１３】
本発明に関連する分子プローブ・アレイの調製に適するいくつかの手法について、特に核酸合成のためのホスホロアミダイト法を使用した手法について以下に述べる。これらの手法は、全ての請求項を完璧に表すものではなく単なる例示として詳述するものであり、他の手法およびその手法を発展させたものが知られており考案可能である。
【０１１４】
（特許文献５）には、プローブ要素を決定するためにフォトレジストを使用する方法が記載されている。（米国特許第６，００１，３１１号、米国特許第５，９８５，５５１号、および米国特許第０，５７４，７９６号）には、親水性の反応性領域と疎水性の非反応性領域とを有する特別に構成した基材を使用し、かつピペットを使用して、オリゴヌクレオチドおよびその他のポリマーを連続的に配列する方法が記載されている。（米国特許第５，８８５，８３７号、米国特許第５，３８４，２６１号、国際出願国際公開第９３／０９６６８号、国際出願国際公開第９７／３３７３７号、および国際出願国際公開第９８／３６８２７号）からは、表面上のある特定部位でポリマーを合成可能とするために、機械的な障壁が好適な可能性があることがわかる。（独国特許第１９７  ０６  ５７０号）には、モノマーまたは試薬のスポッティングが記載されている。（国際出願国際公開第９０／１５０７０号、欧州特許第０  ３８６  ２２９号、米国特許第５，４３６，３２７号、米国特許第５，６６７，６６７号、国際出願国際公開第９８／５６５０５号、および国際出願国際公開第９５／２１２６５号）から、合成によって構築されたプローブ・アレイも十分周知である。（米国特許第６，２３９，２７３号）では、プローブ・アレイの調製に、印刷技術による方法が適用されている。
【０１１５】
本発明による製造方法では、ホスホロアミダイト法によって行われるアレイのｉｎ  ｓｉｔｕ合成にできる限りスムーズに組み込まれて合成される不安定な結合が好ましい。選択的に切断可能な結合は、２つのヌクレオシドを架橋する修飾ホスホジエステル結合、例えば２つのヌクレオシドを架橋するホスホチオエート結合が特に好ましい。
【０１１６】
本発明によるプローブ・アレイのある特定の適用例に必要とされる、アレイ要素上の規定の標識度は、例えば、標識済みモノマー、好ましくはヌクレオチドモノマーと、非標識モノマー、好ましくは同じ反応性を有するヌクレオチドモノマーとの混合物を、好ましくは規定の比で、合成中に添加することによって実現可能である。
【０１１７】
本発明の別の目的は、プローブの合成のための、特に不安定な結合を合成するホスホロアミダイト法に従ったプローブの合成のための、適切なモノマー構成単位を提供することである。
【０１１８】
本発明によれば、この目的は、プローブ分子の不安定な結合の形成に使用可能な、核酸合成に適したモノマー構成単位の製造方法を提供することによって達成され、該方法は、
ａ）脱離基として適切な酸を用いてヌクレオシドの５’−ＯＨ基をエステル化する工程と、
ｂ）該エステルとチオエステルを反応させる工程と、
ｃ）該チオエステルをけん化してチオールを形成する工程と、
ｄ）リン酸トリエステル法またはホスホロアミダイト法に適した保護基で該チオール官能基を保護する工程と、
ｅ）リン酸トリエステル法またはホスホロアミダイト法を使用して、保護されたチオールの３’位を活性化する工程と
からなる。
【０１１９】
核酸合成に適切なモノマー構成単位を製造するための本発明の別の方法では、リン酸トリエステル法またはホスホロアミダイト法に適した保護基を介してヌクレオシドにイオウを導入する。本発明によるそのような方法は、
ａ）リン酸トリエステル法またはホスホロアミダイト法のための保護基として適切な化合物、好ましくはトリフェニルメタノールやジメトキシトリフェニルメタノールなどのアルコールを反応させて、チオールを形成する工程と、
ｂ）脱離基として適切な酸を用いてヌクレオシドの５’−ＯＨ基をエステル化する工程と、
ｃ）工程ａ）からのチオールと工程ｂ）からのエステルとを反応させる工程と、
ｄ）リン酸トリエステル法またはホスホロアミダイト法を使用して、保護されたチオールの３’位を活性化する工程と
からなることが好ましい。
【０１２０】
適切な試薬および反応条件は、特に実施例１および１４に記述される合成を考慮すれば、当業者に知られている。特に、ＤＭＴｒ−（ジメトキシトリチル）、ＭＭＴｒ−（モノメトキシトリチル）、Ｔｒ−（トリチル）、９−フェニルキサンテン−９−イル−、ピキシル基、およびシリル基が、保護基として適切である。適切な脱離基は、特にトシレート、メシレート、および塩化物である。
【０１２１】
（エム，マーグ（Ｍ．Ｍａｇ）、エス，リュッキング（Ｓ．Ｌｕｃｋｉｎｇ）、およびジェー・ダブリュ，エンゲルス（Ｊ．Ｗ．Ｅｎｇｅｌｓ）、Ｎｕｃｌｅｉｃ  Ａｃｉｄｓ  Ｒｅｓｅａｒｃｈ（１９９１）Ｖｏｌ．１９、Ｎｏ．７  １４３７〜１４４１）には、化合物トリチル−５’−Ｓ−チミジンが記載されている。上記の構成単位を、リン酸ジエステル法によりオリゴヌクレオチドの合成に使用する場合、通常トリチル基は、合成の継続を可能にするために、合成サイクル中に硝酸銀水溶液により切断される。切断用水溶液を使用する場合、開裂は一般に合成装置では行わないが、これはオリゴヌクレオチド合成を無水条件下で行わなければならないからである。合成装置で切断する際は、トリチル基を切断した後で特定の洗浄プログラムを実行しなければならない。形成されたＳ−Ｓ結合を還元するために、さらに溶媒として水も含有するＤＴＴ溶液を使用することによって、後続の合成シーケンスで生じる結合も減少する。したがって修飾５’−チオ−アミダイトのトリチル保護基の代わりに、標準的なサイクルでＴＣＡまたはＤＣＡにより切断を行うことが可能な４，４’−ジメトキシトリチル保護基を使用することが好ましい。
【０１２２】
本発明の別の対象は、５’−Ｓ−（４，４’−ジメトキシトリチル）−メルカプト−５’−デオキシヌクレオシド−３’−Ｏ−（２−シアノエチル，Ｎ，Ｎ’−ジイソプロピルホスファイト）など、本発明による上記合成によって生成されたモノマー構成単位からなる。
【０１２３】
本発明による別のモノマー構成単位は、高収率で製造可能な５’−Ｓ−９−［４−メトキシフェニル］キサンテン−９−イル］メルカプト−２’−デオキシヌクレオシド−３’−Ｏ−（２−シアノエチル，Ｎ，Ｎ’−ジイソプロピルホスファイト）である。
【０１２４】
あるいは、ホスホロアミダイト合成用の構成単位として、相応のダイマーを提供可能である。ダイマーを使用する場合、４，４’−ジメトキシトリチル基の切断がちょうど硫黄による修飾に過剰になり、もはや必要ではなくなり、したがってジスルフィド結合も形成されなくなるので、ダイマーを使用することにより、収量の改善と、結合時間を延ばした標準サイクルの使用が可能である。例示的なダイマーの合成を実施例１２で述べる。
【０１２５】
したがって本発明の別の対象は、下記の式ＩＩＩを有し、とりわけ例えばホスホロアミダイト法により上記モノマー構成単位から製造可能なヌクレオチドダイマーである。
【０１２６】
【化４】
2005500855.tif 000006
（式中、Ｒ１は、ＤＭＴｒ−（ジメトキシトリチル）、ＭＭＴｒ−（モノメトキシトリチル）、Ｔｒ−（トリチル）、９−フェニルキサンテン−９−イル、ピキシル、およびシリルの各基からなる群から選択されることが好ましく、Ｒ２およびＲ６は、互いに独立にＡ、Ｇ、Ｃ、Ｔ、およびＵを表すことが好ましく、Ｒ３は、Ｏ、Ｓ、およびＮＨからなる群から選択されることが好ましく、Ｒ４は、Ｈ、ＯＨ、およびＯ−アルキルからなる群から選択されることが好ましく、Ｒ５は、Ｏ、Ｓ、およびＮＨからなる群から選択されることが好ましく、Ｒ８は、Ｈ、ＯＨ、およびＯ−アルキルからなる群から選択されることが好ましく、Ｒ７は、式ＩＶおよびＶの下記の２つの基の一方から選択されることが好ましい。）
【０１２７】
【化５】
2005500855.tif 000007
上述の式Ａ１−Ｓ−Ａ２を有する核酸からなるプローブ分子を構築するために、本発明による製造工程において、式ＩＩＩを有する本発明のダイマーをヌクレオチドダイマーＳとして使用することも可能であることは明らかである。
【０１２８】
本発明によるプローブ・アレイの構築または本発明の方法によって製造したアレイでは、従来実現されなかった、信頼性があり、程度を容易にモニタしうる標準化が可能になり、したがって高水準の品質が可能になる。プローブ・アレイ上のプローブには、アレイの調製中に標識が設けられるので、製造したアレイの品質を、簡単な撮像手法を用いて確認することが可能である。特定のスポットの強度が、問題のプローブの合成および固定化効率の尺度である。
【０１２９】
製造したアレイの品質管理を実施することが可能であるうえに、その他の利点は、本発明によるアレイ・プローブを使用して得られた測定結果の標準化が可能であり、したがって測定結果の検証が可能であることからなる。したがって例えば、無作為な機能試験、いわゆる標準アッセイを実施することが可能である。その場合、例えば濃度および組成が定められた標的の混合物を、プローブ・アレイまたはチップと相互作用させることができ、その後検出反応を行うことが可能である。標的と選択的に相互作用しなかったプローブを切断した後に、プローブと標的との相互作用の結果を、撮像手法を用いて実証する。標的を添加する前と後の実験を比較することによって、問題となっているプローブの固定化または合成の質に関して所見を述べることが可能になる。
【０１３０】
さらに、本発明によるプローブ・アレイは特別な構造であるので、アッセイの標準化評価が可能である。これは、実験の異なる時点での視覚的な記録、すなわちサンプル添加前に得られる記録およびプローブと標的との相互作用の後に得られる記録を、本発明によるプローブ・アレイを使用することによって得られることに基づく。適切な数学的手順によって、これらのデータおよびアレイの品質管理の際に得られたデータを含めることにより、アレイの適用分野ではこれまで実現されなかった程度にまで実験結果を標準化し検証することが可能になる。したがって本発明によるプローブ・アレイにより、アレイの実験において新しい品質レベルの実現が可能となり、アレイ技術の新たな適用分野が広がる。
【０１３１】
製造したプローブ・アレイに関する品質試験、本発明によるプローブ・アレイを使用した場合のプローブ／標的相互作用の検出の標準化および正規化の方法も本発明の対象であり、以下に詳細に述べる。
【０１３２】
したがって本発明の別の態様は、上記プローブ・アレイ、すなわち上記方法によって製造したプローブ・アレイの品質を試験する方法であって、
ａ）本発明によるプローブ・アレイを提供する工程と、
ｂ）アレイ表面に固定化した合成済みのプローブ分子を検出する工程と
からなる方法に関する。
【０１３３】
品質管理のための本発明による方法の利点は、さらなる工程を必要とせずに、各アレイを製造した後に各アレイの品質を決定することが可能であることである。このことは、プローブ・アレイの完成後にはプローブ・アレイ上のプローブには検出可能なユニットが確設けられているという点で保証されている。
【０１３４】
品質管理に関しては、例えば蛍光標識および／または放射性標識を使用するなど、直接検出可能な標識が好ましい。しかし代替の実施形態では、２次反応によって検出可能なアンカー基またはユニットを使用することも可能である。
【０１３５】
通常、個々のアレイ要素の占有密度は、その完成後、標識から生じるシグナルの強度に基づいて各アレイごとに決定する。これは、グレイスケールの形式でシグナル強度を示す撮像方法を用いて行うことが好ましく、次いでこの強度を、例えばＩｃｏｎｏｃｌｕｓｔ（商品名）（クロンディアク（Ｃｌｏｎｄｉａｇ）、［ドイツ、イェナ所在］）やＱｕａｎｔａｒｒａｙ（登録商標）（ジー・エス・アイ  ルモニクス（ＧＳＩ  Ｌｕｍｏｎｉｃｓ））などの適切なソフトウェア・ツールで定量的に評価することが可能である。この代わりに直接的な非撮像方法を使用することも可能である。
【０１３６】
個々のアレイを連続的に調製する際、各チップを個々に視覚的に記録することが可能である。アレイの調製を、例えばウェハ・スケールで並行して行う場合、その占有密度は、ウェハ全面にわたって解像度の高い手法を用いることにより、各チップを個別にまたは並行して決定することが可能である。
【０１３７】
本発明によれば、実験を行うには不適切または限られた範囲にしか適さないアレイを特定するために、占有密度の分析を使用する。これらのアレイには、例えば、
占有密度が低すぎるアレイ要素、
製造されたアレイ上のアレイ要素の平均（と予測される）占有密度に比べて過度に逸脱した占有密度を有するアレイ要素、
アレイ上の不均質な占有密度を有するアレイ要素、
シグナルのないアレイ要素
が含まれる。
【０１３８】
これらの値は、アレイを廃棄するためにまたは使用できないアレイ要素を標識するために使用することが好ましい。品質管理の結果は、必要ならアレイの調製および使用に重要なその他のデータと共に、例えばＰａｒｔｉｓａｎ（商品名）（クロンディアク（Ｃｌｏｎｄｉａｇ））などのデータベースに保存することが可能である。廃棄したアレイは、フラグによって印を付けることが可能であり、したがって使用が防止される。
【０１３９】
占有密度の評価は、コンピュータで支援されかつ／または自動化された手法で行うことが好ましい。アレイの廃棄かつ／または不適切なアレイ要素の標識の閾値は、所望のアレイ用途に応じて異なる。
【０１４０】
本発明のさらに本質的な態様では、プローブ・アレイ上でのプローブと標的との分子相互作用によって、サンプルから標的を定性的かつ／または定量的に検出するための方法であって、
ａ）上述の本発明によるプローブ・アレイを提供する工程と、
ｂ）任意選択で、アレイ表面に固定化したプローブ分子をシグナル強度の形で検出する工程と、
ｃ）分析使用とするサンプルと共にプローブ・アレイをインキュベートする工程と、
ｄ）任意選択で、標的分子とプローブ分子との特異的な相互作用が非常に安定した状態にありかつ非特異的に結合している標的は除去される条件下で洗浄する工程と、
ｅ）任意選択で、再びシグナル強度の形で検出を実施する工程と、
ｆ）プローブ分子内の選択的に切断可能な結合を選択的に切断する工程と、
ｇ）任意選択で、標的分子との相互作用によってアレイ表面に保持されていない標識済みプローブ分子断片を除去するために、洗浄する工程と、
ｈ）標的分子との相互作用によってアレイ表面に残っている標識済みプローブ分子断片を、シグナル強度の形で検出する工程と、
ｉ）任意選択で、工程ｈ）で検出されたシグナル強度を標準化する工程と
からなる方法が提供される。
【０１４１】
プローブ・アレイ上のプローブ／標的相互作用を検出するための従来の方法に比べ、本発明による方法には２つの主な利点がある。
その１つは、標的を標識する必要がもはやまったくないことである。その結果、標的を標識する過程で生じうる上記すべての誤差およびばらつきが、完全に回避される。
【０１４２】
別の利点とは、本発明のアレイのアレイ要素が、標識または検出可能なユニットを備えていることである。したがってアレイの品質を、個々のアレイ要素のレベルで、検出実験前に上述のように決定することが可能である。個々のアレイ要素に関してこのように得られたシグナル強度は個々のアレイ要素の占有密度に相当し、実験結果、すなわちプローブ／標的相互作用の後に得られたシグナル強度の正規化に使用することが可能である。
【０１４３】
このように、アレイを用いるアッセイの不正確さの本質的な原因を、本発明による検出方法によって排除することが可能である。
一般に、本発明の方法の使用者が標準化に必要とされる占有密度をすぐに利用できるように、アレイの品質は、製造後すぐに制御される。その場合、本発明による方法の工程ｂ）は不要である。望むなら、本発明による検出方法の一部として、アレイを使用するときに工程ｂ）で任意選択で検出されたシグナル強度を使用して、準備したアレイの品質を再びまたは初めてチェックすることが可能である。
【０１４４】
結果の標準化または正規化が確実に行われるいくつかの別の実施形態について、以下に述べる。本発明の範囲内で、正規化または標準化とは、プローブ・アレイ上で検出されたシグナル強度の比較可能性が確かであることを意味し、一方、標準化とは、異なるアレイについて行われた実験の比較可能性が確かであることを意味する。
【０１４５】
アレイ実験の正規化は、本発明によるアレイの上記特定の性質に基づく。この点について、本発明によるアレイの構造により、アレイ実験の評価に関する様々な可能性がもたらされる。標準化の程度は、具体的な実験または検出方法の要件に適合させることが可能であり、良いか悪いかの予測を得る分析よりも定量分析の場合のほうが高くなる。
【０１４６】
一実施形態において、問題のアレイ要素の占有密度の尺度を表すシグナル強度Ｓ０は、アレイの品質管理の際に各アレイ要素ごとに決定されるが、このシグナル強度は、問題のアレイ要素の占有密度の尺度を表すものである。これらのシグナル強度を数学的に補正係数ｋａに変換して、実験終了後に個々のアレイ要素ごとに測定されたシグナル強度を正規化するために使用する。
【０１４７】
ｋａは、全アレイ要素のシグナル強度Ｓ０の平均を求め、その全アレイ要素の平均シグナル強度を各アレイ要素のシグナル強度Ｓ０で除することによって決定することが好ましい。別例として、実験前のアレイ要素のシグナル強度Ｓ０から別の数学的関連付けを確立することによって、ｋａを決定する。
【０１４８】
本発明によれば、標的との相互作用、不安定な結合の切断、および任意選択の洗浄の後に、アレイ要素の異なる占有密度によって生じたシグナル強度Ｓ１のばらつきを補正するために補正係数ｋａを使用することが可能である。補正されたシグナル強度をＳ２とする。
【０１４９】
最も単純な場合、Ｓ２は、ｋａとの数学的関連付けによりＳ１から計算する。数学的関連付けは、掛算であることが好ましい。数学的関連付けのタイプは、それぞれのアレイ・タイプおよびそれぞれのサンプル・タイプに合わせて実験により最適化することが特に好ましい。
【０１５０】
本発明による検出方法の一実施形態において、工程ｉ）の標準化は、工程ｈ）で得られたシグナル強度と、工程ｂ）の品質試験の際に得られたシグナル強度を用いて決定可能な補正係数との数学的関連付けを用いて行う。
【０１５１】
Ｓ２の計算では、ｋａ以外に別の係数を考慮することが可能である。例えば、サンプルとアレイのインキュベーションの開始時点から生じる可能性のある、実験によるばらつきに対する標準化は、アレイ表面全体に分布したアレイ要素、すなわち上述の対照プローブが配置されているアレイ要素を用いて行うことが可能である。以後、そのようなアレイ要素を対照要素とも呼ぶ。例えばオリゴヌクレオチド・プローブをプローブ分子として使用する場合、対照オリゴヌクレオチド・プローブに相補的な配列を有する標的とのハイブリダイゼーション、不安定な結合の切断、および任意選択で行われる洗浄の各工程の後、これら対照要素に関してシグナル強度を決定し、任意選択で、ｋａとの数学的関連付けにより正規化する。
【０１５２】
任意選択でｋａとの数学的関連付けにより正規化されたシグナル強度は、すべての対照要素に関して同じであるべきである。偏差が大きい場合は、制御係数ｋｅを各アレイ要素ごとに計算し、それによって、アレイ上に異なる輝度の領域をもたらす実験のばらつきに対する正規化が可能になる。補正係数ｋｅは、アレイ要素に隣接する対照要素の、任意選択でＫａとの数学的関連付けにより正規化されたシグナル強度の偏差から計算し、これによりアレイ要素と対照要素との距離が考慮される。補正係数は、（セリンガー，ディー・ダブリュ（Ｓｅｌｉｎｇｅｒ  Ｄ．Ｗ．）、チョング，ケー・ジェー（Ｃｈｅｕｎｇ  Ｋ．Ｊ．）、マイ，アール（Ｍｅｉ  Ｒ．）、ヨハンソン，イー・エム（Ｊｏｈａｎｓｓｏｎ  Ｅ．Ｍ．）、リッチモンド，シー・エス（Ｒｉｃｈｍｏｎｄ  Ｃ．Ｓ．）、ブラットナー，エフ・アール（Ｂｌａｔｔｎｅｒ  Ｆ．Ｒ．）、ロックハート，ディー・ジェー（Ｌｏｃｋｈａｒｔ  Ｄ．Ｊ．）、チャーチ，ジー・エム（Ｃｈｕｒｃｈ  Ｇ．Ｍ．）、Ｎａｔ．Ｂｉｏｔｅｃｈｎｏｌ．２０００  Ｄｅｃ；１８（１２）、第１２６７ページ）に記載されているアルゴリズムに従って計算することが好ましい。
【０１５３】
Ｓ２は、ｋａおよびｋｅの数学的関連付けによりＳ１から計算することが好ましい。あるいはＳ２を、ｋｅとの数学的関連付けによりＳ１から計算することが好ましい。
したがって本発明による検出方法の別の実施形態では、工程ｈ）で得られたシグナル強度と、品質試験の際にシグナル強度に基づいて決定された補正係数および／または対照要素のシグナル強度を用いて決定された補正係数との数学的関連付けによって、標準化が実施される。
【０１５４】
バックグラウンド・シグナルに対する補正は、標準化評価の別の実施形態である。この目的のためには、サンプル由来の標的と相互作用しないかまたは検出可能な相互作用はしないプローブが配置されているアレイ要素を使用する。以降、これらのアレイ要素をバッククラウンド要素とも呼ぶ。ハイブリダイゼーション工程、不安定な結合を切断する工程、および任意選択で行う洗浄工程の後、これらバックグラウンド要素のシグナル強度を測定し、必要ならｋａおよび／またはｋｅとの数学的関連付けによって正規化し、すべてのアレイ要素のシグナル強度から差し引く。
【０１５５】
バッククラウンド要素のシグナル強度をＳ１から差し引くことが好ましい。Ｓ１’は、補正されたシグナル強度Ｓ２’が得られるように、上記実施形態の１つによりｋａ、ｋｅまたはｋａ）およびｋｅで補正可能な結果である。
【０１５６】
また、補正したシグナル強度Ｓ２’を、Ｓ２からバックグラウンド要素のシグナル強度を差し引いて得ることが好ましい。
本発明による検出方法の別の実施形態では、標準化は、工程ｈ）で得られたシグナル強度からバックグラウンド要素について検出されたシグナル強度を差し引くことによって行い、必要なら上述のように補正する。
【０１５７】
特に定量分析では、アッセイの特性曲線に対して結果を正規化すること、すなわち存在する検出可能なユニットの量にシグナル強度が相関することが有利である。このような正規化では、プローブが少なくとも１つ、好ましくはいくつかのアレイ要素上に配置されたプローブ・アレイを使用し、該プローブは、標識されるが選択的に切断可能な結合を持たないものであり、かつ該プローブは、例えばアレイ要素ごとの希釈系列の形式で変わるように定めた標識プローブと非標識プローブとの混合物を用いて、その標識度が特徴的に異なることが好ましい。そのようなアレイ要素を、以後、検出標準要素と呼ぶ。
【０１５８】
検出の標準化は、あるアレイ要素に関して得られたシグナル強度と、選択的に切断可能な結合を持たないオリゴヌクレオチド・プローブおよび／またはアレイ表面に直接結合された検出可能なユニットが配置されたアレイ要素のシグナル強度とを比較することによって、行うことが好ましい。
【０１５９】
そのような実験が終了したら、対応する検出標準要素のシグナル強度を決定し、任意選択でバックグラウンドを差し引き上述の補正係数で補正することによって正規化する。任意選択で正規化した検出標準要素の値を、標識済みの物質と非標識物質との混合比に対してプロットする。この結果、ダイナミック・レンジと、シグナル強度と検出可能なユニットの量との相互依存のタイプを示す較正曲線、いわゆるアレイの特性曲線が得られる。
【０１６０】
一方では、この特性曲線を使用して、動的領域外にある定量化できない値を特定し、任意選択でそれらの値を分析から除外することが可能である。他方では、ある一定量の検出可能なユニットを、その他すべてのシグナル強度に割り当てることが可能である。
【０１６１】
このため定量分析ならびに異なるアレイで実施された実験の比較も可能になる。要件に応じて、上述の正規化および標準化の方法の中からいくつかの方法を選択し、それらを個別にまたは任意の所望の組合せで実施することが可能である。
【０１６２】
したがって本発明による方法は、標的分子の標識を省略可能な、プローブ・アレイ上での相互作用の検出方法だけでなく、そのような検出に適したプローブ・アレイを調製して品質をモニタする工程と、このアレイをアッセイで利用する工程と、結果を評価し標準化する工程とからなる方法である。
【０１６３】
好ましい一実施形態において、プローブ・アレイのインキュベーションは、標識していない標的のみからなるサンプルと共に行う。特定の適用例では、例えば本発明による方法と比較して従来の検出方法を較正する目的で、標識済み標的混合物を使用することも可能である。
【０１６４】
必要であれば、プローブ・アレイとのインキュベーションの前に、適切な酵素、物理的および／または化学的手法によって、標識していない標的を断片化する。
本発明による方法の好ましい実施形態によれば、標的とプローブとの相互作用は、２つのヌクレオチド配列同士のハイブリダイゼーションである。標的と、プローブ・アレイ上に配置されたプローブとのハイブリダイゼーションは、既知の標準的なプロトコルのいずれか１つに従って行う（特に非特許文献１４参照）。例えば、サンプルとアレイとのインキュベーションは、水性ハイブリダイゼーション緩衝液またはホルムアミドを含有するハイブリダイゼーション緩衝液中で行う。ＳＳＣ、ＳＳＰＥ、またはリン酸緩衝液を主成分とし、特に好ましくは塩化ナトリウムまたは硝酸ナトリウムを含有する水性ハイブリダイゼーション緩衝液を使用することが好ましい。
【０１６５】
得られるハイブリッドは、例えばソラレンのインターカレーションおよびその後の架橋などの共有結合によって、または（米国特許第４，５９９，３０３号）に記載されるように、例えば結合インターカレーターなどの非共有結合によって、安定させることが可能である。
【０１６６】
標的と、プローブ・アレイ上に配置された標識済みプローブとのハイブリダイゼーションの後、通常は洗浄工程を実施して、非特異的な、したがってそれほど強力には結合していない成分を除去する。本発明による方法の場合、標的は標識されていないので、別例として洗浄工程を省略することが可能であるが、その理由は、非特異的に結合した標的は切断プローブ／標的複合体を安定化しないからである。アレイと標的との相互作用の後におそらくは必要となる洗浄工程は、ＳＳＣ、ＳＳＰＥ、またはリン酸ベースの緩衝系、あるいは当業者になじみのあるその他の適切な緩衝系で、非特異的な相互作用を不安定化しつつ特異的な相互作用には比較的のない条件下で実施することも可能である。
【０１６７】
別例として、標的とプローブとの相互作用は、抗原構造物とそれに対応する抗体もしくはその超可変セグメントとの反応、またはレセプターと対応するリガンドとの反応である。プローブ分子がポリペプチドである場合、アミド結合の選択的修飾は、選択的に切断可能な結合を用意するための適切な手段である。
【０１６８】
標的とプローブとの相互作用、または特異的プローブによる標的の結合もしくは認識は、通常、最適な条件下での自然発生的な非共有結合反応である。これには、非共有化学結合も含まれる。媒体の組成とその他の化学的および物理的要因が、結合の速度および強度に影響を及ぼす。したがって、例えば核酸を認識する際のストリンジェンシーが高くなると、完全に相補的ではない２本の鎖の間の結合の反応速度および強度が低下する。結合条件の最適化は、抗原／抗体またはリガンド／レセプター相互作用についても必要であるが、結合条件は通常それほど特異的ではない。
【０１６９】
本発明による方法の場合、通常、不安定な結合の切断は、切断されていないハイブリッドと、切断後に存在するが１本鎖の破断のためそれほど安定ではないハイブリッドとのいずれも保持される条件下で生じる。そのような条件は、特に高イオン強度および／または低温によってもたらされる。
【０１７０】
選択的に切断可能な結合は、化学的および／または物理的方法によって選択的に切断されることが好ましく、酸の陰イオンや塩基の陽イオン、フッ化物イオン、ならびに／または水銀イオンおよび／または銀イオンなどの重金属イオンを添加することによって選択的に切断することが特に好ましい。
【０１７１】
切断しようとする結合が２つのヌクレオシドを架橋するホスホチオエート結合である場合、この結合は、ヨウ素および／または銀イオンや水銀イオンなどの重金属イオンによる酸化攻撃によって切断することが可能である。この結合の切断は銀イオンによって行うことが好ましく、硝酸銀で行うことがより好ましい。切断に使用される溶液は、ハイブリッドを安定させるため、高イオン濃度であることが好ましい。
【０１７２】
ハイブリッドを安定化するのに必要なイオン強度は、銀イオンとともに難溶性の塩を形成しない塩によって実現させることが好ましい。硝酸ナトリウムが特に好ましい。切断緩衝液中の、特に硝酸ナトリウムなどイオン強度を高めるための塩の最終濃度は、その飽和溶液から１０ｍＭまで、好ましくは１００ｍＭから２Ｍまで、特に好ましくは、５００ｍＭから１Ｍまでの範囲である。
【０１７３】
切断反応は、−７０℃〜１００℃の温度で行うことが好ましく、−２０℃〜５０℃が特に好ましく、０℃〜２０℃が最も好ましい。
切断溶液中の硝酸銀の濃度は、特にその飽和溶液から１μＭまでの範囲である。硝酸銀溶液は、その濃度が１Ｍ〜５ｍＭの間であることが好ましく、１０〜５０ｍＭの間の溶液を使用することが特に好ましい。
【０１７４】
切断しようとする結合が架橋されたホスホチオエートである場合、およびこの結合が銀イオンで切断される場合、銀とともに難溶性の生成物を形成するイオンは、好ましくは切断反応の前に除去すべきである。これは、例えばそのようなイオンを含有しない緩衝液で洗浄することによって、好ましくは５Ｍ〜１０ｍＭの硝酸ナトリウムで洗浄することによって、特に好ましくは１Ｍの硝酸ナトリウムで洗浄することによって実現される。
【０１７５】
本発明による検出方法の代替の実施形態では、工程ｇ）、すなわち標的分子との相互作用によってアレイ表面に保持されていない標識済みプローブ分子断片を除去するための洗浄工程を、省略することが可能である。対応する洗浄を行わないそのような均一アッセイの準備では、例えば結合している標識と結合していない標識のシグナルを明確に区別することが可能な蛍光偏光測定などの、当業者に知られている適切な測定技法を使用する。洗浄工程ｇ）を行わないそのようなアッセイの実行におけるその他の代替例は、表面上のシグナルのみを検出する共焦点の光学構造を使用する。
【０１７６】
プローブ・アレイの例として述べた本発明による検出方法が、少なくとも１つの標識および少なくとも１つの選択的に切断可能な結合からなる上記プローブ分子が用いられる、アレイをベースとしないその他の方法にも使用可能であることは明らかである。
【０１７７】
本発明による検出原理の、マイクロタイター・プレート・アッセイおよび反応容器内でのアッセイ、いわゆるチューブ・アッセイへの適用について、以下に述べる。特定の担体系に対する上記プローブ分子の固定化および合成は、本発明によるプローブ・アレイの製
造方法と同様に実施される。アレイ基材の代わりに例えばマイクロタイター・プレートや反応容器などを使用することから生じるどのような手順の相違も、当然ながら当業者になじみのあるものである。
【０１７８】
マイクロタイター・プレート、または容器底部、または容器壁面に固定化された、選択的に切断可能な結合またはユニットを備えたプローブを、マイクロタイター・プレートおよび反応容器中で使用することは、２つの実施形態に細分することが可能である。
【０１７９】
一方では、例えば色素や金粒子、ラテックス・ビーズなどで上記のように標識されたプローブの相互作用の検出は、標的を用いて、プローブ・アレイについて例として上述した手順と同様の手法で、切断反応後に容器表面に残された標識を検出することにより行うことが可能である。
【０１８０】
この実施形態では、検出は、標識に特異的なシグナル、例えば該当する色素の場合は蛍光を測定することによって、洗浄終了後に行うことが可能である。対応する洗浄を行わない均一アッセイも可能である。この場合の準備は、結合した標識と結合していない標識のシグナルを明確に区別することが可能な蛍光偏光測定などの適切な測定技法を使用することである。そのようなアッセイを実施する際の別の代替例は、表面のシグナルのみを決定する共焦点光学構造を使用することである。いくつかの標識に特異的な方法が現況技術において既に論じられており、アレイを用いるアッセイと同様にマイクロタイター・プレートまたは容器を用いるアッセイに使用することも可能であると考えられる。
【０１８１】
他方では、プローブと標的との相互作用の検出は、切断反応後に溶液中に存在する標識を検出することによって行うことが可能である。この実施形態では、容器内で１つの標的を分析するだけなら溶液中での検出により標的に特異的なシグナルが得られ、または異なる複数の標的を分析する場合は異なる標識済みプローブを用いて、例えば４つのプローブに４つの色素を使用して、それぞれ検出する。
【０１８２】
溶液中での検出には、非常に簡単な構造物で感度の良い測定を確実に行うことが可能であるという利点があり、表面に対する標的の結合の相違がごくわずかであると仮定し得る場合に特に有用であり、したがって固定化シグナルの比較測定では強い陽性シグナルが得られ、シグナルのごくわずかな変化は問題ではない。均一アッセイは、結合シグナルと非結合シグナルとの区別が可能な検出方法、例えば共焦点相関分光法や蛍光偏光測定などを選択する場合、このように実現することも可能である。
【０１８３】
標的を標識する必要がなく、均一アッセイを実施することが可能であることは、この方法の本質的な利点であり、例えばマイクロタイター・プレート上や反応容器内で使用可能であることも明らかである。
【０１８４】
本発明の別の対象は、プローブ・アレイ上でのプローブと標的との分子相互作用によって、サンプルから標的を定性的かつ／または定量的に検出するためのキットであって、以下の構成要素、すなわち
ａ）本発明によるプローブ・アレイと、
ｂ）プローブ内の選択的に切断可能な結合を選択的に切断する試薬と、
ｃ）ハイブリダイゼーション緩衝液と、
ｄ）任意選択で洗浄緩衝液と
からなるキットである。
【０１８５】
試薬は、例えば水銀イオンおよび／または銀イオンなどの重金属イオンからなる群から選択することが好ましい。
キットの好ましい実施形態では、本発明によるプローブ・アレイは、反応チャンバ、および／または検出器、および／または温度制御ユニット、および／または光源からさらになる。
【０１８６】
検出器は、蛍光顕微鏡、アレイ用レーザ・スキャナ、顕微鏡、およびＣＣＤベースのスキャナからなる群から選択することが好ましく、一般にプローブ・アレイの全範囲を記録する。
【０１８７】
光源は、レーザ、レーザ・ダイオード、および相応のフィルタを備えた白色光源からなる群から選択することが好ましい。
特に好ましい実施形態では、プローブ・アレイおよび反応チャンバ、および／または検出器、および／または温度制御ユニット、および／または光源は、高度に統合された自律的ユニットの形をとる。
【０１８８】
本発明によるプローブ・アレイ、および／または本発明による検出方法、および／または本発明によるキットは、特に細胞の遺伝子型の状態および／または生理的状態の分析をするために、プローブと標的との分子相互作用によってサンプルから標的を定性的かつ／または定量的に検出するのに使用することが可能である。
【０１８９】
本発明の範囲内で、オリゴヌクレオチドが固定化かつ／または部位特異的に合成され、該オリゴヌクレオチドがその固定化位置の反対側に標識を有しているプローブ・アレイが提供される。固定化位置と標識位置の間には、そのほぼ中央に、不安定な結合、例えば架橋されたホスホチオエート結合が存在することが好ましい。
【０１９０】
本発明によるプローブ・アレイを、特異的な相互作用、例えばハイブリダイゼーションが可能な条件下でサンプルと共にインキュベートする。プローブ・アレイのプローブに対して親和性を有する標的は、そのプローブに結合することになる。必要なら、非特異的に結合した標的を除去する工程を実行する。表面上の標識の分布を詳細に記録して、撮像手順を使用して製造したプローブ・アレイの品質試験をすることが好ましい。その後、不安定な結合を、例えば銀イオンを添加することによって切断する。これは、標的とプローブとの相互作用により切断の後でも標識が確実に保持されるように、標的とプローブとの特異的な相互作用が十分安定な条件下で行う。標的との特異的な相互作用が起こらない、または標的との相互作用がまったく起こらないプローブは、切断によってその標識を失うことになる。変換の結果は、撮像手順によって詳細に記録することが好ましい。サンプル中の標的の存否は、結合が切断された後の個々のプローブの標識強度から推定することが可能である。
【０１９１】
標的分子の標識がもはや必要ではないので、本発明によるプローブ・アレイによって時間とコストの大幅な節約を実現することが可能である。さらに、標識はもはや未知の標的分子の性質に左右されないので、検出結果が比較可能になる。別の利点は、プローブ・アレイ上のプローブを容易に標準化することが可能であり、特に自動化も可能になることである。さらに、標識済みプローブは、プローブ・アレイ上でプローブの合成および固定化を行うための品質管理をも同時に意味する。最後に、標的の代わりにプローブを標識することによって、画像評価の標準化も確実に行われる。
【発明を実施するための最良の形態】
【０１９２】
以下の実施例および図面は、本発明を例示する役割をするものであり、限定するものと解釈すべきではない。
（実施例）
【実施例１】
【０１９３】
［５’−Ｓ−（ジメトキシトリチル）−メルカプト−５’−デオキシチミジン−３’−Ｏ−（２−シアノエチル，Ｎ，Ｎ’−ジイソプロピルホスファイト）の合成］
実施例１によるホスホロアミダイト構成単位の合成は、以下の合成スキームによる５工程で行う（図１も参照）。
【０１９４】
チミジンをピリジンに懸濁し、０℃に冷却する。３０分間かけて、ｐ−トルエンスルホニルクロリドをピリジンに溶かした溶液を１滴ずつ添加し、その溶液を一晩、４℃で撹拌する。この溶液を氷冷水に注ぎ、得られた沈殿物を吸引ろ過し、次いでジクロロメタンに溶解して、５％炭酸一ナトリウム溶液で２回、飽和塩化ナトリウム溶液で１回抽出する。有機相を硫酸ナトリウムで脱水し、ロータリ・エバポレータで処理する。収率は６８％である。
【０１９５】
５’−Ｏ−（ｐ−トリルスルホニル）−チミジンおよびチオ酢酸カリウムをアセトンに懸濁し、アルゴン雰囲気中で５０℃で３時間加熱する。次いで懸濁液を室温で１６時間撹拌する。沈殿物を吸引ろ過し、再び少量のアセトンで洗浄する。溶液をロータリ・エバポレータで処理した後、残留物をカラム・クロマトグラフィーにより精製する（溶媒  ジクロロメタン：メタノール  ９：１）。収率は５８％である。
【０１９６】
５’−Ｓ−（アセチル）−チミジンをメタノールに溶解し、５Ｍのメタノール性塩酸を、酸の最終濃度が１Ｍになるように添加する。溶液を、アルゴン雰囲気中で４５℃に加熱し、２時間撹拌する。溶液の体積を、ロータリ・エバポレータでおよそ半分に減少させ、ＤＭＴｒ−Ｃｌを酢酸および水に溶かした溶液に添加する。この溶液を室温で３時間撹拌し、次いで再びその体積をロータリ・エバポレータで半分に減少させる。同溶液を水で希釈し、２Ｍの苛性ソーダ溶液を使用してｐＨ１０に調節する。ジクロロメタンを添加し、５％炭酸一ナトリウム溶液で２回、飽和塩化ナトリウム溶液で１回抽出する。有機相を硫酸ナトリウムで脱水し、ロータリ・エバポレータで処理する。残留物をカラム・クロマトグラフィーで精製する（溶媒  ジクロロメタン：メタノール  ９７：３）。５’−Ｓ−（ジメトキシトリチル）−チミジンの収率は６８％である。
【０１９７】
５’−Ｓ−（ジメトキシトリチル）−チミジンをジクロロメタン：アセトニトリルに溶かした溶液に、アルゴン雰囲気中でテトラゾールを添加し、その後、リン酸ビス（ジイソプロピルアミド）−２−シアノ−エチルエステルをゆっくりと１滴ずつ添加する。２時間後、ｎ−ブタノールを添加することによって反応を停止させる。溶液を酢酸エチルエステルで希釈し、５％炭酸一ナトリウム溶液で２回、飽和塩化ナトリウム溶液で１回抽出する。有機相を硫酸ナトリウムで脱水し、ロータリ・エバポレータで処理する。
【０１９８】
残留物を若干のジクロロメタン：ジエチルエーテルに溶解し、ピペットで冷却したｎ−ペンタンに移す。５’−Ｓ−（ジメトキシトリチル）−メルカプト−５’−デオキシチミジン−３’−Ｏ−（２−シアノエチル，Ｎ，Ｎ’−ジイソプロピル−ホスファイト）の収率は９３％である。
このように生成したアミダイトを、その後、モデル・オリゴヌクレオチドに組み込む（２４量体、実施例２参照）。
【０１９９】
ａ）生成した化合物の特性決定
５’−Ｏ−（ｐ−トリルスルホニル）−チミジン（Ｃ１７Ｈ２０Ｎ２Ｏ７Ｓ）
ＥＳＩ（＋）ＭＳ  計算上の質量：３９６．４２ｇ／ｍｏｌ
検出された質量：３９７．１ｇ／ｍｏｌ
融点              １６８‐１６９℃
Ｒｆ値            ジクロロメタン：メタノール    ９：１    ０．３９
１Ｈ‐ＮＭＲ      ＤＭＳＯ
１．７５  （ｓ，３Ｈ，ＣＨ３−Ｔ）；２．１０（ｍ，２Ｈ，２' ，２”−Ｈ）；２．４０（ｓ，３Ｈ，ＣＨ３−トシル）；３．８５（ｍ，１Ｈ，４' −Ｈ）；４．２１（ｍ，３Ｈ，５' ，５”−Ｈ，３' −Ｈ）；５．５７（ｄ，１Ｈ，３' −ＯＨ）；６．１４（ｔ，１Ｈ，１’−Ｈ）；７．３６（ｄ，１Ｈ，６−Ｈ）；７．４４（ｄ，２Ｈ，ＡＡ' ＢＢ' ）；７．８２（ｄ，２Ｈ，ＡＡ' ＢＢ' ）；１１．３１（ｓ，１Ｈ，ＮＨ）
５’−Ｓ−アセチル−チミジン（Ｃ１２Ｈ１６Ｎ２Ｏ５Ｓ）
ＥＳＩ（＋）ＭＳ  計算上の質量：３００．３３  ｇ／ｍｏｌ
検出された質量：３０１．２  ｇ／ｍｏｌ
Ｒｆ値            ジクロロメタン：メタノール    ９：１    ０．３７
１Ｈ−ＮＭＲ      ＤＭＳＯ
１．８１（ｓ，３Ｈ，ＣＨ３−Ｔ）；２．０７（ｍ，１Ｈ，２’−Ｈ）；２．２３（ｍ，１Ｈ，２”−Ｈ）；２．３７（ｓ，３Ｈ，Ｏ−Ａｃ）；３．１（ｍ，１Ｈ，５’−Ｈ）；３．２３（ｍ，１Ｈ，  ５”−Ｈ）；３．７５（ｍ，１Ｈ，４’−Ｈ）；４．１（ｍ，１Ｈ，３’−Ｈ）；５．４１（ｄ，１Ｈ，３’−ＯＨ）；６．１５（ｔ，１Ｈ，１’−Ｈ）；７．４５（ｄ，１Ｈ，６−Ｈ）；１１．０３（ｓ，１Ｈ，ＮＨ）
５’−Ｓ−（ジメトキシトリチル）−チミジン（Ｃ３１Ｈ３２Ｎ２Ｏ６Ｓ）
ＥＳＩ（−）ＭＳ  計算上の質量：５６０．７  ｇ／ｍｏｌ
検出された質量：５６０．２  ｇ／ｍｏｌ
Ｒｆ値            ジクロロメタン：メタノール    ９：１    ０．５１
１Ｈ−ＮＭＲ      ＣＤＣｌ３
１．８６（ｓ，３Ｈ，ＣＨ３−Ｔ）；２．０６（ｍ，１Ｈ，２’−Ｈ）；２．２９（ｍ，１Ｈ，２”−Ｈ）；２．５（ｍ，１Ｈ，５’−Ｈ）；２．５４（ｍ，１Ｈ，５”−Ｈ）；３．７８（ｍ，７Ｈ，４’−Ｈ，ＯＣＨ３）；４．１（ｍ，１Ｈ，３’−Ｈ）；６．１６（ｔ，１Ｈ，１’−Ｈ）；６．８３（ｍ，５Ｈ，６−Ｈ，アロマティック）；７．２２−７．４３（ｍ，９Ｈ，アロマティック）
５’−Ｓ−（ジメトキシトリチル）−メルカプト−５’−デオキシチミジン−３’−Ｏ−（２−シアノエチル，Ｎ，Ｎ’−ジイソプロピル−ホスファイト）（Ｃ４０Ｈ４９Ｎ４Ｏ７ＰＳ）
ＥＳＩ（＋）ＭＳ  計算上の質量：７６０．８６  ｇ／ｍｏｌ
検出された質量：７６１．２  ｇ／ｍｏｌ
Ｒｆ値            ジクロロメタン：メタノール    ９：１    ０．６５
３１Ｐ−ＮＭＲ    ＣＤＣｌ３＋０．１％  ＤＩＰＥＡ
１４９．５５，  １４９．３５
【実施例２】
【０２００】
［モデル・オリゴヌクレオチド５’−ＡＧＣ  ＣＣＴ  ＴＡＣ  ＴＴＴ  ＧＡＣ  ＧＧＴ  ＡＴＡ  ＴＣＴ−３’の合成］
オリゴヌクレオチドの合成は、ホスホジエステル法に従って行う。非修飾構成要素の結合は、標準的なプロトコルに従ってＤＮＡシンセサイザー（パーセプティブ・バイオシステム（ＰｅｒＳｅｐｔｉｖｅ  Ｂｉｏｓｙｓｔｅｍ）またはアプライドバイオシステム（Ａｐｐｌｉｅｄ  Ｂｉｏｓｙｓｔｅｍ）［ドイツ国ヴァイターシュタット所在］）で行う。修飾構成要素（下線部）を、修飾合成プロトコルに従ってＤＮＡシンセサイザー（アプライドバイオシステム（Ａｐｐｌｉｅｄ  Ｂｉｏｓｙｓｔｅｍ））で結合する。別の合成はＤＮＡシンセサイザー（パーセプティブ・バイオシステム（ＰｅｒＳｅｐｔｉｖｅ  Ｂｉｏｓｙｓｔｅｍ））でも行う。
【０２０１】
ここで修飾構成単位の結合は、カラムにアミダイトおよびテトラゾールを２回添加し（２重結合法）、結合時間を３００秒まで延長することによって行う。その後、標準的な条件下でキャッピングおよび酸化を行う。脱トリチル化に要する切断時間は５倍延長しなけ
ればならず、脱トリチル化の直後に、ＤＴＴ溶液（ＴＨＦ／ピリジン／水  ７／１／２の溶液に溶かした２２０ｍＭＤＴＴ（１，４−ジチオトレイトール））でカラムを濯ぐ。ＤＴＴ溶液による濯ぎは、以下のプロトコルに従って行う。
【０２０２】
ａ．カラムへのＤＴＴ溶液の添加  ３０秒
ｂ．待機工程  ３０秒
ｃ．カラムへのＤＴＴ溶液の添加  ３０秒
ｄ．待機工程  １５０秒
ｅ．カラムへのＤＴＴ溶液の添加  ３０秒
ｆ．待機工程  １５０秒
ｇ．カラムへのＤＴＴ溶液の添加  ３０秒
ｈ．待機工程  １５０秒
ｉ．カラムへのＤＴＴ溶液の添加  ３０秒
ｊ．待機工程  １５０秒
ｋ．カラムへのＤＴＴ溶液の添加  ３０秒
ＤＴＴ溶液は、ヨウ素酸化後の標準的プロトコルに相当する洗浄工程において濯がれる。しかし洗浄工程と濯ぎ工程は、この場合２重になっている。修飾構成単位を組み込んだ後の残りの合成は、標準的な条件下で行う。合成規模は１マイクロモルである。
【０２０３】
オリゴヌクレオチドをアンモニアで一晩処理して、固相からオリゴヌクレオチドを切り出して塩基保護基の脱保護を行う。後続の精製では、アンモニア溶液をＲ３−ＨＰＬＣカラム（パーセプティブ・バイオシステム（ＰｅｒＳｅｐｔｉｖｅ  Ｂｉｏｓｙｓｔｅｍ））（勾配０〜２５％、緩衝液Ｂ  １０分、緩衝液Ａ  ０．１Ｍ  ＴＥＡＡ溶液；緩衝液Ｂ
ＡＣＮ）に直接注入する。生成物の画分を回収し、溶媒を除去し、次いでオリゴヌクレオチドをエタノール沈殿によってナトリウム塩として沈殿させる。乾燥させた沈殿物のＯ．Ｄ．決定を引き続き行う。ＨＰＬクロマトグラフィー、ゲル電気泳動、およびＭＡＬＤＩ−ＭＳ検査を使用して分析する。
【０２０４】
その後行われる切断の検出を可能にするため、切断により形成される切断断片および対照（非修飾モデル配列）を別のオリゴヌクレオチドとして合成する。オリゴヌクレオチドの合成は、１マイクロモル合成の標準プロトコルに従ってパーセプティブ・バイオシステム（ＰｅｒＳｅｐｔｉｖｅ  Ｂｉｏｓｙｓｔｅｍ）・シンセサイザーで行う。切断および脱保護は、アンモニアを用いて一晩行い、後続の精製はＨＰＬクロマトグラフィーを介して行う。オリゴヌクレオチドをＮａ塩として沈殿させ、再びＨＰＬクロマトグラフィー、ゲル電気泳動、およびＭＡＬＤＩ−ＭＳで分析する。これらは、後続の切断実験での対照として使用する。
【実施例３】
【０２０５】
［モデル・オリゴヌクレオチドの切断］
モデル・オリゴヌクレオチドの切断は、硝酸銀を添加することによって行う。実験は以下の通りに行う。
【０２０６】
５０ｍＭ硝酸銀溶液１５μｌをモデル・オリゴヌクレオチド１Ｏ．Ｄ．に添加し、その溶液を室温で１時間静置する。２２０ｍＭのＤＴＴ溶液４μｌを添加することにより反応を停止させる。１時間後、サンプルを遠心分離し、溶液を除去する。分析を目的として、ＨＰＬクロマトグラフィーおよびゲル電気泳動（１５％ＴＢＥ／尿素ゲル、１．０ｍｍ×１５ウェル、２５０Ｖ、９０分）を行う。切断中に形成された断片
５’−ＡＧＣ  ＣＣＴ  ＴＡＣ  Ｔ−３’                （１０量体）
５’−ＨＯ−ＴＴ  ＧＡＣ  ＧＧＴ  ＡＴＡ  ＴＣＴ−３’（１４量体）
および非修飾オリゴヌクレオチド
５’−ＡＧＣ  ＣＣＴ  ＴＡＣ  ＴＴＴ  ＧＡＣ  ＧＧＴ  ＡＴＡ  ＴＣＴ−３’
を対照として使用する。
【０２０７】
ＨＰＬクロマトグラムをベックマンＨＰＬＣシステム（ゴールドシステム（Ｇｏｌｄ  ｓｙｓｔｅｍ））で実施する。
以下の緩衝液を使用した。
2005500855.tif 000008
イオン交換カラム（ウォーターズ（Ｗａｔｅｒｓ））では以下の勾配を使用した。
０分：５％緩衝液Ｂ
４０分：６０％緩衝液Ｂ
オリゴヌクレオチドの保持時間を以下の表にまとめる。
【０２０８】
【表１】
2005500855.tif 000009
ＨＰＬクロマトグラムおよびゲル・パターン（図２参照）は、修飾オリゴヌクレオチドの切断が定量的であることを示している。切断反応後は、１０量体および１４量体のみ検出可能である。修飾オリゴヌクレオチドを検出することはできず、一方、非修飾オリゴヌクレオチドは切断されずに検出することが可能である。別の実験では、１０ｍＭ硝酸銀溶液による切断が５分以内で定量的に行われることを示している。
【０２０９】
別の分析手順として、切断が固相でも可能であることを示すために、ビアコア（Ｂｉａｃｏｒｅ）（［スウェーデン、ウプサラ所在］）の装置で測定を行った。下記のオリゴヌクレオチドをこれらの測定用に合成した。
【０２１０】
５’−ビオチン−ＡＧＣ  ＣＣＴ  ＴＡＣ  ＴＴＴ  ＧＡＣ  ＧＧＴ  ＡＴＡ  ＴＣＴ−３’
オリゴヌクレオチドの５’末端をビオチン化した（グレンリサーチ（Ｇｌｅｎ  Ｒｅｓｅａｒｃｈ）［米国バージニア州スターリング所在］）。オリゴヌクレオチドの合成は、実施例２で述べたように行う。５’末端のさらなる修飾を、アプライドバイオシステム（
Ａｐｐｌｉｅｄ  Ｂｉｏｓｙｓｔｅｍ）３９４シンセサイザーを用いて実施した。この合成では、標準的なサイクルの結合時間を３００秒まで延長して実施した。精製および処理も実施例２で述べるように行った。さらに、修飾モデル・オリゴヌクレオチドに対して異なる相補領域を示す３つのオリゴヌクレオチドを測定用に合成した。標準的な条件にしたがって合成し精製したこれら３つの化合物は、下記の通りである。
【０２１１】
【表２】
2005500855.tif 000010
ビアコア（Ｂｉａｃｏｒｅ）装置による測定では、ストレプトアビジン結合チップを最初に調製しなければならなかった。このため、適切に修正を施したビアコア（Ｂｉａｃｏｒｅ）製のＣＭ５チップを使用した。ＣＭ５チップはその表面に官能基としてカルボキシル基を含有し、これをＥＤＣ／ＮＨＳで活性化した後アミノ基を呈するストレプトアビジン誘導体と反応させる。ビオチン化したオリゴヌクレオチドを、５０μＭ溶液２５μｌを添加することによってチップに結合する。ビオチン化モデル・オリゴヌクレオチドの結合後、対応する相補オリゴヌクレオチド（第１〜第３）を、５００ｍＭ溶液を５分間にわたり添加することによって（２５μｌ溶液）結合させる。その後の１０ｍＭ硝酸銀溶液を用いた切断は、３０μｌ溶液を添加することによって６分以内で行う。継いで０．５ＭのＥＤＴＡ溶液を用いて濯ぎを行う。その後の検出では完全な切断が示され、切り離されない部分に対応する１０量体のみ、チップ上で検出可能である。
【実施例４】
【０２１２】
［プローブ・アレイ上で使用するオリゴヌクレオチド・プローブの合成］
チップに結合するため、下記のオリゴヌクレオチドを合成した。
５’−アミノ−ＡＧＣ  ＣＣＴ  ＴＡＣ  ＴＴＴ  ＧＡＣ  ＧＧＴ  ＡＴＡ  ＴＣＴ−３’
５’−アミノ−ＡＧＣ  ＣＣＴ  ＴＡＣ  ＴＴＴ  ＧＡＣ  ＧＧＴ  ＡＴＡ  ＴＣＴ−３’（対照配列）
オリゴヌクレオチドの５’末端をアミノ結合で修飾した（グレンリサーチ（Ｇｌｅｎ  Ｒｅｓｅａｒｃｈ））。オリゴヌクレオチドの合成は、実施例２で述べたように行う。５’末端のさらなる修飾は、アプライドバイオシステム（Ａｐｐｌｉｅｄ  Ｂｉｏｓｙｓｔｅｍ）３９４シンセサイザーで行った。標準的なサイクルの結合時間を３００秒まで延長して使用し、合成した。精製および処理は、やはり実施例２で述べたように実施した。
【実施例５】
【０２１３】
［架橋ホスホチオエート結合を有するオリゴヌクレオチドと非修飾オリゴヌクレオチドとのハイブリダイゼーション特性の比較］
それぞれ２４塩基長の同じ配列を有する２つのオリゴヌクレオチドを、エポキシ化したパイレックス（Ｐｙｒｅｘ）（登録商標）ガラスの表面に固定化した。オリゴヌクレオチドの合成および構造については実施例４で述べた。これらのオリゴヌクレオチドはいずれもその５’末端にアミノ修飾を有する。これらオリゴヌクレオチドの一方は非修飾ＤＮＡであり、もう一方のオリゴヌクレオチドは、その分子のほぼ中央に主鎖修飾部を含んでいた。
【０２１４】
主鎖の修飾は、オリゴヌクレオチドのホスホジエステル結合を架橋ホスホチオエート結合に代えることによって行った。このように形成した結合は、問題のオリゴヌクレオチドのその他すべての結合とは異なっている。したがって、例えば水銀イオンおよび／または銀イオンなどの重金属イオンによって選択的に該結合に作用を及ぼしかつ切断することが可能である。
【０２１５】
プローブの沈着は、それぞれｐＨ８．０の０．５Ｍリン酸緩衝液に溶かしたオリゴヌクレオチドの１０μＭ溶液からエッペンドルフ（Ｅｐｐｅｎｄｏｒｆ）（登録商標）ピペット（０．１μｌに設定）を用いて行った。チップ当たりホスホチオエートオリゴヌクレオチド２滴とリン酸オリゴヌクレオチド１滴を沈着させた。プローブの配置構成を図３ａに示す。
【０２１６】
オリゴヌクレオチドのアミノリンカーとアレイのエポキシド表面との共有結合は、沈着させた液滴を室温で乾燥し、次いで６０℃で３０分間インキュベートすることによって行った。この後、以下のプロトコルに従ってチップを洗浄した。
【０２１７】
脱イオンＨ２Ｏ  １００ｍｌ＋トリトンＸ１００（登録商標）１００μｌ中、５分間
脱イオンＨ２Ｏ  １００ｍｌ中、２×２分間
１００ｍＭ  ＫＣｌ溶液１００ｍｌ中、３０分間
脱イオンＨ２Ｏ  １００ｍｌ中、１分間の濯ぎ
乾燥
次いで５’末端をＣｙ３色素（エムヴェーゲーバイオテック（ＭＷＧ  Ｂｉｏｔｅｃｈ）［エーバースベルク所在］）で標識した２４塩基長の完全相補オリゴヌクレオチドと共にハイブリダイゼーションを行った。このため、相補オリゴヌクレオドをハイブリダイゼーション緩衝液（１×ＳＳＣ中０．２５Ｍ  ＮａＰＯ４、４．５％ＳＤＳ、１ｍＭ  ＥＤＴＡ）に溶かした１００ｎＭ溶液５０μｌを、１．５ｍｌの反応容器（エッペンドルフ（Ｅｐｐｅｎｄｏｒｆ）［ドイツ国ハンブルク所在］）に添加した。チップを加えた後、変性工程を９５℃で５分間実施した。この後、ハイブリダイゼーションを６０℃で１時間行った。各チップをサーモシェイカー（エッペンドルフ（Ｅｐｐｅｎｄｏｒｆ）［ドイツ、ハンブルク所在］）で振盪しながら、２×ＳＳＣ＋０．２％ＳＤＳ中、３０℃で１０分間洗浄し、２×ＳＳＣ中、３０℃で１０分間洗浄し、その後０．２×ＳＳＣ中、２０℃で１０分間洗浄した（マニアティス（Ｍａｎｉａｔｉｓ）他、１９８９参照）。使用量は、それぞれ５００μｌであった。チップを真空濃縮器（エッペンドルフ（Ｅｐｐｅｎｄｏｒｆ）［ドイツ国ハンブルク所在］）で５分間乾燥させた。ツァイス（Ｚｅｉｓｓ）の蛍光顕微鏡（ツァイス（Ｚｅｉｓｓ）［ドイツ国イェナ所在］）下でハイブリダイゼーション・シグナルを検出した。Ｃｙ３に適した１組のフィルタを使用して、白色光源の入射光で励起を行った。そのシグナルをＣＣＤカメラ（ＰＣＯ−Ｓｅｎｓｉｃａｍ（商品名）［ドイツ国ケールハイム所在］）で記録した。露出時間は１０００ミリ秒であった。
【０２１８】
同じ強度のハイブリダイゼーション・シグナルが、両方のプローブ分子で検出された（図３ｂ）。したがってホスホチオエートオリゴヌクレオチドとリン酸オリゴヌクレオチドのいずれも非常に類似したハイブリダイゼーション特性を示す。
【実施例６】
【０２１９】
［固定化オリゴヌクレオチドの架橋ホスホチオエート結合の銀イオンによる特異的かつ効果的な切断］
実施例５の実験を繰り返したが、ただし最初にアレイ表面を銀イオンで処理した。その結果、ホスホチオエート結合が切断されたが、ホスホジエステルオリゴヌクレオチド結合は切断されないままであった。ハイブリダイゼーション後、非修飾オリゴヌクレオチド・プローブでは強いハイブリダイゼーション・シグナルが検出されたが、ホスホチオエートで修飾したプローブのシグナルは大幅に消失した。この実験の原理を図４に示す。
【０２２０】
それぞれ２４塩基長の同じ配列を有する２つのオリゴヌクレオチドを、エポキシ化したＰｙｒｅｘ（パイレックス）ガラスの表面に固定化した。オリゴヌクレオチドの合成および構造については実施例４で述べた。これらのオリゴヌクレオチドは共に、５’末端にアミノ修飾を備えていた。これらオリゴヌクレオチドの一方は非修飾ＤＮＡであるが、もう一方のオリゴヌクレオチドは、その分子のほぼ中央に主鎖修飾部を有していた。
【０２２１】
主鎖の修飾は、オリゴヌクレオチドのホスホジエステル結合を架橋ホスホチオエート結合に代えることによって生成させた。このように形成された結合は、問題となっているオリゴヌクレオチドのその他すべての結合とは異なっている。したがって、例えば水銀イオンや銀イオンなどの重金属イオンによって選択的に該結合に作用を及ぼしかつ切断することが可能である。
【０２２２】
プローブの沈着は、それぞれｐＨ８．０の０．５Ｍリン酸緩衝液にオリゴヌクレオチドを溶かした１０μＭ溶液を使用して、エッペンドルフ（Ｅｐｐｅｎｄｏｒｆ）ピペット（０．１μｌに設定）を用いて行った。チップ当たりホスホチオエートオリゴヌクレオチド２滴とリン酸オリゴヌクレオチド１滴を付着させた。プローブの配置構成を図３に示す。
【０２２３】
オリゴヌクレオチドのアミノリンカーとアレイのエポキシド表面との共有結合は、沈着させた液滴を室温で乾燥し、その後６０℃で３０分間インキュベートすることによって行った。この後、以下のプロトコルに従ってチップを洗浄した。
【０２２４】
脱イオンＨ２Ｏ  １００ｍｌ＋トリトンＸ１００（登録商標）１００μｌ中、５分間
脱イオンＨ２Ｏ  １００ｍｌ中、２×２分間
１００ｍＭ  ＫＣｌ溶液１００ｍｌ中、３０分間
脱イオンＨ２Ｏ  １００ｍｌ中、１分間の濯ぎ
乾燥
ホスホチオエート結合を選択的に切断するために、１００μｌの硝酸銀溶液中で、チップを３０℃で２０分間インキュベートした。濃度は、１Ｍ、２００ｍＭ、５０ｍＭ、および１０ｍＭとした。硝酸銀による切断後、チップを脱イオン水で５分間、２回洗浄した。
【０２２５】
その後、５’末端をＣｙ３色素（エムヴェーゲーバイオテック（ＭＷＧ  Ｂｉｏｔｅｃｈ）［エーバースベルク所在］）で標識した２４塩基長の完全相補オリゴヌクレオチドと共にハイブリダイゼーションを行った。このため、相補オリゴヌクレオドをハイブリダイゼーション緩衝液（１×ＳＳＣ中０．２５Ｍ  ＮａＰＯ４、４．５％ＳＤＳ、１ｍＭ  ＥＤＴＡ）に溶かした１００ｎＭ溶液５０μｌを、１．５ｍｌの反応容器（エッペンドルフ（Ｅｐｐｅｎｄｏｒｆ）（登録商標）［ドイツ国ハンブルク所在］）に添加した。チップを加えた後、変性工程を９５℃で５分間実施した。この後、ハイブリダイゼーションを６０℃で１時間行った。チップをサーモシェイカー（エッペンドルフ（Ｅｐｐｅｎｄｏｒｆ）［ドイツ国ハンブルク所在］）で振盪しながら、２×ＳＳＣ＋０．２％ＳＤＳ中、３０℃で１０分間洗浄し、２×ＳＳＣ中、３０℃で１０分間洗浄し、その後０．２×ＳＳＣ中、２０℃で１０分間洗浄した（マニアティス（Ｍａｎｉａｔｉｓ）他、１９８９参照）。使用量は、それぞれ５００μｌであった。チップを真空濃縮器（エッペンドルフ（Ｅｐｐｅｎｄｏｒｆ）［ドイツ国ハンブルク所在］）で５分間乾燥した。ツァイス（Ｚｅｉｓｓ）の蛍光顕微鏡（ツァイス（Ｚｅｉｓｓ）［ドイツ国イェナ所在］）下でハイブリダイゼーション・シグナルを検出した。Ｃｙ３に適した１組のフィルタを使用して、白色光源の入射光で励起を行った。そのシグナルをＣＣＤカメラ（ＰＣＯ−Ｓｅｎｓｉｃａｍ［ドイツ国ケールハイム所在］）で記録した。露出時間は１０００ミリ秒であった。
【０２２６】
チップの硝酸銀処理を伴わないハイブリダイゼーション（実施例５）との比較では、ホスホチオエートオリゴが固定化されたスポットのシグナル強度が実質的に低下して検出限界近くになり、一方、リン酸オリゴによって占有されたスポットのシグナル強度は変化しないままであった（図５参照）。したがって、ホスホチオエート結合を選択的にかつ効果的に切断することが可能である。
【実施例７】
【０２２７】
［ハイブリダイズした状態での結合の切断、および切断されたハイブリッドの安定性に関する試験］
この実施例では、実施例５と同じプローブ・アレイを使用する。しかし、最初に相補標識オリゴヌクレオチドを用いたハイブリダイゼーションを実施し、次いでようやく５０ｍＭ  ＡｇＮＯ３処理を０℃で３０分間実施した。ホスホチオエートオリゴヌクレオチドの結合の切断が生じたにもかかわらず、例えば１Ｍ  ＮａＮＯ３を添加することによってイオン強度を高くするなどの適切な条件下で、ホスホチオエート修飾オリゴヌクレオチドと非修飾リン酸オリゴヌクレオチドの両方でハイブリダイゼーションを検出することが可能であった。融解によってハイブリッドを分離し、ストリンジェントな条件下で再び相補的な２４量体とハイブリダイズした後は、切断されていないリン酸オリゴヌクレオチドに関してのみ強いハイブリダイゼーション・シグナルが検出可能である。これは、ホスホチオエート結合の効率的な切断がハイブリダイズした状態でも生じる一方、適切な条件下でハイブリッドを十分に安定させて、結合の切断後に分離しないようにすることが可能であることを示す。
【０２２８】
それぞれ２４塩基長の同じ配列を有する２つのオリゴヌクレオチドを、エポキシ化したパイレックス（Ｐｙｒｅｘ）ガラスの表面に固定化した。オリゴヌクレオチドの合成および構造については実施例４で述べた。これらのオリゴヌクレオチドはいずれもその５’末端にアミノ修飾を有していた。これらオリゴヌクレオチドの一方は非修飾ＤＮＡであるが、もう一方のオリゴヌクレオチドは、その分子のほぼ中央に主鎖修飾部を含んでいた。
【０２２９】
主鎖の修飾は、オリゴヌクレオチドのホスホジエステル結合を架橋ホスホチオエート結合に代えることによって行った。このように形成された結合は、問題となっているオリゴヌクレオチドのその他すべての結合とは異なっている。したがって、例えば水銀イオンや銀イオンなどの重金属イオンによって選択的に該結合に作用を及ぼしかつ切断することが可能である。
【０２３０】
プローブの沈着は、それぞれｐＨ８．０の０．５Ｍリン酸緩衝液にオリゴヌクレオチドを溶かした１０μＭ溶液からエッペンドルフ（Ｅｐｐｅｎｄｏｒｆ）ピペット（０．１μｌに設定）を用いて行った。チップ当たりホスホチオエートオリゴヌクレオチド２滴とリン酸オリゴヌクレオチド１滴を沈着させた。プローブの配置構成を図３ａに示す。
【０２３１】
オリゴヌクレオチドのアミノリンカーとアレイのエポキシド表面との共有結合は、沈着させた液滴を室温で乾燥し、次いで６０℃で３０分間インキュベートすることによって行った。この後、以下のプロトコルに従ってチップを洗浄した。
【０２３２】
脱イオンＨ２Ｏ  １００ｍｌ＋トリトンＸ１００（登録商標）１００μｌ中、５分間
脱イオンＨ２Ｏ  １００ｍｌ中、２×２分間
１００ｍＭ  ＫＣｌ溶液１００ｍｌ中、３０分間
脱イオンＨ２Ｏ  １００ｍｌ中、１分間の濯ぎ
乾燥
次いで５’末端をＣｙ３色素（エムヴェーゲーバイオテック（ＭＷＧ  Ｂｉｏｔｅｃｈ）［エーバースベルク所在］）で標識した２４塩基長の完全相補オリゴヌクレオチドと共にハイブリダイゼーションを行った。このため、相補オリゴヌクレオドをハイブリダイゼーション緩衝液（１×ＳＳＣ中０．２５Ｍ  ＮａＰＯ４、４．５％ＳＤＳ、１ｍＭ  ＥＤＴＡ）に溶かした１００ｎＭ溶液５０μｌを、１．５ｍｌの反応容器（エッペンドルフ（Ｅｐｐｅｎｄｏｒｆ）［ドイツ国ハンブルク所在］）に添加した。チップを加えた後、変性工程を９５℃で５分間実施した。この後、ハイブリダイゼーションを６０℃で１時間行った。チップをサーモシェイカー（エッペンドルフ（Ｅｐｐｅｎｄｏｒｆ）［ドイツ国ハンブルク所在］）で振盪しながら、２×ＳＳＣ＋０．２％ＳＤＳ中、３０℃で１０分間洗浄し、２×ＳＳＣ中、３０℃で１０分間洗浄し、その後０．２×ＳＳＣ中、２０℃で１０分間洗浄し（マニアティス（Ｍａｎｉａｔｉｓ）他、１９８９参照）、真空濃縮器（エッペンドルフ（Ｅｐｐｅｎｄｏｒｆ）［ドイツ国ハンブルク所在］）で５分間処理した。ツァイス（Ｚｅｉｓｓ）蛍光顕微鏡（ツァイス（Ｚｅｉｓｓ）［ドイツ国イェナ所在］）下でハイブリダイゼーション・シグナルを検出した。白色光源の入射光とＣｙ３に適した１組のフィルタを用いて励起を行った。そのシグナルをＣＣＤカメラ（ＰＣＯ−Ｓｅｎｓｉｃａｍ［ドイツ国ケールハイム所在］）で記録した。露出時間は１０００ミリ秒であった。
【０２３３】
ホスホチオエート結合の選択的切断では、チップを、１００μｌの５０ｍＭ  ＡｇＮＯ３、１Ｍ  ＮａＮＯ３中、０℃で２０分間インキュベートした。硝酸銀で切断した後、チップを氷上で、１Ｍ  ＮａＮＯ３  ５００μｌ中で５分間×２回洗浄した。
【０２３４】
チップを真空濃縮器（エッペンドルフ（Ｅｐｐｅｎｄｏｒｆ）［ドイツ国ハンブルク所在］）で５分間乾燥した。ハイブリダイゼーション・シグナルの検出は上述のように行った。
【０２３５】
その後チップを、脱イオン水５００μｌ中９５℃で１０分間、３回洗浄した。その結果ハイブリッドが融解した。この後、第２のハイブリダイゼーションを行った。５’末端をＣｙ３色素（エムヴェーゲーバイオテック（ＭＷＧ  Ｂｉｏｔｅｃｈ）［エーバースベルク所在］）で標識した２４塩基長の完全相補オリゴヌクレオチドをハイブリダイゼーション緩衝液（１×ＳＳＣ中０．２５Ｍ  ＮａＰＯ４、４．５％ＳＤＳ、１ｍＭ  ＥＤＴＡ）に溶かした１００ｎＭ溶液５０μｌを、１．５ｍｌの反応容器（エッペンドルフ（Ｅｐｐｅｎｄｏｒｆ）［ドイツ、ハンブルク所在］）に添加した。チップを加えた後、変性工程を９５℃で５分間実施した。次いでハイブリダイゼーションを６０℃で１時間行った。チップをサーモシェイカー（エッペンドルフ（Ｅｐｐｅｎｄｏｒｆ）［ドイツ、ハンブルク所在］）で振盪しながら、２×ＳＳＣ＋０．２％ＳＤＳ中、３０℃で１０分間洗浄し、２×ＳＳＣ中、３０℃で１０分間洗浄し、その後０．２×ＳＳＣ中、２０℃で１０分間洗浄した（マニアティス（Ｍａｎｉａｔｉｓ）他、１９８９参照）。それぞれ使用量は５００μｌであった。その後、ハイブリダイゼーション・シグナルを上述のように検出した。
【０２３６】
図６は、左から右に、実験の種々の工程を経た後の同一のアレイを示し、標的をハイブリダイズした後、結合を切断した後、ならびに融解によりハイブリッドを分離してストリンジェントな条件下で再びハイブリダイズした後の状態を示す。一方では、結合の切断はハイブリッド状態でも効果的であることが示されており、融解によってハイブリッドを分離しさらにハイブリダイズした後は、強いハイブリダイゼーション・シグナルが、切断不可能なリン酸オリグヌクレオチドでのみ観察可能である。ホスホチオエートオリゴヌクレオチドでは、結合の切断後に表面に残っている１０量体が、ストリンジェントなハイブリダイゼーション条件下で安定なハイブリッドを形成しないので、検出限界のわずかなハイブリダイゼーション・シグナルしか観察されない。
【実施例８】
【０２３７】
［プローブ・アレイの製造および品質試験、ならびに該プローブ・アレイを使用した検出］
８種のｉｎ  ｖｉｔｒｏ  ＲＮＡを対象とする、合計で５２プローブを含むアレイを調製する。プローブは、切断可能な結合および標識を有するものとする。アレイの調製後、スポットの品質をチェックする。その後、８種の非標識ｉｎ  ｖｉｔｒｏ  ＲＮＡの規定の混合物と共にハイブリダイゼーションを行う。不安定な結合を切断する。洗浄後、アレイ上に残っているシグナルを検出する。スポットのシグナル強度は、標識済みＲＮＡプローブと非標識で切断できないプローブとを用いた比較実験でのシグナル強度に対応する。
【０２３８】
これは、プローブ・アレイ上で分子相互作用を検出する方法が安定であることを実証している。従来の検出方法および本発明の検出方法によりそれぞれ実施した１０回の実験の一連の試験では、本発明による方法で決定された値の分散が、従来の方法によって得られた値の分散よりもかなり低いことがわかった。
【０２３９】
ａ）プローブの設計および製造
プローブの設計は、検出しようとするｉｎ  ｖｉｔｒｏ  ＲＮＡの配列に応じて異なる。設計手法には、標的領域の潜在的プローブへの近づき易さ、同じ分子の部分同士の相互作用だけでなく溶液中の標的分子同士の相互作用の可能性、または特異性に悪影響を及ぼす、異なるプローブとの望ましくない相互作用を考慮に入れる。切断部位は挿入されるべきと考えられる。この切断部位は、それぞれプローブの中心に非常に近く配置されるＴである。このＴは５’−ホスホチオエート結合を有する。５２の標的特異的プローブ（１〜５２）の他に、３つの対照プローブ（プローブ５３〜５５）を製造する。プローブ５３および５４には切断可能な結合がない。プローブ５３は標識を有し、一方プローブ５４は標識されていない。プローブ５５は標的配列とハイブリダイズせず、実験上のバックグラウンド・シグナルを定めるのに使用する。
【０２４０】
プローブ配列を決定した後、これらの配列を、例えば実施例２で示したように合成して製造する。プローブの配列を以下の表に示す。
【０２４１】
【表３】
2005500855.tif 000011
2005500855.tif 000012
ｂ）アレイの製造
事前に製造したアレイ基材に特異的プローブをスポッティングすることによってアレイを製造する。エポキシ化したガラス支持体を基材として使用する。上記列挙した標的特異的プローブはホスホチオエート修飾を有するだけではなく、配列の３’末端にＣｙ３標識を、また５’末端にアミノ結合をも有する。標的特異的プローブの他、プローブ５５をバックグラウンド対照としてハイブリダイズし、１〜１：１０，０００の範囲内の種々の混合比のプローブ５３および５４を固定化し、結果を較正するための較正系列を確立する。プローブを、０．５Ｍリン酸緩衝液中１０μＭの濃度でマイクロタイター・プレート内に置く。プローブのスポッティングは、バイオロボティクス（Ｂｉｏｒｏｂｏｔｉｃｓ）製のスポッティング・システム（Ｍｉｃｒｏｇｒｉｄ（登録商標）ＩＩ）で行う。表面にプローブを沈着させた後、アレイを６０℃で３０分間ベークし、以下のプロトコルに従って洗浄する。
【０２４２】
脱イオンＨ２Ｏ  ６００ｍｌ＋トリトンＸ１００（登録商標）６００μｌ中、５分間
脱イオンＨ２Ｏ  ６００ｍｌ中、２×２分間
１００ｍＭ  ＫＣｌ溶液６００ｍｌ中、３０分間
脱イオンＨ２Ｏ  ６００ｍｌ中、１分間の濯ぎ
乾燥
プローブは、３重に重複させてそれぞれ３つのサブアレイに配置する。
【０２４３】
ｃ）品質管理
固定化したプローブの品質を、アレイ上の蛍光シグナルを検出することによって制御する。シグナル強度Ｓ０は、Ｓｃａｎアレイ４０００タイプ（ジーエスアイルモニックス（ＧＳＩ−Ｌｕｍｏｎｉｃｓ）［米国所在］）のレーザ・スキャナで測定する。これらの強度は、個々の強度に補正係数（ｋａ）を与えることによって１つの値に標準化する。これから、他のスポットに関するスポット当たりの分子の数を１次関数として導き出すことが可能である。これらの係数を保存し、アレイ全体を目的の分析に使用可能であるかどうかを決定するのに使用する。測定した強度／スポットを、各スポットごとに値１に標準化する（Ｓ０／ｋａｎ＝１）。
【０２４４】
ｄ）ハイブリダイゼーションの標的
以下の配列セグメントを有する８種のｉｎ  ｖｉｔｒｏ  ＲＮＡを使用する。
【０２４５】
【化６】
2005500855.tif 000013
2005500855.tif 000014
2005500855.tif 000015
ｅ）ＲＮＡのハイブリダイゼーション
ｉｎ  ｖｉｔｒｏで生成させたＲＮＡを、５％変性ＰＡＡゲル（マニアティス（Ｍａｎｉａｔｉｓ）他、１９８９参照）から精製し、沈殿させて脱イオン水に溶解し、分光光度法で測定し、均一な濃度２μＭに調節する。該ＲＮＡを等モル比でハイブリダイゼーション緩衝液（１×ＳＳＣ中０．２５Ｍ  ＮａＰＯ４、４．５％ＳＤＳ、１ｍＭ  ＥＤＴＡ）１００μｌに溶解する。最終濃度は４０ｎＭである。このハイブリダイゼーション溶液を、８０℃で５分間にわたり変性させる。ＤＮＡが占有するスライド表面を、ハイブリダイゼーション・チャンバ（Ｈｙｂｒｉｗｅｌｌ（登録商標）、シグマ（Ｓｉｇｍａ）［ドイツ国ダイゼンホーフェン所在］）で覆う。スライドを、マイクロタイター・プレート用上部ユニットを備えたサーモシェイカーで５０℃に予熱する（エッペンドルフ（Ｅｐｐｅｎｄｏｒｆ）［ドイツ国ハンブルク所在］）。次いで変性ハイブリダイゼーション溶液を添加し、製造元の取扱い説明書に従ってハイブリダイゼーション・チャンバを閉じる。インキュベーションは、５０℃で６０分間継続する。その後、ハイブリダイゼーション溶液を廃棄し、ハイブリダイゼーション・チャンバを取り外し、スライドを振盪させながら、２×ＳＳＣ＋０．２％ＳＤＳ中、３０℃で１０分間、２×ＳＳＣ中、２０℃で１０分間、０．２×ＳＳＣ中、２０℃で１０分間それぞれ洗浄し、圧縮空気で乾燥させる。
【０２４６】
ｆ）ホスホチオエート結合の選択的切断
ホスホチオエート結合の選択的切断については、アレイをプラスチック容器内で振盪させ、アレイが完全に覆われるようにしながら、２ｍｌの５０ｍＭ  ＡｇＮＯ３、１Ｍ  ＮａＮＯ３中、０℃で２０分間インキュベートする。硝酸銀による切断の後、氷上でチップを２×５分間、５０ｍｌの１Ｍ  ＮａＮＯ３中で洗浄し、その後、圧縮空気またはアルゴン中で乾燥させる。溶液を確実に完全に除去するよう注意すべきである（さもないと乾燥むらが形成される）。Ｓｃａｎアレイ４０００タイプ（ジーエスエルルモニックス［米国所在］）を用いてハイブリダイゼーション・シグナルＳ１を検出する。品質管理で使用したのと同一の設定に検出器を設定して画像を生成する。その後、品質管理で得られた係数を使用して、プローブに特異的な強度にアレイを補正する。各スポットごとに等式（Ｓ１ｎ×ｋａｎ＝Ｓ２ｎ）を適用する。
【０２４７】
その後、すべての値からバックグラウンド値を差し引く。これは、オリゴヌクレオチド５５が占有する全スポットのシグナル強度Ｓ２ｎの平均を表す。
Ｓ２ｎ’＝Ｓ２ｎ−Ｓ２ｎオリゴ５５が得られる。
【０２４８】
補正値によって、より現実的な強度の分布状態、したがって溶液中の標的の濃度分布が得られる。これは、差次的遺伝子発現の定量測定だけでなくシグナルの妥当性評価についても特に重要なものである。スポット上に残された正規化シグナルは、溶液中に存在する標的の量に正比例する。
【０２４９】
異なるアレイの強度を比較する場合、追加の係数換算を行う。オリゴ５３とオリゴ５４が種々のモル比で混合されている較正用スポットのシグナル強度における差異を表す係数を計算する。換算係数を決定するときは、検出のダイナミック・レンジ内に入る較正用スポットだけを考慮に入れる。
【０２５０】
各アレイに関して決定されたＳ２ｎ’値に、換算係数を乗じる。
ｇ）結果の評価
上述のアレイを使用する場合、プログラム・スクリプトを用いることによって上記係数の決定とそれらの計算とをいずれも可能にするＩｃｏｎｏｃｌｕｓｔ（商品名）ソフトウェア・パッケージ（クロンディアグ（Ｃｌｏｎｄｉａｇ））を使用して、結果の評価を行う。基本的に、これはスプレッド・シートを使用することによっても可能である。
【実施例９】
【０２５１】
［アレイ表面における、ホスホチオエート結合を有するオリゴヌクレオチドの合成］
アレイ表面に、例えばそれぞれ２４塩基長の同じ配列を有する２つのオリゴヌクレオチドを合成した。これらオリゴヌクレオチドの一方は、標準的なホスホロアミダイトを用いた合成によって生成された非修飾オリゴヌクレオチドであった。同一配列の他方のオリゴヌクレオチドには、ホスホチオエートアミダイトの結合によりリン−イオウ結合を導入した。該結合は、問題となっているオリゴヌクレオチドのその他すべての結合と異なっている。したがって、例えば水銀イオンや銀イオンなどの重金属イオンによって選択的に該結合に作用を及ぼし切断することが可能である。この実施例は、アレイ表面で、架橋ホスホチオエート結合を有するオリゴヌクレオチドを合成することが可能であることを示す。
【０２５２】
（アレイの製造）
ヒドロキシル基で修飾した１０．１６ｃｍ（４インチ）Ｂｏｒｏｆｌｏａｔ（登録商標）ウェハ（ＰＥＧ表面）上で、最後のＤＭＴ保護基を保持しながら、標準的なホスホロアミダイト法によってＯｌｉｇｏＰｉｌｏｔ（登録商標）ＩＩ（ファルマシア（Ｐｈａｒｍａｃｉａ））で配列（３’→５’）ＴＣＴ−ＡＴＡ−ＴＧＧ−ＣＡＧを合成した。次いでこの保護基を、１２８μｍのマスク（チップ当たり４チャネル）を用いて脱保護することにより、規定の位置で除去した。その後ｄＴアミダイト（ＤＭＴあり）を、合成のため使用可能になった部位に結合した。その後、同じ１２８μｍのマスクを使用して再び脱保護を行ったが、その位置は、最初のマスクによる脱保護の位置に対して２５６μｍだけ移動させた。
【０２５３】
さらに使用する前に、ウェハを３．４×３．４ｍｍサイズのディスクに切断した。以下の合成工程をＥｘｐｅｄｉｔｅ（登録商標）（アプライドバイオシステム（Ａｐｐｌｉｅｄ  Ｂｉｏｓｙｓｔｅｍｓ））で実施した。
【０２５４】
切断可能な５’−（Ｓ−ジメトキシトリチル）−メルカプト−５’−デオキシチミジン３’−ホスホロアミダイト（０．１Ｍ溶液）を結合するため、１μモル規模の標準的な結合プロトコルに修正を加えた。すなわち結合時間：９００秒、脱ブロッキング：２５０秒、濯ぎ：ＴＨＦ／ピリジン／水（７／１／２）に溶解した２２０ｍＭのＤＴＴ溶液で６００秒とした。その後、ｄＴ−アミダイトを結合し、続いて残りの配列（３’→５’）ＣＡＴ−ＴＣＣ−ＣＧＡを結合した（標準のプロトコルに相当する脱ブロッキング、キャッピングおよび酸化、０．２マイクロモル規模）。ヨウ素濃度の低い（０．０２Ｍヨウ素、ロート（Ｒｏｔｈ）社）溶液を酸化工程で使用した。塩基保護基を除去するため、アレイを続いて３０〜３３％のアンモニア（ロート社）中で５５℃で３５分間処理した。
【０２５５】
（ハイブリダイゼーション）
その後、５’末端をＣｙ３色素（エムヴェーゲーバイオテック（ＭＷＧ  Ｂｉｏｔｅｃｈ）［エーバースベルク所在］）で標識した長さ２４塩基長の完全相補オリゴヌクレオチドとのハイブリダイゼーションを行った。このため、相補オリゴヌクレオドをハイブリダイゼーション緩衝液（６×ＳＳＰＥ、０．１％ＳＤＳ）に溶かした１０ｎＭ溶液５０μｌを、１．５ｍｌの反応容器（エッペンドルフ（Ｅｐｐｅｎｄｏｒｆ）［ドイツ国ハンブルク所在］）に添加した。チップを加えた後、変性工程を９５℃で５分間実施した。この後、ハイブリダイゼーションを５０℃で１時間行った。チップをサーモシェイカー（エッペンドルフ（Ｅｐｐｅｎｄｏｒｆ）［ドイツ国ハンブルク所在］）で振盪しながら、２×ＳＳＣ＋０．２％ＳＤＳ中、３０℃で１０分間洗浄し、２×ＳＳＣ中、３０℃で１０分間洗浄し、その後０．２×ＳＳＣ中、２０℃で１０分間洗浄した（マニアティス（Ｍａｎｉａｔｉｓ）他、１９８９参照）。使用量は、それぞれ５００μｌであった。チップを真空濃縮器（エッペンドルフ（Ｅｐｐｅｎｄｏｒｆ）［ドイツ国ハンブルク所在］）で５分間乾燥した。ツァイス（Ｚｅｉｓｓ）の蛍光顕微鏡（ツァイス（Ｚｅｉｓｓ）［ドイツ国イェナ所在］）を用いてハイブリダイゼーション・シグナルを検出した。Ｃｙ３に適した１組のフィルタを使用して、白色光源の入射光で励起を行った。そのシグナルをＣＣＤカメラ（ＰＣＯ−Ｓｅｎｓｉｃａｍ［ドイツ国ケールハイム所在］）で記録した。露出時間は１０００ミリ秒であった。
【０２５６】
ハイブリダイゼーション後のアレイの画像を図８に示す。Ｐは、非修飾オリゴヌクレオチド（整合プローブ）を含むトラックまたはレーンである。ＰＴで表されるトラックは、ホスホチオエート修飾を有する同じ配列のオリゴヌクレオチド（整合プローブ）を含む。間にあるトラックは、分子のほぼ中央にＴの欠失があるという点で他の２つとは異なるオリゴヌクレオチド（不整合プローブ）を含む。ホスホチオエートで修飾されたオリゴヌクレオチド領域内の強いハイブリダイゼーション・シグナルは、５’−（Ｓ−ジメトキシトリチル）−メルカプト−５’−デオキシチミジン−３’−ホスホロアミダイトをアレイ表面に組み込むことが可能であり、良好なハイブリダイゼーション特性を備えたプローブが形成されることを示している。
【実施例１０】
【０２５７】
［アレイ表面での架橋ホスホチオエート結合を有するオリゴヌクレオチドの合成と、その後のハイブリダイゼーションによる該結合の切断可能性の検出］
この実験では、実施例９と同様にしてアレイを製造した後、ホスホチオエート結合の切断を引き起こす条件に供した。その後、相補オリゴヌクレオチドとのハイブリダイゼーションによって、結合の切断を検出した。
【０２５８】
（銀イオンによるホスホチオエート結合の切断）
アレイを反応容器（エッペンドルフ（Ｅｐｐｅｎｄｏｒｆ））内に入れ、５０ｍＭ硝酸銀溶液で１５分間、３０℃で処理した。その後、濯ぎを下記の順序で、すなわち５０℃の蒸留水で１０分（１回）、２２℃の蒸留水で１０分（２回）それぞれ濯いだ。アレイを真空濃縮器（エッペンドルフ（Ｅｐｐｅｎｄｏｒｆ））で乾燥させた。
【０２５９】
（ハイブリダイゼーション）
続いて、５’末端をＣｙ３色素（エムヴェーゲーバイオテック（ＭＷＧ  Ｂｉｏｔｅｃｈ）［エーバースベルク所在］）で標識した２４塩基長の完全相補オリゴヌクレオチドと共にハイブリダイゼーションを行った。このため、相補オリゴヌクレオドを６×ＳＳＰＥ、０．１％ＳＤＳ（マニアティス（Ｍａｎｉａｔｉｓ）他、１９８９参照）に溶かした１０ｎＭ溶液５０μｌを１．５ｍｌの反応容器（エッペンドルフ（Ｅｐｐｅｎｄｏｒｆ）［ドイツ国ハンブルク所在］）に添加した。チップを加えた後、変性工程を９５℃で５分間実施した。この後、ハイブリダイゼーションを５０℃で１時間行った。チップをサーモシェイカー（エッペンドルフ（Ｅｐｐｅｎｄｏｒｆ）［ドイツ国ハンブルク所在］）で振盪させながら、２×ＳＳＣ＋０．２％ＳＤＳ中および２×ＳＳＣ中３０℃でそれぞれ１０分間洗浄し、その後０．２×ＳＳＣ中２０℃で１０分間洗浄した（マニアティス（Ｍａｎｉａｔｉｓ）他、１９８９参照）。使用量は、それぞれ５００μｌであった。チップを真空濃縮器（エッペンドルフ（Ｅｐｐｅｎｄｏｒｆ）［ドイツ国ハンブルク所在］）で５分間乾燥した。ツァイス（Ｚｅｉｓｓ）の蛍光顕微鏡（ツァイス（Ｚｅｉｓｓ）［ドイツ国イェナ所在］）を用いてハイブリダイゼーション・シグナルを検出した。シアニン３に適した１組のフィルタを使用して、白色光源の入射光で励起を行った。そのシグナルをＣＣＤカメラ（ＰＣＯ−Ｓｅｎｓｉｃａｍ［ドイツ国ケールハイム所在］）で記録した。露出時間は１０００ミリ秒であった。
【０２６０】
ホスホチオエート結合を切断してハイブリダイゼーションを行った後のアレイの画像を図９に示す。Ｐは、非修飾オリゴヌクレオチド（整合プローブ）を含むトラックまたはレーンである。ＰＴで表されるトラックは、ホスホチオエート修飾を有する同じ配列のオリゴヌクレオチド（整合プローブ）を含む。間にあるトラックは、分子のほぼ中央にＴの欠失があるという点で他の２つとは異なるオリゴヌクレオチド（不整合プローブ）を含む。
【０２６１】
ホスホチオエートで修飾されたオリゴヌクレオチド領域（ＰＴ）内のハイブリダイゼーション・シグナルは、非修飾オリゴヌクレオチドの領域（Ｐ）のシグナルに比べて著しく低下しており、したがってアレイ表面に生成されたホスホチオエート結合を有するオリゴヌクレオチドを、銀イオンによって効率的に切断可能であることを示している。
【実施例１１】
【０２６２】
［アレイ表面での架橋ホスホチオエート結合を有する標識オリゴヌクレオチドの合成、相補的非標識オリゴヌクレオチドとのハイブリダイゼーション、およびホスホチオエート結合の切断によるハイブリダイゼーションの検出］
特にそれぞれ２４塩基長の同じ配列を有する２つのオリゴヌクレオチドをアレイ表面上に合成した。これらオリゴヌクレオチドの一方は、標準的なホスホロアミダイトを用いた合成によって生成された非修飾オリゴヌクレオチドであった。同一の配列を有する他方のオリゴヌクレオチドには、ホスホチオエートアミダイトの結合によってリン−イオウ結合を導入した。この結合は、問題となっているオリゴヌクレオチドのその他すべての結合とは異なっている。したがって、例えば水銀イオンおよび／または銀イオンなどの重金属イオンによって、選択的に該結合に作用を及ぼし切断することが可能である。アレイ上に合成されたプローブの５’末端をＣｙ３色素で標識した。
【０２６３】
その後、オリゴヌクレオチド・プローブのホスホチオエート結合を２つの同一のアレイ上で切断した。これらのアレイの一方を、プローブに相補的な標識していないオリゴヌクレオチドと最初にハイブリダイズさせた。ハイブリダイゼーションの結果アレイ上にプローブの標識が保持されることによって、ハイブリダイゼーションを検出することが可能であったが、一方、ハイブリダイズしていないアレイの場合は標識が失われた。
【０２６４】
（アレイの製造）
前述の実用的な２つの実施例９および１０で使用したものと同じプロトコルに従って、最初にアレイを製造した。その後、下記のプロトコルに従い、手作業でキャッピングすることなくＤＭＴのない状態でシアニン３色素（アマシャム・ファルマシア（Ａｍｅｒｓｈａｍ  Ｐｈａｒｍａｃｉａ））の結合を行った。
【０２６５】
Ｃｙ３アミダイトとｄＡアミダイトとの混合物（それぞれ１：９の比で混合した０．１Ｍ原液）の結合をアルゴン雰囲気中で行った。まず、チップを小カラムに入れ、無水アセトニトリルで濯いだ。その後、Ｃｙ３アミダイト／ｄＡアミダイト１ｍｌとＤＣＩ活性化剤１ｍｌの混合物２ｍｌを５分以内でカラムに通した。その後、アセトニトリル１０ｍｌで濯ぎを行い、次いで酸化剤１ｍｌで酸化し、最後に再びアセトニトリル１０ｍｌで濯いだ。
【０２６６】
（ハイブリダイゼーション）
２つのアレイの一方を、実施例９および１０で述べたように相補オリゴヌクレオチドとハイブリダイズさせた。
【０２６７】
（ホスホチオエート結合の選択的切断）
ホスホチオエート結合の選択的切断では、ハイブリダイズしたアレイとハイブリダイズしていないアレイの両方を、反応容器（エッペンドルフ（Ｅｐｐｅｎｄｏｒｆ））内でそれぞれ振盪させながら、それぞれ１００μｌの５０ｍＭ  ＡｇＮＯ３、１Ｍ  ＮａＮＯ３中、０℃で２０分間インキュベートして、アレイが完全に覆われるようにした。硝酸銀で切断した後、氷上で、チップを１Ｍ  ＮａＮＯ３  ５０ｍｌで２×５分間洗浄し、その後真空濃縮器（エッペンドルフ（Ｅｐｐｅｎｄｏｒｆ）［ドイツ国ハンブルク所在］）で乾燥させた。
【０２６８】
Ｓｃａｎアレイ４０００タイプのレーザ・スキャナ（ジーエスエルルモニックス（ＧＳＩ−Ｌｕｍｏｎｉｃｓ）［米国所在］）を用いてハイブリダイゼーション・シグナルを検出した。
【０２６９】
（結果）
ハイブリダイズしていないアレイの場合、銀で切断した後は、ホスホチオエート・プローブを含んだトラックでシグナルの明らかな減弱が生じたが、他のすべてのトラックではシグナルは変化しないままであった。
【０２７０】
これとは対照的に、ホスホチオエート・トラックでのシグナルは、銀イオンで処理したアレイにおいて、ハイブリダイゼーションを行った後だけシグナルの大部分が保持されていた。この結果は、架橋ホスホチオエート結合によってｉｎ  ｓｉｔｕ合成されたオリゴヌクレオチド・プローブを使用して、標識されていない標的とのハイブリッドを検出することが可能であることを示している。
【実施例１２】
【０２７１】
［５’−Ｏ−（４，４’−ジメトキシトリチル）−チミジリル−（３’→５’）−３’−Ｏ−［（２−シアノエチル）−Ｎ，Ｎ−ジイソプロピルアミドホスホロアミダイト］−２’−デオキシチミジンの調製］
５’−Ｏ−（４，４’−ジメトキシトリチル）−チミジリル−（３’→５’）−３’−Ｏ−［（２−シアノエチル）−Ｎ，Ｎ−ジイソプロピルアミドホスホロアミダイト］−２’−デオキシチミジンの合成は、図１０に示す合成スキームを使用して、実施例１２に従って行う。
【０２７２】
５’−Ｓ−［９−（４−メトキシフェニル）キサンテン−９−チオ］−３’−Ｏ−ベンゾイル−２’−デオキシチミジン（７）
バッチ・サイズ：
５’−Ｓ−［９−（４−メトキシフェニル）キサンテン−９−チオ］−２’−デオキシチミジン（５）１．４７ｇ（２．７ミリモル）
塩化ベンゾイル０．５６８ｇ（４．０４ミリモル）（説明のため実施例１３参照）
ピリジン  ２０ｍｌ
実験の遂行：
保護ガス雰囲気中で５’−Ｓ−［９−（４−メトキシフェニル）キサンテン−９−チオ］−２’−デオキシチミジン（５）をピリジンに溶解し、氷で冷却しながら塩化ベンゾイルを１滴ずつゆっくり添加する。３時間後、さらに生じた生成物はＤＣ（溶媒  ＤＣＭ：ＭｅＯＨ  ９：１）で検出されない。このバッチを氷冷水４００ｍｌに注ぎ、形成された沈殿物を吸引ろ過する。沈殿物はフリット上で油状になるので、油状固体をジクロロメタンに溶解し、有機相を飽和塩化ナトリウム溶液で抽出する。有機相を硫酸マグネシウムで脱水し、ロータリ・エバポレータで処理する。
Ｒ＝１．６６ｇ
分析：
2005500855.tif 000016
ＮＭＲ：
１Ｈ−ＮＭＲ  （２５０ＭＨｚ，ＣＤＣｌ３）：δ＝８．８７（ｂｒ．  ｓ，１Ｈ，Ｎ−Ｈ），８．５８−８．５５（ｍ，１Ｈ，Ｈ−６），７．９０−７．８７（ｍ，２Ｈ，オルト−Ｈ  ベンゾイル），７．５２−７．３５（ｍ，１５Ｈ，アロマティック），６．１８−６．１２（ｄｄ，１Ｈ，Ｈ−１’），  ５．２１−４．９５（ｍ，１Ｈ，Ｈ−３’），３．９５−３．９４（ｍ，１Ｈ，Ｈ−４’），３．７２（ｓ，３Ｈ，ＯＣＨ３），２．５９−２．５４（ｍ，２Ｈ，Ｈ−５’，Ｈ−５’），２．３９−２．３（ｍ，１Ｈ，Ｈ−２’），２．１１−２．０５（ｍ，１Ｈ，Ｈ−２”），１．８８（ｄ  ３Ｈ，ＣＨ３−Ｔ）
【０２７３】
５’−チオール−３’−Ｏ−ベンゾイル−２’−デオキシチミジン（８）
バッチ・サイズ：
５’−Ｓ−［９−（４−メトキシフェニル）キサンテン−９−チオ］−３’−ＯＢｚｌ−２’−デオキシチミジン（７）１．５ｇ（２．３１ミリモル）
硝酸銀  ６００ｍｇ（３．５３．ミリモル）
ピリジン  ３００μｌ
メタノール  ８０ｍｌ
酢酸  ０．５ｍｌ
メタノール  ４０ｍｌ
実験の遂行：
保護ガス雰囲気中、５’−Ｓ−［９−（４−メトキシフェニル）キサンテン−９−チオ］−３’−ＯＢｚｌ−２’−デオキシチミジン（７）をメタノールに溶解する。次いでピリジンと硝酸銀を添加する。反応混合物を一晩撹拌する。形成された沈殿物を吸引ろ過し、少量の冷メタノールでもう一度洗浄する。沈殿物をメタノールに溶解し、酢酸を添加する。この懸濁液に硫化水素ガスを導入する。Ｈ２Ｓを３０分間導入した後、アルゴンで濯ぎ、形成された硫化銀を吸引ろ過する。この溶液をロータリ・エバポレータで慎重に処理するが、乾燥はさせない。精製を行うには、溶媒ＤＣＭ：ＭｅＯＨ  ９８：２を用いてカラム・クロマトグラフィーを行う。
Ｒ＝０．４ｇ
分析：
2005500855.tif 000017
ＮＭＲ：
１Ｈ−ＮＭＲ  （２５０ＭＨｚ，ＤＭＳＯ−ｄ６）：  δ＝１１．３８（ｂｒ．ｓ，１Ｈ，Ｎ−Ｈ），８．０４−８．０２（ｍ，２Ｈ，オルト−Ｈ  ベンゾイル），７．７−７．５３（ｍ，３  Ｈ，メタ−およびパラ−Ｈ  ベンゾイル），６．３−６．２４（ｄｄ，１Ｈ，Ｈ−１’），５．４６（ｍ，１Ｈ，Ｈ−３’），４．２１（ｍ，１Ｈ，Ｈ−４’），３．３２（ｓ，３Ｈ，ＯＣＨ３），２．９５−２．９０（ｍ，１Ｈ，Ｈ−
５’），２．６６−２．６０（ｍ，１Ｈ，Ｈ−５”），２．５１（ｍ，２Ｈ，Ｈ−２’およびＨ−２”），１．８３（ｄ  ３Ｈ，ＣＨ３−Ｔ）
【０２７４】
５’−Ｏ−（４，４’−ジメトキシトリチル）−チミジリル−（３’→５’）−３’−Ｏ−ベンゾイル−２’デオキシ−チミジン（９）
バッチ・サイズ：
５’−チオール−３’−Ｏ−ベンゾイル−２’−デオキシチミジン（８）０．３６１ｇ（１ミリモル）
Ｔ−アミダイト  ０．７４５ｇ（１ミリモル）
ベンズイミダゾールトリフレート  ０．３８ｇ（１．４ミリモル）
ＤＣＭ  ５ｍｌ
ＡＣＮ  ５ｍｌ
酸化
過ヨウ素酸ｔ−ブチルアンモニウム  ０．８７６ｇ（２ミリモル）
実験の遂行：
５’−チオール−３’−Ｏ−ベンゾイル−２’−デオキシチミジン（８）、Ｔ−アミダ
イト、ベンズイミダゾールトリフレートをポンプ真空中で乾燥させる（１日）。アセトニトリル：ジクロロメタンを添加することにより、反応を開始させる。溶液を室温で１時間撹拌するが、ＤＣ（ＬＭ  ＤＣＭ：ＭｅＯＨ  ９：１）で残留抽出物は検出されない。この後、ＤＣＭ  ８ｍｌに溶解した酸化剤を添加する。反応溶液を８分間撹拌し、その後４倍量のＤＣＭで希釈する。５％亜硫酸ナトリウムおよび５％炭酸一ナトリウム溶液で抽出することにより処理を行う。有機相を硫酸マグネシウムで脱水し、ロータリ・エバポレータで処理する。精製するには、次いでＤＣＭに溶かした１％ＭｅＯＨ  ０．５ｌ、ＤＣＭに溶かした２％ＭｅＯＨ  ０．５ｌ、およびＤＣＭに溶かした３％ＭｅＯＨ  ０．５ｌを溶媒としてカラム・クルマトグラフィを実行する。
Ｒ＝０．７１９ｇ
分析：
2005500855.tif 000018
ＮＭＲ
３１Ｐ−ＮＭＲ  （ＣＤＣｌ３）：１７．２６，  １７．２２ｐｐｍ
【０２７５】
５’−Ｓ−（４，４’−ジメトキシトリチル）−チミジリル−（３’→５’）−２−デオキシチミジン（１０）
バッチ・サイズ：
５’−Ｏ−（４，４’−ジメトキシトリチル）−チミジリル−（３’→５’）−３’−ＯＢｚｌ−２’−デオキシチミジン（９）０．５８６ｇ（０．５７３ミリモル）
メタノールに溶かした７Ｍアンモニア  ２ｍｌ
メタノール  ３ｍｌ
実験の遂行：
５’−Ｏ−（４，４’−ジメトキシトリチル）−チミジリル−（３’→５’）−３’−Ｏ−ベンゾイル−２’−デオキシチミジン（９）をアンモニア性メタノールに溶解し、水浴中に５５℃で一晩静置する。ベンゾイルＰＧの完全な切断を質量分析法によって確認する。この溶液をロータリ・エバポレータで処理し、メタノールと共に繰り返し同時蒸発させる。
Ｒ＝０．４８５ｇ
分析：
Ｒｆ値：      溶媒    ジクロロメタン：メタノール  ９：１    初期スポット
ＥＳＩ（−）ＭＳ  Ｃ４１Ｈ４４Ｎ４Ｏ１３ＰＳ
計算上  ８６３．８６
検出    ８６３．６
【０２７６】
５’−Ｏ−（４，４’−ジメトキシトリチル）−チミジリル−（３’→５’）−３’−Ｏ−［（２−シアノエチル）−Ｎ，Ｎ−ジイソプロピルアミドホスホロアミダイト］−チミジン（１１）
バッチ・サイズ：
５’−Ｓ−（４，４’−ジメトキシトリチル）−チミジリル−（３’→５’）−２’−デオキシチミジン（１０）０．４８５ｇ（０．５６１ミリモル）
亜リン酸モノ−（２−シアノエチルエステル）−ジイソプロピルアミドクロリド  ０．１６ｇ（０．６７４ミリモル）
Ｎ−エチルジイソプロピルアミン  ０．３８４ｍｌ（２．２４４ミリモル）
実験の遂行：
５’−Ｓ−（４，４’−ジメトキシトリチル）−チミジリル−（３’→５’）−２’−デオキシチミジン（１０）をポンプによる真空中で一晩乾燥させる。保護ガス雰囲気中、ＤＣＭ：ＡＣＮおよびＤＩＰＥＡを添加する。亜リン酸化試薬（Ｐｈｏｓｐｈｉｔｉｌｉｅｒｕｎｇｓｒｅａｇｅｎｚ）を氷冷しながら１滴ずつゆっくりと添加する。１時間後、ＤＣ（溶媒９５：５）で抽出物は検出されない。この反応を、ブタノール０．５ｍｌを添加することによって停止させる。反応溶液をロータリ・エバポレータで処理し、ＤＣＭ：ジエチルエーテル７．５ｍｌに溶解し、冷ペンタン１５０ｍｌにピペットで移す。形成された沈殿物を吸引ろ過し、乾燥する。
Ｒ＝０．５５６ｇ（収率９３％）
分析：
収率          ９３％
Ｒｆ値：      溶媒    ジクロロメタン：メタノール  ９：１    ０．１２
ＥＳＩ（−）ＭＳ  Ｃ５０Ｈ６１Ｎ６Ｏ１４Ｐ２Ｓ
計算上  １０６４．０８
検出    １０６３．８
ＮＭＲ：
１Ｈ−ＮＭＲ  （ＣＤＣｌ３）：δ＝１４０．８２，  １４０．７５；  １５．９９，  １５．８５
【実施例１３】
【０２７７】
［５’−Ｓ−９−［（４−メトキシフェニル）キサンテン−９−イル］−メルカプト−２’−デオキシチミジン−３’−Ｏ−（２−シアノエチル，Ｎ，Ｎ’−ジイソプロピルホスファイト）の調製］
５’−Ｓ−９−［（４−メトキシフェニル）キサンテン−９−イル］−メルカプト−２’−デオキシチミジン−３’−Ｏ−（２−シアノエチル，Ｎ，Ｎ’−ジイソプロピルホスファイト）の調製は、図１１に示す合成スキームを使用して、実施例１３に従って行う。
【０２７８】
９−（４−メトキシフェニル）キサンテン−９−オル（３）の調製
バッチ・サイズ：
マグネシウム・チップ        １４．７ｇ（０．６モル）
４−ブロムアニソール（１）  ７５ｍｌ  （０．６モル）
キサンテン−９−オン        ５３．５ｇ（０．２７モル）
ジエチルエーテル            ３００ｍｌ
実験の遂行：
ジエチルエーテル１００ｍｌにマグネシウム・チップを懸濁し、ジエチルエーテル１００ｍｌにブロムアニソール（１）を溶かした溶液を１滴ずつゆっくり添加する。グリニャール反応が開始したらすぐに、反応溶液を１５℃に冷却する。次いで反応溶液がわずかに沸騰するように、残りのエーテル性ブロムアニソール溶液を２０分以内で１滴ずつ添加する。添加が終了したら、還流をさらに１時間継続し、その後室温に冷却する。次いでキサンテン−９−オンを１０分以内で少量ずつ添加し、さらに１００ｍｌのジエチルエーテルを反応溶液に添加して、沸騰するまで加熱する。この溶液をさらに２時間、沸騰したままにする。冷却後、得られた沈殿物を吸引ろ過できるようにするため、（ジェー・エッチ，マリオット（Ｊ．Ｈ．Ｍａｒｉｏｔｔ）、エム，モッターデー（Ｍ．Ｍｏｔｔａｈｅｄｅｈ）、シー・ビー，レーゼ（Ｃ．Ｂ．Ｒｅｅｓｅ）、Ｃａｒｂｏｈｙｄｒａｔｅ  Ｒｅｓｅａｒｃｈ（１９９１）２１６：２５７〜６９：“Ｓｙｎｔｈｅｓｉｓ  ｏｆ  ２’−ｔｈｉｏａｄｅｎｏｓｉｎｅ”）の指示に反してジエチルエーテルで反応混合物を希釈する。次いでろ過した沈殿物をジエチルエーテルで洗浄し、乾燥する。微細化した固体を３００ｍｌの濃ＨＣｌ中に入れる（氷浴上で冷却）。得られた黒赤色の溶液を氷水２ｌに１滴ずつ添加する。この水溶液を、ジクロロメタン６５０ｍｌで３回抽出する。有機相を合わせ、飽和炭酸一ナトリウム溶液１．５ｌで３回抽出し、水１ｌで２回抽出する。有機相を
硫酸マグネシウムで脱水し、ロータリ・エバポレータで処理する。シクロヘキサンから再結晶を行う。
Ｒ＝５６．４３ｇ
分析：
収率          ６８％
Ｒｆ値：      溶媒    ヘキサン：酢酸エチルエステル  ３：１    ０．４９
ＥＳＩ（＋）ＭＳ  Ｃ２０Ｈ１６Ｏ３
計算上  ３０４．３３
検出    ２８６．９（水酸基の切断）
ＮＭＲ：
１３Ｃ−ＮＭＲ  （ＣＤＣｌ３）：５５．１５，  ７０．１５，  １１３．２３，  １１６．３，  １２３．４７，  １２７．３６，  １２８．８７，  １２８．９１，  １４０．４０，  １４．６６，  １５８．２１
【０２７９】
９−（４−メトキシフェニル）キサンテン−９−チオール（ＡＸＴ）（４）の調製
バッチ・サイズ：
ジクロロ酢酸    ２０．８ｇ（０．２５モル）
９−（４−メトキシフェニル）キサンテン−９−オル（３）３８．６ｇ（０．１２７モル）
ジクロロメタン  １１００ｍｌ
実験の遂行：
ジクロロメタン５００ｍｌにジクロロ酢酸を溶かした溶液に、この溶液を氷冷しながらＨ２Ｓを１５分間導入する。Ｈ２Ｓをさらに導入しながら、９−（４−メトキシフェニル）キサンテン−９−オル（３）をジクロロメタン６００ｍｌに溶かした溶液を１時間以内で１滴ずつ添加する。添加が終了したら、Ｈ２Ｓをさらに１５分間導入する。その後アルゴンを導入することによって、過剰なＨ２Ｓを置換する。その後、反応溶液を飽和炭酸一ナトリウム溶液７００ｍｌで３回抽出し、水６００ｍｌで２回抽出する。有機相を硫酸マグネシウムで脱水し、ロータリ・エバポレータで処理する。シクロへキサンから再結晶する。
Ｒ＝１７．０２ｇ
分析：
収率          ８０．３％
Ｒｆ値：      溶媒    ヘキサン：酢酸エチルエステル  ３：１    ０．７２
ＥＳＩ（＋）ＭＳ  Ｃ２０Ｈ１６Ｏ２Ｓ
計算上  ３２０．３３
検出    ３２１．０
ＮＭＲ
１３Ｃ−ＮＭＲ  （ＣＤＣｌ３）：  ５１．３５，  ５５．２５，  １１３．２０，  １１６．４０，  １２３．４２，  １２８．３２，  １２９．１０，  １２９．４３，  １３０．２４，  １３８．２３，  １４９．６２，  １５９．４９
【０２８０】
５’−クロロ−２’デオキシチミジン（２）の調製
バッチ・サイズ：
２’−デオキシチミジン  ９．６ｇ（４０ミリモル）
トリフェニルホスフィン  １４ｇ  （５４ミリモル）
四塩化炭素              ２０ｍｌ（２００ミリモル）
ＤＭＦ                  ２００ｍｌ
実験の遂行：
チミジンおよびトリフェニルホスフィンを、ポンプ真空中で一晩一緒に乾燥する。保護ガス雰囲気中、四塩化炭素およびＤＭＦを添加する。わずかな温度上昇が観察される可能性がある。この反応溶液を室温で２４時間撹拌する。メタノールを添加することによって反応を停止させる。溶媒を除去し、油状の残留物をメタノールから再結晶する。母液は依然として、単離することのできない生成物を含有している。
Ｒ＝７．５６ｇ
分析：
2005500855.tif 000019
ＮＭＲ：
１Ｈ−ＮＭＲ  （２５０  ＭＨｚ，ＤＭＳＯ−ｄ６）：１１．３８（ｂｒ．ｓ，１Ｈ，Ｎ−Ｈ），７．５５（ｄ，１Ｈ，Ｈ−６），６．２２（ｔ，１Ｈ，Ｈ−１’），４．２５（ｍ，１Ｈ，３−Ｈ’），４．２４（ｍ，３Ｈ，Ｈ−４’＋Ｈ−５’＋Ｈ−５”），３．３４（ｄ，１Ｈ，３’−ＯＨ），２．３２−２．２１（ｍ，１Ｈ，Ｈ−２’），２．１４−２．０６（ｍ，１Ｈ，Ｈ−２”），１．８（ｓ，３Ｈ，ＣＨ３−Ｔ）
【０２８１】
５’−Ｓ−［９−（４−メトキシフェニル）キサンテン−９−イル］−２’−デオキシチミジン（５）の調製
バッチ・サイズ：
５’−クロロ−２’−デオキシチミジン（２）  ４．４ｇ（１７．０ミリモル）
９−（４−メトキシフェニル）キサンテン−９−チオール（４）  ８．１７ｇ（２５．５ミリモル）
１，１，３，３−テトラメチルグアニジン      ２．４２ｍｌ（１８．９２ミリモル）
ＤＭＳＯ                                    １５０ｍｌ
実験の遂行：
５’−クロロ−２’−デオキシチミジンと９−（４−メトキシフェニル）キサンテン−９−チオール（４）を、ポンプ真空中で一晩、一緒に乾燥する。保護ガス雰囲気中でＤＭＳＯを添加し、１，１，３，３−テトラメチルグアニジンを該溶液に１滴ずつゆっくり添加する。３時間後、ＤＣ（溶媒  ＤＣＭ：ＭｅＯＨ  ９５：５）では残留抽出物は検出されない。該反応溶液を、冷却したジクロロメタン１ｌに注ぎ、有機溶液を飽和炭酸一ナトリウム溶液８００ｍｌで抽出する（注意：圧力）。水相をジクロロメタン２００ｍｌで再抽出する。有機相を合わせ、水４００ｍｌで４回抽出し、硫酸マグネシウムで脱水する。
【０２８２】
この化合物を精製するには、ＤＣＭ：ＭｅＯＨ  ９７：３の溶媒で引き続きカラム・クロマトグラフィーを実行する。
Ｒ＝７．１ｇ
分析：
2005500855.tif 000020
ＮＭＲ
１Ｈ−ＮＭＲ  （２５０ＭＨｚ，  ＣＤＣｌ３）：δ＝８．８２（ｂｒ．ｓ，１Ｈ，Ｎ−Ｈ），７．３８−７．３５（ｍ，２Ｈ，アロマティック），７．２−７．０２（ｍ，７Ｈ，アロマティック），６．９−６．９３（ｍ，２Ｈ，アロマティック），６．８１−６．７８（ｍ，２Ｈ，アロマティック），６．０６−６．０１（ｄｄ，１Ｈ，Ｈ−１’），３．８６−３．８２（ｍ，１Ｈ，Ｈ−４’），３．７３（ｓ，３Ｈ，Ｏ−ＣＨ３），３．６−３．５２（ｍ，１Ｈ，Ｈ−３’），２．２１−２．１１（ｍ，２Ｈ，Ｈ−５’，Ｈ−５”），１．９−１．７９（ｍ，２Ｈ，Ｈ−２’，Ｈ−２”），１．８４（ｄ，３Ｈ，ＣＨ３−Ｔ）
【０２８３】
５’−Ｓ−［９−（４−メトキシフェニル）キサンテン−９−イル］−メルカプト−２’−デオキシチミジン−３’−Ｏ−（２−シアノエチル，Ｎ，Ｎ’−ジイソプロピルホスファイト）（６）
バッチ・サイズ：
５’−Ｓ−（９−（４−メトキシフェニル）キサンテン−９−イル）−２’−デオキシチミジン（５）  ０．７５ｇ（１．３８ミリモル）
亜リン酸モノ−（２−シアノエチルエステル）ジイソプロピルアミドクロリド  ０．３９２ｍｌ（１．６５ミリモル）
Ｎ−エチルジイソプロピルアミン  ０．７０６ｍｌ（４．１３ミリモル）
ＤＣＭ  ５ｍｌ
ＡＣＮ  ５ｍｌ
実験の遂行：
５’−Ｓ−［９−（４−メトキシフェニル）キサンテン−９−イル］−２’−デオキシチミジン（５）をポンプ真空中で一晩乾燥する。保護ガス雰囲気中、ＤＣＭ：ＡＣＮおよびＤＩＰＥＡを添加する。亜リン酸化試薬を氷冷しながら１滴ずつゆっくり添加する。１時間後、ＤＣ（溶媒  ＤＣＭ：ＭｅＯＨ  ９５：５）ではさらなる抽出物が検出されない。ブタノール０．５ｍｌを添加することによって反応を停止させる。反応溶液をロータリ・エバポレータで処理し、ＤＣＭ：ジメチルエーテル１０ｍｌに溶解し、冷ペンタン２００ｍｌ中へピペットを用いて移す。得られた沈殿物を吸引ろ過し、乾燥する。
Ｒ＝０．９６ｇ
分析：
2005500855.tif 000021
ＮＭＲ
３１Ｐ−ＮＭＲ  （４００ＭＨｚ，ＣＤＣｌ３）：１５０．２１，  １４９．９４ｐｐｍ
【実施例１４】
【０２８４】
［５’−Ｓ−ジメトキシトリチルによって保護されたアミダイトの合成］
５’−Ｓ−ジメトキシトリチルによって保護されたアミダイトの調製は、図１２の合成スキームを使用して実施例１４に従い実施する。
【０２８５】
４，４’−ジメトキシトリフェニルメタノール（１４）
バッチ・サイズ
マグネシウム・チップ            ８．２６ｇ    （０．３４モル）
ｐ−ブロムアニソール（１２）    ４３．２５ｍｌ（０．３５モル）
安息香酸メチルエステル（１３）  ２０ｍｌ      （０．１６モル）
ＴＨＦ                          ３０ｍｌ
実験の遂行：
保護ガス雰囲気中、マグネシウム・チップをＴＨＦ３０ｍｌで覆う。その後、溶液が自然に沸騰し始めるまで、ｐ−ブロムアニソール（１２）を１滴ずつゆっくり添加する。添加が終了したら、溶液を１時間還流する。室温でＴＨＦ３０ｍｌ中に安息香酸メチルエステル（１３）を１滴ずつ添加した後、反応溶液を９０分間還流する。飽和塩化アンモニウム溶液で加水分解した後、相を分離する。有機相を水で洗浄し、その後、水相をトルエンで再抽出する。有機相を合わせ、硫酸マグネシウムで脱水する。スピン処理後、粗生成物を少量のジクロロメタンに溶解し、カラム・クロマトグラフィーを実施する（溶媒  ジクロロメタン）。
Ｒ＝４８．７ｇ
分析：
収率          ９５％
Ｒｆ値：      溶媒    ヘキサン：酢酸エチルエステル  ３：１    ０．４３
ＥＳＩ（＋）ＭＳ  Ｃ２１Ｈ２０Ｏ３
計算上  ３２０．３９
検出    ３０４．２  （−ＯＨ基）
ＮＭＲ
１Ｈ−ＮＭＲ  （２５０ＭＨｚ，ＣＤＣｌ３）：７．２７−７．０６（ｍ，９Ｈ，アロマティック），６．７８−６．７２（ｍ，４Ｈ，アロマティック），３，７７（ｓ，６Ｈ，２×ＯＣＨ３）
【０２８６】
４，４’−ジメトキシトリフェニルメタンチオール（１５）
バッチ・サイズ：
ジクロロ酢酸    ３０．９５ｇ（０．２４モル）
４，４’−ジメトキシトリフェニルメタノール（１４）  ３８．４４ｇ（０．１２モル）
ジクロロメタン  ８００ｍｌ
実験の遂行：
ジクロロメタン４００ｍｌにジクロロ酢酸を溶かした溶液を氷冷しながら、この溶液に硫化水素を１５分間導入する。硫化水素の導入を続けながら、４，４’−ジメトキシトリフェニルメタノール（１４）をジクロロメタン４００ｍｌに溶かした溶液を１時間以内で１滴ずつ添加する。添加が終了したら、硫化水素をさらに１５分間導入し続ける。その後アルゴンを導入する結果、過剰な硫化水素が置換される。次いで反応溶液を、飽和炭酸一ナトリウム溶液７００ｍｌで３回抽出し（注意：圧力）、水６００ｍｌで２回抽出する。有機相を硫酸マグネシウムで脱水し、ロータリ・エバポレータで処理する。粗生成物を少量のジクロロメタンに溶解し、ヘキサンを添加するが、この工程で沈殿物の形成が観察されうる。溶液を氷冷しながら４時間静置し、固体を吸引ろ過して乾燥する。
Ｒ＝３４．３１ｇ（収率８５％）
分析：
Ｒｆ値：      溶媒    ヘキサン：酢酸エチルエステル  ３：１    ０．６６
ＭＡＬＤＩ−ＭＳ    Ｃ２１Ｈ２０Ｏ２Ｓ
計算上  ３３６．４５
検出    ３３６．４５
ＮＭＲ
１Ｈ−ＮＭＲ  （２５０ＭＨｚ，ＣＤＣｌ３）：７．２４−７．０６（ｍ，９Ｈ，アロマティック），６．７５−６．６９（ｍ，４Ｈ，アロマティック），３，７２（ｓ，６Ｈ，２×ＯＣＨ３）
【０２８７】
（対応する保護塩基群の導入）
Ｎ６−ベンゾイル−２’−デオキシアデノシン
バッチ・サイズ：
２’−デオキシアデノシン  １２．８９ｇ（５１．３ミリモル）
トリメチルクロロシラン    ３２．４ｍｌ（２５６ミリモル）
塩化ベンゾイル            ２７．８ｍｌ（２５６ミリモル）
ピリジン                  ４００ｍｌ
アンモニア水溶液
酢酸エチルエステル
水
実験の遂行：
２’−デオキシアデノシンを、ポンプ真空中、五酸化リンを用いて一晩乾燥する。固体をピリジン中に懸濁し、その反応混合物を０℃に冷却する。トリメチルクロロシランを１滴ずつ添加し、３０分間撹拌した後に塩化ベンゾイルを１滴ずつ添加し、撹拌を室温でさらに２時間継続する。反応混合物を０℃に冷却し、水１００ｍｌおよびアンモニア溶液１００ｍｌを添加し、３０分後にその混合物をロータリ・エバポレータ内で濃縮する。残っている残留物を温水３５０ｍｌに溶解し、酢酸エチルエステル１５０ｍｌで２回抽出する。酸エステル相を合わせ、温水１００ｍｌで抽出する。水相を冷蔵器内に一晩静置して沈殿を形成し、次いでこれを吸引ろ過し、デシケータに入れて五酸化リン上を用いて乾燥させる。
Ｒ＝１１．４ｇ
分析：
収率          ６３％
Ｒｆ値：      溶媒    ジクロロメタン：メタノール    ９：１    ０．３３
ＥＳＩ（−）ＭＳ  Ｃ１７Ｈ１７Ｎ５Ｏ４
計算上  ３５５．３５
検出    ３５４．１
ＮＭＲ
１Ｈ−ＮＭＲ  （２５０ＭＨｚ，ＤＭＳＯ−ｄ６）：δ＝８．７６−８．７２（２ｓ，各（ｊｅ）１Ｈ，Ｈ−８およびＨ−２），８．０６−８．０２（ｍ，２Ｈ，オルト−Ｈ  ベンゾイル），７．６４−７．５１（ｍ，３Ｈ，メタ−およびパラ−Ｈ  ベンゾイル）６．５３−６．４７（ｍ，１Ｈ，Ｈ−１’），４．５０−４．４６（ｍ，１Ｈ，Ｈ−３’），３．９５−３．９０（ｍ，１Ｈ，Ｈ−４’），３．６８−３．５２（ｍ，２Ｈ，Ｈ−５’＋Ｈ−５”），２．８５−２．７５（ｍ，１Ｈ，Ｈ−２’），２．４３−２．３４（ｍ，１Ｈ，Ｈ−２”）
【０２８８】
Ｎ４−ベンゾイル−２’−デオキシシチジン
バッチ・サイズ：
２’−デオキシシチジン×ＨＣｌ  ７．９１ｇ  （３０ミリモル）
トリメチルクロロシラン          １９ｍｌ    （１５０ミリモル）
塩化ベンゾイル                  １７．４ｍｌ（１５０ミリモル）
ピリジン                        ３００ｍｌ
アンモニア水溶液
酢酸エチルエステル
水
実験の遂行：
２’−デオキシシチジンを、ポンプ真空中、五酸化リンを用いて一晩乾燥する。固体をピリジン中に懸濁し、その反応混合物を０℃に冷却する。トリメチルクロロシランを１滴ずつ添加し、３０分間撹拌した後に塩化ベンゾイルを１滴ずつ添加する。室温でさらに２時間、撹拌を継続する。反応混合物を０℃に冷却し、水６０ｍｌおよびアンモニア溶液６０ｍｌを添加し、３０分後にその混合物をロータリ・エバポレータ内で濃縮する。残っている残留物を温水３００ｍｌに溶解し、酢酸エチルエステル１００ｍｌで抽出する。酸エステル相を合わせ、温水１００ｍｌで抽出する。水溶液を冷蔵器内に一晩静置して沈殿を形成し、これを吸引ろ過し、デシケータに入れて五酸化リンを用いて乾燥させる。
Ｒ＝７．３ｇ
分析：
収率          ７３．２％
Ｒｆ値：      溶媒    ジクロロメタン：メタノール    ９：１    ０．２７
ＥＳＩ（−）ＭＳ  Ｃ１６Ｈ１７Ｎ３Ｏ５
計算上  ３３１．３３
検出    ３３０．０ＮＭＲ
１Ｈ−ＮＭＲ  （２５０ＭＨｚ，ＤＭＳＯ−ｄ６）：δ＝１１．２３（ｂ，１Ｈ，Ｎ−Ｈ），８．４１−８．３９（ｄ，１Ｈ，Ｈ−６），８．０３−８．００（ｍ，２Ｈ，オルト−Ｈ  ベンゾイル），７．６７−７．４９（ｍ，３Ｈ，メタ−  およびパラ−Ｈ  ベンゾイル）  ７．３６−７．３３（ｄ，１Ｈ，Ｈ−５），６．１８−６．１３（ｍ，１Ｈ，Ｈ−１’），５．２８−５．２６（ｄ，１Ｈ，３’−ＯＨ），５．０９−５．０５（ｍ，１Ｈ，５’−ＯＨ），４．２９−４．２２（ｍ，１Ｈ，Ｈ−３’），３．９２−３．８７（ｍ，１Ｈ，Ｈ−４’），３．７１−３．５７（ｍ，２Ｈ，Ｈ−５’＋Ｈ−５”），２．３８−２．２９（ｍ，１Ｈ，Ｈ−２’），２．１３−２．０２（ｍ，１Ｈ，Ｈ−２”）
【０２８９】
Ｎ２−イソブチリル−２’−デオキシグアノシン
バッチ・サイズ：
２’−デオキシグアノシン  １３．３６ｇ（５０ミリモル）
トリメチルクロロシラン    ３１．６ｍｌ（２５０ミリモル）
無水イソ酪酸              ４１．６ｍｌ（２５０ｍｌ）
ピリジン                  ４００ｍｌ
実験の遂行：
２’−デオキシグアノシンを、ポンプ真空中、五酸化リンを用いて一晩乾燥する。固体をピリジン中に懸濁し、その反応混合物を０℃に冷却する。トリメチルクロロシランを１滴ずつ添加しながら固体を溶解する。３０分間撹拌した後、無水イソ酪酸を添加する。室温でさらに２時間、撹拌を継続する。反応混合物を０℃に冷却し、水１００ｍｌおよびアンモニア溶液１００ｍｌを添加し、３０分後にその混合物をロータリ・エバポレータ内で濃縮する。残っている残留物を温水３００ｍｌに溶解し、酢酸エチルエステル２００ｍｌで２回抽出する。酸エステル相を合わせ、温水５０ｍｌで抽出する。水溶液を冷蔵器内に一晩静置して沈殿を形成し、次いでこれを吸引ろ過し、デシケータに入れて五酸化リンを用いて乾燥させる。
Ｒ＝１２．４ｇ
分析：
収率          ７３．３％
Ｒｆ値：      溶媒    ジクロロメタン：メタノール    ９：１    ０．３７
ＥＳＩ（−）ＭＳ  Ｃ１４Ｈ１９Ｎ５Ｏ５
計算上  ３３７．３４
検出    ３３６．０
ＮＭＲ
１Ｈ−ＮＭＲ  （２５０ＭＨｚ，ＤＭＳＯ−ｄ６）δ＝８．１６（ｓ，１Ｈ，Ｈ−８）  ６．２５−６．１９（ｍ，１Ｈ，Ｈ−１’），５．３３（ｄ，１Ｈ，３’−ＯＨ），５．３３−５．３１（ｄ，１Ｈ，５’−ＯＨ），４．３９−４．３８（ｍ，１Ｈ，Ｈ−３’），３．８７−３．８３（ｍ，１Ｈ，Ｈ−４’），３．６１−３．３４（ｍ，２Ｈ，Ｈ−５’＋Ｈ−５”），２．８４−２．７３（ｍ，１Ｈ，ＣＨ−イソブチリル），２．６２−２．５４（ｍ，１Ｈ，Ｈ−２’），２．３３−２．２４（ｍ，１Ｈ，Ｈ−２”），１．１４−１．０７（ｄｄ，６Ｈ，ＣＨ３−イソブチリル）
【０２９０】
２’−デオキシヌクレオチド（１６ａ〜ｇ）の５’−Ｏ−メシル化および５’−Ｏ−トシル化に関する一般的操作の説明
５’−Ｏ−メシル化
バッチ・サイズ：
２’−デオキシヌクレオチド（４ミリモル）
塩化メタンスルホニル      （４ミリモル）０．３７２ｍｌ
ピリジン  ４０ｍｌ
実験の遂行：
対応する２’−デオキシヌクレオチドをピリジン中に懸濁し（チミジンでは透明な溶液が得られる）、反応混合物を−２０℃に冷却する。塩化メタンスルホニルを３０分間にわたり１滴ずつ添加する。この反応バッチを−２０℃で一晩静置する。反応の進行をＤＣ（溶媒  ジクロロメタン：メタノール  ９：１）で確認する。メタノールで反応を停止させることにより反応を終了したら、ロータリ・エバポレータによる濃縮を行う。精製するには、その後、対応するジクロロメタン：メタノール混合物を用いてカラム・クロマトグラフィーを実施する。この過程で、該化合物は純粋なジクロロメタンに対する可溶性に乏しいことが観察される。
【０２９１】
５’−Ｏ−トシル化
バッチ・サイズ
２’−デオキシヌクレオチド（４ミリモル）
塩化トシル                （４．８ミリモル）
ピリジン  ４０ｍｌ
実験の遂行：
対応する２’−デオキシヌクレオチドをピリジン中に懸濁し（チミジンでは透明な溶液が得られる）、反応混合物を０℃に冷却する。塩化トシルを１５分間にわたりバッチごとに添加する。この反応バッチを氷冷しながら撹拌する。反応の進行をＤＣ（溶媒  ジクロロメタン：メタノール  ９：１）で確認する。メタノールで反応を停止させることにより反応を終了したら、ロータリ・エバポレータによる濃縮を行う。精製するには、その後、ジクロロメタン：メタノール混合物を用いてカラム・クロマトグラフィーを実施する。
【０２９２】
Ｔ−ヌクレオシド（１６ａ〜ｃ）
分析：５’−Ｏ−トシル−２’−デオキシチミジン（１６ａ）
収率          ６８％
Ｒｆ値：      溶媒    ジクロロメタン：メタノール    ９：１    ０．２９
ＥＳＩ（＋）−ＭＳ  （Ｃ１７Ｈ２０Ｎ２Ｏ７Ｓ）
計算上  ３９６．４２  ｇ／ｍｏｌ
検出    ３９７．１  ｇ／ｍｏｌ
融点          １６８−１６９ー Ｃ
ＮＭＲ
１Ｈ−ＮＭＲ  （２５０ＭＨｚ，ＣＤＣｌ３）：１１．３１（ｂｒ．ｓ，１Ｈ，Ｎ−Ｈ），７．８２（ｄ，２Ｈ，アロマティック，ＡＡ’ＢＢ’），７．４４（ｄ，２Ｈ，アロマティック，ＡＡ’ＢＢ’），７．３６（ｄ，１Ｈ，Ｈ−６），６．１４（ｔ，１Ｈ，Ｈ−１’），５．５７（ｄ，１Ｈ，３’−ＯＨ），４．２１（ｍ，３Ｈ，Ｈ−５’＋Ｈ−５”＋Ｈ−３’），３．８５（ｍ，１Ｈ，Ｈ−４’），２．４０（ｓ，３Ｈ，ＣＨ３−トシル），２．１０（ｍ，２Ｈ，Ｈ−２’＋Ｈ−２”），１．７５（ｓ，３Ｈ，ＣＨ３−Ｔ）
５’−Ｏ−メシル−２’−デオキシチミジン（１６ｂ）の分析
2005500855.tif 000022
ＮＭＲ
１Ｈ−ＮＭＲ  （２５０ＭＨｚ，ＤＭＳＯ−ｄ６）：１１．３２（ｂｒ．ｓ，１Ｈ，Ｎ−Ｈ），７．４９（ｄ，１Ｈ，Ｈ−６），６．２６−６．２０（ｔ，１Ｈ，Ｈ−１’），５．４９（ｄ，１Ｈ，３’−ＯＨ），４．２１−４．３５（ｍ，２Ｈ，Ｈ−５’＋Ｈ−５”），４．２９−４．２７（ｍ，１Ｈ，３−Ｈ’），４．０１−３．９６（ｍ，１Ｈ，Ｈ−４’），３．２６（ｓ，３Ｈ，ＣＨ３−メシル），２．５３−２．５０（ｍ，１Ｈ，Ｈ−２’），２．２７−２．０７（ｍ，１Ｈ，Ｈ−２’），１．７９（ｓ，３Ｈ，ＣＨ３−Ｔ）
５’−クロロ−２’デオキシチミジン（１６ｃ）
５’−Ｓ−９−［（４−メトキシフェニル）−キサンテン−９−イル］−メルカプト−２’−デオキシチミジン−３’−Ｏ−（２−シアノエチル，Ｎ，Ｎ’−ジイソプロピルホスファイト）の調製で述べたように反応を行う。
分析：
2005500855.tif 000023
ＮＭＲ
１Ｈ−ＮＭＲ  （２５０ＭＨｚ，ＤＭＳＯ−ｄ６）：１１．３８（ｂｒ．ｓ，１Ｈ，Ｎ−Ｈ），７．５５（ｄ，１Ｈ，Ｈ−６），６．２２（ｔ，１Ｈ，Ｈ−１’），４．２５（ｍ，１Ｈ，３−Ｈ’），４．２４（ｍ，３Ｈ，Ｈ−４’＋Ｈ−５’＋Ｈ−５”），３．３４（ｄ，１Ｈ，３’−ＯＨ），２．３２−２．２１（ｍ，１Ｈ，Ｈ−２’），２．１４−２．０６（ｍ，１Ｈ，Ｈ−２”），１．８（ｓ，３Ｈ，ＣＨ３−Ｔ）
Ａ−ヌクレオシド（１６ｄ〜ｅ）
分析：５’−Ｏ−トシル−Ｎ６−ベンゾイル−２’−デオキシアデノシン（１６ｄ）
収率          ３９％
Ｒｆ値：      溶媒    ジクロロメタン：メタノール    ９：１    ０．４２
ＭＡＬＤＩ−ＭＳ  Ｃ２４Ｈ２３Ｎ５Ｏ６Ｓ
計算上  ５０９．４３
検出    ５０９．６９
ＮＭＲ
１Ｈ−ＮＭＲ  （２５０ＭＨｚ，ＣＤＣｌ３）：δ＝８．６８−８．５６（ｍ，２Ｈ，Ｈ−８  および  Ｈ−２），７．９７−７．９１（ｍ，２Ｈ，オルト−Ｈ  ベンゾイル），７．５８−７．２７（ｍ，７Ｈ，メタ−  および  パラ−Ｈ  ベンゾイル，Ｈ−トシル），６．４２−６．３７（ｍ，１Ｈ，Ｈ−１’），４．７９−４．６９（ｍ，１Ｈ，Ｈ−３’），４．５５−４．５１（ｍ，１Ｈ，Ｈ−４’），２．９３−２．７６（ｍ，２Ｈ，Ｈ−５’＋Ｈ−５”），２．５９−２．４７（ｍ，２Ｈ，Ｈ−２’＋Ｈ−２”），２．３０
（ｓ，３Ｈ，ＣＨ３−トシル）
分析：５’−Ｏ−メシル−Ｎ６−ベンゾイル−２’−デオキシアデノシン（１６ｅ）
収率          ７９％
Ｒｆ値：      溶媒    ジクロロメタン：メタノール    ９：１    ０．３３
ＥＳＩ（−）ＭＳ  Ｃ１８Ｈ１９Ｎ５Ｏ６Ｓ
計算上  ４３３．４
検出    ４３２．３
ＮＭＲ
１Ｈ−ＮＭＲ  （２５０ＭＨｚ，ＤＭＳＯ−ｄ６）：δ＝１１．２（ｓ  ｂｒ．Ｎ−Ｈ），８．７８−８．６６（ｍ，２Ｈ，Ｈ−８  および  Ｈ−２），８．０８−８．０４（ｍ，２Ｈ，オルト−Ｈ  ベンゾイル），７．６９−７．４８（ｍ，３Ｈ，メタ−  および
パラ−Ｈ  ベンゾイル），６．５９−６．５３（ｍ，１Ｈ，Ｈ−１’），４．５６−４．３７（ｍ，２Ｈ，Ｏ−Ｈ  および  Ｈ−３’），４．１８−４．１４（ｍ，１Ｈ，Ｈ−４’），３．３７−３．２７（ｍ，２Ｈ，Ｈ−５’＋Ｈ−５”），３．２１−３．１７（ｄ，３Ｈ，Ｈ−メシル），２．９９−２．８８（ｍ，１Ｈ，Ｈ−２’），２．４７−２．４１（ｍ，１Ｈ，Ｈ−２”）
Ｇ−ヌクレオシド（１６ｆ）
分析：５’−Ｏ−メシル−Ｎ２−イソブチリル−２’−デオキシグアノシン（１６ｆ）
収率          ９３％
Ｒｆ値：      溶媒    ジクロロメタン：メタノール    ９：１    ０．２８
ＥＳＩ（−）ＭＳ  Ｃ１５Ｈ２１Ｎ５Ｏ７Ｓ
計算上  ４１５．４３
検出    ４１４．０
ＮＭＲ：
１Ｈ−ＮＭＲ  （２５０ＭＨｚ，ＤＭＳＯ−ｄ６）δ＝１１．６２（ｓ  ｂｒ．，１Ｈ，Ｎ−Ｈ），８．２２−８．１７（ｓ，１Ｈ，Ｈ−８），６．３１−６．２５（ｍ，１Ｈ，Ｈ−１’），５．５７−５．５５（ｄ，１Ｈ，３’−ＯＨ），４．４６−４．３１（ｍ，３Ｈ，Ｈ−３’＋Ｈ−５’＋Ｈ−５”），４．１１−４．０６（ｍ，１Ｈ，Ｈ−４’），３．１７（ｓ，１Ｈ，ＣＨ３−メシル），２．８３−２．６６（ｍ，２Ｈ，Ｈ−２’および  ＣＨ−イソブチリル），２．４１−２．３１（ｍ，１Ｈ，Ｈ−２”），１．１５−１．０７（ｄｄ，６Ｈ，ＣＨ３−イソブチリル）
Ｃ−ヌクレオシド（１６ｇ）
分析：５’−Ｏ−メシル−Ｎ４−ベンゾイル−２’−デオキシシチジン（１６ｇ）
収率          ４８％
Ｒｆ値：      溶媒    ジクロロメタン：メタノール    ９：１    ０．２８
ＥＳＩ（−）ＭＳ  Ｃ１７Ｈ１９Ｎ３Ｏ７Ｓ
計算上  ４０９．４２
検出    ４０８．１
ＮＭＲ：
１Ｈ−ＮＭＲ  （２５０ＭＨｚ，ＤＭＳＯ）：δ＝１１．２７（ｂ，１Ｈ，Ｎ−Ｈ），８．３３（ｄ，１Ｈ，Ｈ−６），８．１４−８．０３（ｍ，２Ｈ，オルト−Ｈ  ベンゾイル），７．６７−７．４９（ｍ，３Ｈ，メタ−  および  パラ−Ｈ  ベンゾイル），７．３９−７．３６（ｄ，１Ｈ，Ｈ−５），６．２４−６．１９（ｍ，１Ｈ，Ｈ−１’），５．５６−５．５４（ｄ，１Ｈ，３’−ＯＨ），４．４９−４．３９（ｍ，２Ｈ，Ｈ−５’およびＨ−５”），４．３１−４．２５（ｍ，１Ｈ，Ｈ−３’），４．１３−４．０８（ｍ，１Ｈ，Ｈ−４’），３．２６（ｓ，３Ｈ，ＣＨ３−メシル），２．４２−２．３２（ｍ，１Ｈ，Ｈ−２），２．２５−２．０８（ｍ，１Ｈ，Ｈ−２”）
【０２９３】
５’−Ｓ−（４，４’−ジメトキシトリフェニル）−メルカプト−２’−デオキシヌクレオチド（１７ａ〜ｄ）に関する一般的操作の説明
バッチ・サイズ：
５’−Ｘ−ヌクレオシド（１６ａ〜ｇ）          （１ミリモル）
４，４’−ジメトキシトリフェニルメタンチオール（１．５ミリモル）
１，１，３，３−テトラメチルグアニジン        （１．１１ミリモル）
ＤＭＳＯ  １０ｍｌ
実験の遂行：
５’−Ｘ−ヌクレオシド（１６ａ〜ｇ）と４，４’−ジメトキシトリフェニルメタンチオール（１５）を一緒に一晩、ポンプ真空中で乾燥する。保護ガス雰囲気中でＤＭＳＯを添加し、この溶液に１，１，３，３−テトラメチルグアニジンを１滴ずつゆっくり添加する。３時間後、反応の進行をＤＣ（溶媒  ＤＣＭ：ＭｅＯＨ  ９５：５）で確認する。その時点で反応が終了したと見なされる場合、反応溶液を、冷却したジクロロメタン３００ｍｌに注ぎ、有機溶液を飽和炭酸一ナトリウム溶液１５０ｍｌで抽出する（注意：圧力）。水相をジクロロメタン１００ｍｌで再抽出する。有機相を合わせ、水１００ｍｌで４回抽出し、硫酸マグネシウムで脱水する。精製するには、その後ジクロロメタンとメタノールの溶媒混合物を用いてカラム・クロマトグラフィーを実施する。
分析：５’−Ｓ−（４，４’−ジメトキシトリフェニル）−２’−デオキシチミジン（１７ａ）
下記の化合物を使用した場合の収率：
ａ．５’−Ｃｌ−２’−デオキシチミジン（１６ｃ）        ６３．６％
ｂ．５’−Ｏ−トシル−２’−デオキシチミジン（１６ａ）  ９４％
ｃ．５’−Ｏ−メシル−２’−デオキシチミジン（１６ｂ）  ９７．５％
Ｒｆ値：      溶媒    ジクロロメタン：メタノール    ９：１    ０．５１
ＥＳＩ（−）ＭＳ  Ｃ３１Ｈ３２Ｎ２Ｏ６Ｓ
計算上  ５５９．６６
検出    ５５９．５
ＮＭＲ
１Ｈ−ＮＭＲ  （２５０ＭＨｚ，ＣＤＣｌ３）：８．８１（ｂｒ．Ｓ，１Ｈ，Ｎ−Ｈ），７．６４−７．５６（ｍ，１Ｈ，Ｈ−６），７．３５−７．１４（ｍ，９Ｈ，アロマティック），６．７７−６．７１（ｍ，４Ｈ，アロマティック），６．１４−６．０９（ｄｄ，１Ｈ，Ｈ−１’），４．０５−４．０３（ｍ，１Ｈ，Ｈ−４’），３．７６−３．７４（ｍ，１Ｈ，Ｈ−３’），３，７（ｓ，６Ｈ，２×ＯＣＨ３），２．６−２．５３（ｍ，１Ｈ，Ｈ−５’），２．４５−２．３８（ｍ，１Ｈ，Ｈ−５”），２．２５−２．１８（ｍ，２Ｈ，Ｈ−２’＋  Ｈ−２”），１．７８（ｄ，３Ｈ，ＣＨ３−Ｔ）
分析：５’−Ｓ−（４，４’−ジメトキシトリフェニル）−Ｎ６−ベンゾイル−２’−デオキシアデノシン（１７ｂ）
下記の化合物を使用した場合の収率：
ａ．５’−Ｏ−トシル−Ｎ６−ベンゾイル−２’−デオキシアデノシン（１６ｄ）    ９４％
ｂ．５’−Ｏ−メシル−Ｎ６−ベンゾイル−２’−デオキシアデノシン（１６ｅ）    ４１％
Ｒｆ値：      溶媒    ジクロロメタン：メタノール    ９：１    ０．４５
ＥＳＩ（−）ＭＳ  Ｃ３８Ｈ３５Ｎ５Ｏ５Ｓ
計算上  ６７３．７７
検出    ６７２．６
ＮＭＲ
１Ｈ−ＮＭＲ  （２５０ＭＨｚ，ＣＤＣｌ３）：δ＝９．０８（ｓ，１Ｈ，Ｎ−Ｈ），８．６５，８．２２（ｓ，２Ｈ，Ｈ−２  および  Ｈ−８），７．９３−７．９２（ｍ，２Ｈ，オルト−Ｈ−ベンゾイル），７．５１−７．１１（ｍ，１２Ｈ，アロマティック），６．７４−６．６８（ｍ，４Ｈ，アロマティック），６．２７−６．２２（ｍ，１Ｈ，Ｈ−１’），４．３３−４．２９（ｍ，１Ｈ，Ｈ−３’），３．７７−３．７４（ｍ，１Ｈ，Ｈ−４’），３．６９（ｓ，６Ｈ，２×ＯＣＨ３），２．７４−２．３６（ｍ，４Ｈ，Ｈ−５’＋Ｈ−５”＋Ｈ−２’＋Ｈ−２”）
分析：５’−Ｓ−（４，４’−ジメトキシトリフェニル）−Ｎ２−イソブチリル−２’−デオキシグアノシン（１７ｃ）
下記の化合物を使用した場合の収率：
ａ．５’−Ｏ−メシル−Ｎ２−イソブチリル−２’−デオキシグアノシン（１６ｆ）  ４５％
Ｒｆ値：      溶媒    ジクロロメタン：メタノール    ９：１    ０．４３
ＥＳＩ（−）ＭＳ  Ｃ３５Ｈ３７Ｎ５Ｏ６Ｓ
計算上  ６５５．７６
検出    ６５６．１
ＮＭＲ：
１Ｈ−ＮＭＲ  （２５０ＭＨｚ，ＣＤＣｌ３）δ＝１０．２４（ｓ  ｂｒ．，１Ｈ，Ｎ−Ｈ），７．６６（ｓ，１Ｈ，Ｈ−８），７．２９−７．０２（ｍ，９Ｈ，アロマティック），６．７５−６．６２（ｍ，４Ｈ，アロマティック），５．９８−５．９３（ｔ，１Ｈ，Ｈ−１’），４．９８（ｓ  ｂｒ．，１Ｈ，３’−ＯＨ），４．６３（ｍ，１Ｈ，Ｈ−３’），４．０９−４．０１（ｍ，１Ｈ，Ｈ−４’），３．６４（ｓ，６Ｈ，２×ＯＣＨ３），２．８９−２．８４（ｍ，１Ｈ，ＣＨ−イソブチリル），２．５３−２．４５（ｍ，２Ｈ，Ｈ−５’および  Ｈ−５”），２．３１（ｍ，２Ｈ，Ｈ−２’および  Ｈ−２”），１．２１−１．１６（ｄｄ，６Ｈ，ＣＨ３−イソブチリル）
分析：５’−Ｓ−（４，４’−ジメトキシトリフェニル）−Ｎ４−ベンゾイル−２’−デオキシシチジン（１７ｄ）
下記の化合物を使用した場合の収率：
ｂ．５’−Ｏ−メシル−Ｎ４−ベンゾイル−２’−デオキシシチジン（１６ｇ）８２％
Ｒｆ値：      溶媒    ジクロロメタン：メタノール    ９：１    ０．４４
ＥＳＩ（−）ＭＳ  Ｃ３５Ｈ３７Ｎ５Ｏ６Ｓ
計算上  ６４９．７７
検出    ６３４．４  （ＣＨ３基の切断）
ＮＭＲ
１Ｈ−ＮＭＲ  （２５０ＭＨｚ，ＣＤＣｌ３）：δ＝８．１７−８．１５（ｍ，１Ｈ，Ｈ−６），７．８６−７．０４（ｍ，１６Ｈ，オルト−Ｈ  ベンゾイル，Ｈ−トリチル），７．８１−６．７７（ｍ，２Ｈ，アロマティック），６．０６−６．０１（ｄ，１Ｈ，Ｈ−１’），３．９０−３．８３（ｍ，２Ｈ，Ｈ−３’および  Ｈ−４’），３．７３（ｓ，６Ｈ，２×ＯＣＨ３），２．５７−２．２９（ｍ，４Ｈ，Ｈ−５’＋Ｈ−５”＋Ｈ−２’＋Ｈ−２”）
【０２９４】
５’−Ｓ−（４，４’−ジメトキシトリフェニル）−メルカプト−２’−デオキシヌクレオチド−３’−Ｏ−（２−シアノエチル，Ｎ，Ｎ’−ジイソプロピルホスファイト）（１８ａ〜ｄ）に関する一般的操作の説明
バッチ・サイズ：
５’−Ｓ−（４，４’−ジメトキシトリフェニル）ヌクレオシド（１７ａ〜ｄ）（１ミリモル）
亜リン酸モノ−（２−シアノエチルエステル）ジイソプロピルアミドクロリド（１．２ミリモル）
Ｎ−エチルジイソプロピルアミン（３ミリモル）
ＤＣＭ  ４ｍｌ
ＡＣＮ  ４ｍｌ
実験の遂行：
５’−Ｓ−（４，４’−ジメトキシトリフェニル）ヌクレオシド（１７ａ〜ｄ）をポンプ真空中で一晩乾燥させる。ＤＣＭ：ＡＣＮおよびＤＩＰＥＡを保護ガス雰囲気中で添加する。亜リン酸化試薬を氷冷しながら１滴ずつゆっくり添加する。この反応を、ＤＣ（溶媒  ９５：５）で約１時間モニタする。ブタノール０．５ｍｌを添加することによって反応を停止させる。反応溶液をロータリ・エバポレータで処理し、ＤＣＭ：ジエチルエーテル６ｍｌに溶解し、冷ペンタン１２０ｍｌ中にピペットを使用して移す。形成された沈殿物を吸引ろ過し、次いで乾燥する。次いで純度に応じてカラム・クロマトグラフィーを実施する。
分析：５’−Ｓ−（４，４’−ジメトキシトリフェニル）−メルカプト−２’−デオキシチミジン−３’−Ｏ−（２−シアノエチル，Ｎ，Ｎ’−ジイソプロピルホスファイト）（１８ａ）
収率      ７３％
Ｒｆ値：  溶媒    ジクロロメタン：メタノール    ９：１    ０．６５
ＥＳＩ（＋）ＭＳ  Ｃ４０Ｈ４９Ｎ４Ｏ７ＰＳ
計算上  ７６０．８６
検出    ７６１．２
ＮＭＲ
３１Ｐ−ＮＭＲ    ＣＤＣｌ３  ＋０．１％ＤＩＰＥＡ
１４９．５５，  １４９．３５ｐｐｍ
分析：５’−Ｓ−（４，４’−ジメトキシトリフェニル）−メルカプト−Ｎ６−ベンゾイル−２’−デオキシアデノシン−３’−Ｏ−（２−シアノエチル，Ｎ，Ｎ’−ジイソプロピルホスファイト）（１８ｂ）
2005500855.tif 000024
ＮＭＲ
３１Ｐ−ＮＭＲ    ＣＤＣｌ３  ＋０．１％ＤＩＰＥＡ
１４９．９９，  １４９．７４ｐｐｍ
分析：５’−Ｓ−（４，４’−ジメトキシトリフェニル）−メルカプト−Ｎ６−イソブチリル−２’−デオキシグアノシン−３’−Ｏ−（２−シアノエチル，Ｎ，Ｎ’−ジイソプロピルホスファイト）（１８ｃ）
2005500855.tif 000025
ＮＭＲ
３１Ｐ−ＮＭＲ    ＣＤＣｌ３  ＋０．１％ＤＩＰＥＡ
１５０．１３，  １４８．９３ｐｐｍ
分析：５’−Ｓ−（４，４’−ジメトキシトリフェニル）−メルカプト−Ｎ４−ベンゾイル−２’−デオキシシチジン−３’−Ｏ−（２−シアノエチル，Ｎ，Ｎ’−ジイソプロピルホスファイト）（１８ｄ）
収率      ７６．４％
Ｒｆ値：  溶媒    ジクロロメタン：メタノール    ９：１    ０．７６および０．６７ＥＳＩ（＋）ＭＳ  Ｃ４６Ｈ５２Ｎ５Ｏ７ＰＳ
計算上  ８４９．９９
検出    ８３２．５  （ＣＨ３基の切断）
ＮＭＲ
３１Ｐ−ＮＭＲ    ＣＤＣｌ３  ＋０．１％ＤＩＰＥＡ
１５０．４３，  １４９．９９ｐｐｍ
【実施例１５】
【０２９５】
［光に不安定なアミダイト  １−｛５’−Ｏ−（４，４’−ジメトキシトリチル）−２’−Ｏ−｛［（２−ニトロベンジル）−オキシ］メチル｝−β−Ｌ−リボフラノシル｝ウラシル３’−［（２−シアノエチル）−ジイソプロピルホスホロアミダイト］（１−５）の合成］
１−｛５’−Ｏ−（４，４’−ジメトキシトリチル）−２’−Ｏ−｛［（２−ニトロベンジル）−オキシ］メチル｝−β−Ｌ−リボフラノシル｝ウラシル３’−［（２−シアノエチル）−ジイソプロピルホスホロアミダイト］（５）の合成は、図１３に示す合成スキームを使用して本実施例に従って行う。
【０２９６】
１）ｏ−ニトロベンジルメチルチオメチルエーテル（１−２）（Ｃ９Ｈ１１ＮＯ３Ｓ、Ｍｗ  ２１３．２６）
ｏ−ニトロベンジルアルコール（２．６５５ｇ、１７．３４ミリモル）とクロロメチルメチルスルフィド（２．００８ｇ、２０．０８ミリモル）を乾燥ベンゼン１２ｍｌに溶かした溶液を、硝酸銀（３．２４ｇ、１９．０７ミリモル）とトリエチルアミン（２．１０５ｇ、２０．８ミリモル）を乾燥ベンゼン２０ｍｌに溶かした溶液に、５分以内で１滴ずつ添加した。この溶液を６０℃で２４時間加熱し、次いで乾燥Ｃｅｌｉｔｅ（登録商標）カラムに通してろ過した。溶液をジクロロメタンで抽出し、３％リン酸水溶液、飽和炭酸一ナトリウム水溶液、および水で洗浄し、次いで乾燥した。残留物を、カラム・クロマトグラフィーによりシリカゲルで精製した（ジクロロメタン：ｎ−ヘキサン＝２：３）。
生成物：１．２５ｇ（３４％）
ＴＬＣ（ＭＣ：Ｈｅｘ＝１：２）：Ｒｆ＝０．１５．
１Ｈ−ＮＭＲ（４００ＭＨｚ，ＣＤＣｌ３），δ（ｐｐｍ）：２．１９（ｓ，３Ｈ，−Ｓ−ＣＨ３）；４．７７（ｓ，２Ｈ，−Ｏ−ＣＨ２−Ｓ）；４．９８（ｓ，２Ｈ，Ａｒ−ＣＨ２−Ｏ）；７．４２- ８．０７（ｍ，４Ｈ，Ａｒ−Ｈ）
【０２９７】
２）ｏ−ニトロベンジルクロロメチルエーテル（１−３）（Ｃ８Ｈ８ＣｌＮＯ３、Ｍｗ  ２０１．６１）
新たに蒸留した塩化イオウ（１．５７ｇ、１１．３５ミリモル）を乾燥ジクロロメタン１０ｍｌに溶かしたものを、純粋な乾燥ｏ−ニトロベンジルクロロメチルエーテル（２．４２ｇ、１１．３５ミリモル）を乾燥ジクロロメタン２０ｍｌに溶かした溶液に、１０分以内に室温で１滴ずつ添加し、その後、１時間撹拌した。ロータリ・エバポレータを用いて溶液を蒸発させた。バルブ・チューブ・オーブンを用い、１００〜１１０℃および６．６５Ｐａ（０．０５ｔｏｒｒ）で残留物を蒸留した。この生成物を、蒸留せずに長時間保存することはできない。
生成物：２．０９ｇ（９１％）
ＴＬＣ（ＭＣ）：Ｒｆ＝０．０７．
１Ｈ−ＮＭＲ（２５０ＭＨｚ，ＣＤＣｌ３），δ（ｐｐｍ）：５．１５（ｓ，２Ｈ，Ａｒ−ＣＨ２−Ｏ−ＣＨ２−）；５．６３（ｓ，２Ｈ−Ｏ−ＣＨ２−Ｃｌ）；７．４５−８．１２（ｍ，４Ｈ，Ａｒ−Ｈ）．
ＭＳ（ＥＳＩ）＝２１７．５［Ｍ＋ＮＨ３］＋
【０２９８】
３）１−｛５’−Ｏ−（４，４’−ジメトキシトリチル）−２’−Ｏ−｛［（２−ニトロベンジル）オキシ］メチル｝−β−Ｌ−リボフラノシル｝ウラシル（１−４）および１−｛５’−Ｏ−（４，４’−ジメトキシトリチル）−３’−Ｏ−｛［（２−ニトロベンジル）オキシ］メチル｝−β−Ｌ−リボフラノシル｝ウラシル（１−４−１）（Ｃ３８Ｈ３７Ｎ３Ｏ１１、Ｍｗ  ７１１．７２）
エチルジイソプロピルアミン（２．１０ｇ、１６．２５ミリモル）およびＢｕ２ＳｎＣｌ２（１．１８ｇ、３．９０ミリモル）を、物質Ａ（図１３参照）（１．７７３ｇ、３．２５ミリモル）を１，２−ジクロロエタン１２ｍｌに溶かしたものに添加した。この溶液を、アルゴン中９０分間室温で撹拌し、その後７０℃で加熱した。
【０２９９】
７０℃の該溶液にｏ−ニトロベンジルメチルクロロメチルエーテルを添加した。３０分後、この混合物をジクロロメタンで抽出し、飽和炭酸一ナトリウム水溶液で洗浄し、乾燥した。残留物を、カラム・クロマトグラフィーによりシリカゲル上で精製した（酢酸エチル：ｎ−ヘキサン＝３：２、その後１：９）。
生成物：物質４  １．０２ｇ（４４％）、物質４−１  ０．７８ｇ（３３．７％）
ＴＬＣ（Ｈｅｘ：ＥｔＯＡｃ＝１：９）  Ｒｆ＝０．６１（物質４），０．３６（物質４−１）．
１Ｈ−ＮＭＲ  （１−４，４００ＭＨｚ，ＣＤＣｌ３），δ（ｐｐｍ）：２．６７（ｂｒ．ｄ，ＯＨ−Ｃ（３’）；３．５２（ｄｄ，Ｈ−Ｃ（５’）；３．５５（ｄｄ，Ｈ’−Ｃ（５’））；３．７９（ｓ’２ＭｅＯ）；４．１０（ｂｒ．ｄ，ＯＨ−Ｃ（３’））；４．３８（ｄｄ，Ｈ−Ｃ（２’））；４．５５（ｂｒ．ｑ，Ｈ−Ｃ（３’））；５．０３，５．０９（２ｄ，ＯＣＨ２Ｏ）；５．０４，５．１８（２ｄ，ＡｒＣＨ２Ｏ）；５．２９（ｄ，Ｈ−Ｃ（５））；６．０４（ｄ，Ｈ−Ｃ（１’））；６．８２−６．８７（ｍ，Ａｒ−４Ｈ）；７．２１−７．７６（ｍ，Ａｒ−１２Ｈ）；７．９４（ｄ，Ｈ−Ｃ（６））；８．０６−８．０９（ｍ，Ａｒ−１Ｈ）；９．０２（ｂｒ．ｓ，Ｈ−Ｎ（３））．
ＭＳ（ＥＳＩ）＝７４６．５［Ｍ＋Ｃｌ］＋
【０３００】
４）１−｛５’−Ｏ−（４，４’−ジメトキシトリチル）−２’−Ｏ−｛［（２−ニトロベンジル）オキシ］メチル｝−β−Ｌ−リボフラノシル｝ウラシル３’−［（２−シアノエチル）−ジイソプロピルホスホロアミダイト］（１−５）（Ｃ４７Ｈ５４Ｎ５Ｏ９Ｐ、Ｍｗ  ８６３．９５）
エチルジイソプロピルアミン（２２７ｍｇ、１．７５５ミリモル）およびホスホロアミダイトＢ（９１ｍｇ、０．３８５ミリモル）を、ジクロロメタン１．５ｍｌとアセトニトリル１．５ｍｌの混合物３ｍｌに物質４（２５０ｍｇ、０．３５１ミリモル）を溶かしたものに添加した。溶液をアルゴン中で１時間撹拌し、ブタノールで反応を停止させ、酢酸エチルで抽出し、５％炭酸一ナトリウムおよび飽和塩化ナトリウム水溶液で洗浄し、次いで蒸発させた。残留物を、ジクロロメタン１．５ｍｌとエーテル１．５ｍｌの混合物３ｍｌに溶解し、その後、冷ペンタン１５０ｍｌに１滴ずつ添加して（氷浴）ろ過した。
【０３０１】
生成物：２７３ｍｇ（９０％）
ＴＬＣ（Ｈｅｘ：ＥｔＯＡｃ＝２：３）  Ｒｆ＝０．５，０．４２．
１Ｈ−ＮＭＲ（４００Ｈｚ，ＣＤＣｌ３），δ（ｐｐｍ）：１．０２，１．１１，１．１３（３ｄ，１２Ｈ，Ｍｅ２ＣＨ）；２．４４，２．６１（２ｔ，２Ｈ，ＯＣＨ２ＣＨ２ＣＮ）；３．４１−３．７４（ｍ，５Ｈ，Ｍｅ２ＣＨ，Ｈ−Ｃ（５’），ＯＣＨ２ＣＨ２ＣＮ）；３．７８，３．７９（２ｓ，６Ｈ，ＭｅＯ）；３．９１（ｍ，１Ｈ，ＯＣＨ２ＣＨ２ＯＮ）；４．２１（ｄｔ，０．５Ｈ，Ｈ−Ｃ（４’））；４．２７（ｄｔ，０．５Ｈ，Ｈ−Ｃ（４’））；４．４５（ｄｄ，０．５Ｈ，Ｈ−Ｃ（２’））；４．５１（ｂｒ．ｔ，０．５Ｈ，Ｈ−Ｃ（２’））；４．５３−４．５８（ｍ，１Ｈ，Ｈ−Ｃ（３’））；５．００−５．０７（ｍ，４Ｈ，ＯＣＨ２Ｏ，ＡｒＣＨ２）；５．１９，５．２３（２ｄ，１Ｈ，Ｈ−Ｃ（５））；６．０６（ｄ，０．５Ｈ，Ｈ−Ｃ（１’））；６．１０（ｄ，０．５Ｈ，Ｈ−Ｃ（１’））；６．８１−６．８５（ｍ，Ａｒ−４Ｈ）；７．２２−７．４５（ｍ，Ａｒ−１０Ｈ）；７．６０，７．７８（２ｍ，Ａｒ−２Ｈ）；７．８７，７．９５（２ｄ，１Ｈ，Ｈ−Ｃ（６））；８．０６（ｍ，Ａｒ−１Ｈ）；８．６８（ｂｒ．ｓ，１Ｈ，Ｈ−Ｎ（２））．
３１Ｐ−ＮＭＲ（１６２ＭＨｚ）：１５１．４，  １５０．４
ＭＳ（ＥＳＩ）＝８８７［Ｍ＋Ｎａ］＋
【実施例１６】
【０３０２】
［光に不安定なアミダイト  １−｛５’−Ｏ−（４，４’−ジメトキシトリチル）−２’−Ｏ｛［（１−（ｏ−ニトロベンジル）エチル）オキシ］メチル｝−β−Ｌ−リボフラノシル｝ウラシル３’−［（２−シアノエチル）−ジイソプロピルホスホロアミダイト］（２−６）の合成］
１−｛５’−Ｏ−（４，４’−ジメトキシトリチル）−２’−Ｏ｛［（１−（ｏ−ニトロベンジル）エチル）オキシ］メチル｝−β−Ｌ−リボフラノシル｝ウラシル３’−［（２−シアノエチル）−ジイソプロピルホスホロアミダイト］（２−６）の合成は、図１４に示すスキームを使用して本実施例で実施した。
【０３０３】
１）１−（ｏ−ニトロフェニル）エタノール（２−２）（Ｃ８Ｈ９ＮＯ３、Ｍｗ  １６７．１６）
３ｇのＮａＢＨ４と３ｍｌの水を、室温で酸化アルミニウム１０ｇに添加した。この混合物を６時間撹拌し、その後、真空ポンプを用いて約１８時間乾燥した。
【０３０４】
ｏ−ニトロアセトフェノンを乾燥ジエチルエーテル６０ｍｌに溶かしたものを、ＮａＢＨ４−Ａｌｏｘ（酸化アルミニウム）を乾燥ジエチルエーテル６０ｍｌに溶かしたものに室温で添加し、２時間撹拌した。溶液を、カラム・クロマトグラフィーを実施せずにシリカゲルでろ過した。
生成物：５．５０ｇ（９９．８％）
ＴＬＣ（ＭＣ：Ｈｅｘ＝３：１）：Ｒｆ＝０．１４．
１Ｈ−ＮＭＲ  （２５０ＭＨｚ，ＣＤＣｌ３），δ（ｐｐｍ）：１．４８，１．５０（ｄ，３Ｈ，−ＣＨ３）；２．４２（ｂｒ，１Ｈ，−ＯＨ）；５．３０−５．３７（ｑ，１Ｈ，−ＣＨ（ＣＨ３）−）；７．３０−７．８３（ｍ，４Ｈ，Ａｒ−Ｈ）
【０３０５】
２）１−（ｏ−ニトロフェニル）エチルメチルチオメチルエーテル（２−３）（Ｃ１０Ｈ１３ＮＯ３Ｓ、Ｍｗ  ２２７．２８）
１−（ｏ−ニトロフェニル）エタノール（５．５２ｇ、３３．００ミリモル）とクロロメチルメチルスルフィド（３．８２ｇ、３９．５５ミリモル）とを乾燥ベンゼン１２ｍｌに溶かした溶液を、硝酸銀（６．１７ｇ、３６．３ミリモル）とトリエチルアミン（４．０１ｇ、３９．６３ミリモル）とを乾燥ベンゼン２０ｍｌに溶かした溶液に、５分以内で１滴ずつ添加した。この溶液を６０℃で２４時間加熱し、その後、乾燥Ｃｅｌｉｔｅ（登録商標）カラムに通してろ過した。溶液をジクロロメタンで抽出し、３％リン酸水溶液、飽和炭酸一ナトリウム水溶液、および水で洗浄し、その後乾燥した。残留物を、カラム・クロマトグラフィーによりシリカゲルで精製した（ジクロロメタン：ｎ−ヘキサン＝１：２）。
生成物：１．７０ｇ（２２．６７％）
ＴＬＣ（ＭＣ：Ｈｅｘ＝３：１）：Ｒｆ＝０．５．
１Ｈ−ＮＭＲ  （４００ＭＨｚ，ＣＤＣｌ３），δ（ｐｐｍ）：１．５０，１．５２（ｄ，３Ｈ，Ａｒ−ＣＨ（ＣＨ３）−）；２．１０（ｓ，３Ｈ，−Ｓ−ＣＨ３）；４．２９，４．３１，４．５９，４．６２（ｄｄ，２Ｈ，−Ｏ−ＣＨ２−Ｓ）；５．３７，５．３９，５．４０，５．４２（ｑ，１Ｈ，−ＣＨ（ＣＨ３）−Ｏ）；７．３９−７．９０（ｍ，４Ｈ，Ａｒ−Ｈ）
【０３０６】
３）１−（ｏ−ニトロフェニル）エチルクロロメチルエーテル（２−４）（Ｃ９Ｈ１０ＮＯ３Ｃｌ、Ｍｗ  ２１５．６４）
新たに蒸留した塩化イオウ（１．５７ｇ、１１．３５ミリモル）を乾燥ジクロロメタン１０ｍｌに溶かしたものを、純粋な１−（ｏ−ニトロフェニル）エチルメチルチオメチルエーテルをジクロロメタン１５ｍｌに溶かした溶液に、室温で１０分以内に１滴ずつ添加し、１時間撹拌した。ロータリ・エバポレータを用いてこの溶液を蒸発させた。バルブ・チューブ・オーブンを用い、１００〜１１０℃および６．６５Ｐａ（０．０５ｔｏｒｒ）で残留物を蒸留した。生成物は、蒸留せずに長期間保存することができない。
生成物：２．０９ｇ（９１％）
ＴＬＣ（ＭＣ）：Ｒｆ＝０．０７．
１Ｈ−ＮＭＲ  （２５０ＭＨｚ，ＣＤＣｌ３），δ（ｐｐｍ）：１．５２，１．５４（ｄ，３Ｈ，−ＣＨ（ＣＨ３）−Ｏ−）；５．１７，５．１８（ｄ，１Ｈ−Ｏ−ＣＨ２−Ｃｌ）；５．３６−５．５２（ｍ，３Ｈ，−ＣＨ（ＣＨ３）−Ｏ−ＣＨ２−），７．３４−７．９１（ｍ，４Ｈ，Ａｒ−Ｈ）
【０３０７】
４）１−｛５’−Ｏ−（４，４’−ジメトキシトリチル）−２’−Ｏ−｛［（１−（ｏ−ニトロベンジル）エチル）オキシ］メチル｝−β−Ｌ−リボフラノシル｝ウラシル（２−５）および１−｛５’−Ｏ−（４，４’−ジメトキシトリチル）−３’−Ｏ−｛［（１−（ｏ−ニトロベンジル）エチル）オキシ］メチル｝−β−Ｌ−リボフラノシル｝ウラシル（２−５−１）（Ｃ３９Ｈ３９Ｎ３Ｏ１１、Ｍｗ  ７２５．７５）
エチルジイソプロピルアミン（１．５５ｇ、１２ミリモル）およびＢｕ２ＳｎＣｌ２（０．８７５ｇ、２．８８ミリモル）を、物質Ａを１，２−ジクロロメタン１２ｍｌに溶かしたものに添加した。溶液を、アルゴン中で９０分間室温で撹拌し、その後７０℃に加熱した。
【０３０８】
７０℃の該溶液に、１−（ｏ−ニトロフェニル）エチルクロロメチルエーテルを添加した。３０分後、この混合物をジクロロメタンで抽出し、飽和炭酸一ナトリウム水溶液で洗浄し、乾燥した。残留物を、カラム・クロマトグラフィーによりシリカゲルで精製した（酢酸エチル：ｎ−ヘキサン＝３：２）。
生成物：物質５  ７４０ｍｇ（４２．５％）、物質５−１  ５５０ｍｇ（３１．６％）ＴＬＣ（Ｈｅｘ：ＥｔＯＡｃ＝１：９）  Ｒｆ＝０．６８（物質５）、０．４３（物質５−１）
１Ｈ−ＮＭＲ  （２−５，４００ＭＨｚ，ＣＤＣｌ３），δ（ｐｐｍ）：１．５５−１．５７（ｔ，３Ｈ，−ＣＨ（ＣＨ３）；２．６２（ｂｒ．ｄ，ＯＨ−Ｃ（３’）；３．５５（ｄｄ，Ｈ−Ｃ（５’）；３．８１（ｓ，２ＭｅＯ）；４．１２（ｂｒ．ｄ，ＯＨ−Ｃ（３’））；４．１１（ｄｄ，Ｈ−Ｃ（２’））；４．５５（ｂｒ．ｑ，Ｈ−Ｃ（３’））；４．９４，５．０１（２ｄ，ＯＣＨ２Ｏ）；５．２９（ｄ，Ｈ−Ｃ（５））；６．０２（ｄ，Ｈ−Ｃ（１’））；６．８２−６．８８（ｍ，Ａｒ−４Ｈ）；７．２５−７．７８（ｍ，Ａｒ−１２Ｈ）；７．９６（ｄ，Ｈ−Ｃ（６））；７．９１−７．９７（ｍ，Ａｒ−１Ｈ）．
ＭＳ（ＭＡＬＤＩ）＝７４７［Ｍ＋Ｎａ］＋
【０３０９】
５）１−｛５’−Ｏ−（４，４’−ジメトキシトリチル）−２’−Ｏ−｛［（１−（ｏ−ニトロベンジル）エチル）オキシ］メチル｝−β−Ｌ−リボフラノシル｝ウラシル３’−［（２−シアノエチル）−ジイソプロピルホスホロアミダイト］（２−６）
（Ｃ４８Ｈ５６Ｎ５Ｏ１２Ｐ、Ｍｗ  ９２５．９７）
エチルジイソプロピルアミン（１７８ｍｇ、１．３８ミリモル）およびジイソプロピルホスホロアミダイトＢ（７８．４ｍｇ、０．３３１ミリモル）を、ジクロロメタン１．５ｍｌとアセトニトリル１．５ｍｌとの混合物３ｍｌに物質（２−５）を溶かしたものに、添加した。溶液をアルゴン中で１時間撹拌し、ブタノールで反応を停止させ、酢酸エチルで抽出し、５％炭酸一ナトリウムおよび飽和塩化ナトリウム水溶液で洗浄し、乾燥して蒸発させた。ジクロロメタン１．５ｍｌとエタン１．５ｍｌとの混合物３ｍｌに残留物を溶解し、次いで冷ペンタン１５０ｍｌに１滴ずつ添加し（氷浴）、次いでろ過した。
【０３１０】
生成物：１７７ｍｇ（９２％）
ＴＬＣ（Ｈｅｘ：ＥｔＯＡｃ＝２：３）  Ｒｆ＝０．３５、０．２７．
１Ｈ−ＮＭＲ（４００Ｈｚ，ＣＤＣｌ３），δ（ｐｐｍ）：１．０１−１．１９（ｍ，１２Ｈ，Ｍｅ２ＣＨ）；１．５２−１．５７（ｍ，３Ｈ，−ＣＨ（ＣＨ３）−Ｏ−）；２．４０，２．４７（２ｔ，２Ｈ，ＯＣＨ２ＣＨ２ＣＮ）；３．３８−３．６７（ｍ，５Ｈ，Ｍｅ２ＣＨ，Ｈ−Ｃ（５’），ＯＣＨ２ＣＨ２ＣＮ）；３．８０，３．８１（２ｓ，６Ｈ，ＭｅＯ）；３．９１（ｍ，１Ｈ，ＯＣＨ２ＣＨ２ＣＮ）；４．１１−４．２４（ｍ，１Ｈ，Ｈ−Ｃ（４’））；４．３９−４．６８（ｍ，３Ｈ，Ｈ−Ｃ（２’）および（３’））；４．８５−４．９７（ｍ，４Ｈ，ＯＣＨ２Ｏ，ＡｒＣＨ２）；５．１４，５．２０（２ｄ，１Ｈ，Ｈ−Ｃ（５））；６．０６（ｄ，０．５Ｈ，Ｈ−Ｃ（１’））；６．１６（ｄ，０．５Ｈ，Ｈ−Ｃ（１’））；６．８３−６．８７（ｍ，Ａｒ−４Ｈ）；７．２２−７．４５（ｍ，Ａｒ−１０Ｈ）；７．６０，７．７８（２ｍ，Ａｒ−２Ｈ）；７．８７，７．９５（２ｄ，１Ｈ，Ｈ−Ｃ（６））；７．９８（ｍ，Ａｒ−１Ｈ）；
３１Ｐ−ＮＭＲ（１６２ＭＨｚ）：１５１．２，  １５０．５
ＭＳ（ＭＡＬＤＩ）＝９４８［Ｍ＋Ｎａ］＋
【図面の簡単な説明】
【０３１１】
【図１】ホスホロアミダイト構成単位を合成するためのスキームを示す図。
【図２】修飾オリゴヌクレオチドの切断の定量的経過を表すゲルを示す図。左から右に、  １．５’−ＴＴＧ  ＡＣＧ  ＧＴＡ  ＴＡＴ  ＣＴ−３’（１４量体の対照）＋色素（ＸＣ＋ＢＰ）  ２．５’−ＡＧＣ  ＣＣＴ  ＴＡＣ  Ｔ−３’（１０量体の対照）  ３．モデル・オリゴヌクレオチド５’−ＡＧＣ  ＣＣＴ  ＴＡＣ  ＴＴＴ  ＧＡＣ  ＧＧＴ  ＡＴＡ  ＴＣＴ−３  ４．ブランク  ５．モデル・オリゴヌクレオチド（非修飾）  ６．切断反応  ７．切断反応  ８．モデル・オリゴヌクレオチド（非修飾）  ９．切断反応  １０．切断反応  １１．モデル・オリゴヌクレオチド（修飾Ｐ−Ｓ結合）  １２．切断反応  １３．切断反応  １４．モデル・オリゴヌクレオチド（修飾Ｐ−Ｓ結合）  １５．切断反応  １６．切断反応
【図３】ａ）実施例５で述べた実験におけるプローブの配置を示す図。  ｂ）実施例５において、両方のプローブ分子について同じ強度のハイブリダイゼーション・シグナルを検出したことを示す図。
【図４】実施例６の実験の原理を示す図。
【図５】様々な濃度の硝酸銀でホスホチオエートを切断した後のハイブリダイゼーション・シグナルを示す図。
【図６】種々の実験工程の後のアレイを示す写真。左から右に、標的のハイブリダイゼーション後、結合の切断後、ならびに融解によってハイブリッドを除去し、ストリンジェントな条件下で再びハイブリダイゼーションを行った後を示す。
【図７】本発明による方法を示す概略図。
【図８】ハイブリダイゼーション後のアレイを示す写真（実施例９参照）。Ｐは、非修飾オリゴヌクレオチド（整合プローブ）を含むトラックである。ＰＴで表されるトラックは、ホスホチオエート修飾を有する同一配列のオリゴヌクレオチド（整合プローブ）を含む。間にあるトラックは、オリゴヌクレオチド分子のほぼ中央にＴ欠失があるという点で他の２つとは異なるオリゴヌクレオチド（不整合プローブ）を含む。
【図９】ホスホチオエート結合の切断後ハイブリダイゼーションを行った後のアレイを示す写真（実施例１０参照）。Ｐは、非修飾オリゴヌクレオチド（整合プローブ）を含むトラックである。ＰＴで表されるトラックは、ホスホチオエート修飾を有する同一配列のオリゴヌクレオチド（整合プローブ）を含む。間にあるトラックは、オリゴヌクレオチド分子のほぼ中央にＴ欠失があるという点で他の２つとは異なるオリゴヌクレオチド（不整合プローブ）を含む。
【図１０】５’−Ｏ−（４，４’−ジメトキシトリチル）−チミジリル−（３’→５’）−３’−Ｏ−［（２−シアノエチル）−Ｎ，Ｎ−ジイソプロピルアミドホスホロアミダイト］−２’−デオキシチミジンを合成するためのスキームを示す図。
【図１１】５’−Ｓ−９−［（４−メトキシフェニル）キサンテン−９−イル］−メルカプト−２’−デオキシチミジン−３’−Ｏ−（２−シアノエチル，Ｎ，Ｎ’−ジイソプロピルホスファイト）を合成するためのスキームを示す図。
【図１２】５’−Ｓ−ジメトキシトリチルによって保護されたアミダイトを合成するためのスキームを示す図。
【図１３】１−｛５’−Ｏ−（４，４’−ジメトキシトリチル）−２’−Ｏ−｛［（２−ニトロベンジル）−オキシ］メチル｝−β−Ｌ−リボフラノシル｝ウラシル３’−［（２−シアノエチル）−ジイソプロピルホスホロアミダイト］（１−５）を合成するためのスキーム１を示す図。
【図１４】１−｛５’−Ｏ−（４，４’−ジメトキシトリチル）−２’−Ｏ−｛［（２−（ｏ−ニトロベンジル）オキシ］−メチル｝−β−Ｌ−リボフラノシル｝ウラシル３’−［（２−シアノエチル）−ジイソプロピルホスホロアミダイト］（２−６）を合成するためのスキームを示す図。
【図１】
2005500855.tif 000029
【図３】
2005500855.tif 000030
【図４】
2005500855.tif 000031
【図６】
2005500855.tif 000032
【図７】
2005500855.tif 000033
【図１０】
2005500855.tif 000034
【図１１】
2005500855.tif 000035
【図１２】
2005500855.tif 000036
【図１３】
2005500855.tif 000037
【図１４】
2005500855.tif 000038
【国際公開パンフレット】
2005500855.tif 000039
2005500855.tif 000040
2005500855.tif 000041
2005500855.tif 000042
2005500855.tif 000043
2005500855.tif 000044
2005500855.tif 000045
2005500855.tif 000046
2005500855.tif 000047
2005500855.tif 000048
2005500855.tif 000049
2005500855.tif 000050
2005500855.tif 000051
2005500855.tif 000052
2005500855.tif 000053
2005500855.tif 000054
2005500855.tif 000055
2005500855.tif 000056
2005500855.tif 000057
2005500855.tif 000058
2005500855.tif 000059
2005500855.tif 000060
2005500855.tif 000061
2005500855.tif 000062
2005500855.tif 000063
2005500855.tif 000064
2005500855.tif 000065
2005500855.tif 000066
2005500855.tif 000067
2005500855.tif 000068
2005500855.tif 000069
2005500855.tif 000070
2005500855.tif 000071
2005500855.tif 000072
2005500855.tif 000073
2005500855.tif 000074
2005500855.tif 000075
2005500855.tif 000076
2005500855.tif 000077
2005500855.tif 000078
2005500855.tif 000079
2005500855.tif 000080
2005500855.tif 000081
2005500855.tif 000082
2005500855.tif 000083
2005500855.tif 000084
2005500855.tif 000085
2005500855.tif 000086
2005500855.tif 000087
2005500855.tif 000088
2005500855.tif 000089
2005500855.tif 000090
2005500855.tif 000091
2005500855.tif 000092
2005500855.tif 000093
2005500855.tif 000094
2005500855.tif 000095
2005500855.tif 000096
2005500855.tif 000097
2005500855.tif 000098
2005500855.tif 000099
2005500855.tif 000100
2005500855.tif 000101
2005500855.tif 000102
2005500855.tif 000103
2005500855.tif 000104
2005500855.tif 000105
2005500855.tif 000106
2005500855.tif 000107
2005500855.tif 000108
2005500855.tif 000109
2005500855.tif 000110
2005500855.tif 000111
2005500855.tif 000112
2005500855.tif 000113
2005500855.tif 000114
2005500855.tif 000115
2005500855.tif 000116
2005500855.tif 000117
2005500855.tif 000118
2005500855.tif 000119
2005500855.tif 000120
2005500855.tif 000121
2005500855.tif 000122
2005500855.tif 000123
2005500855.tif 000124
2005500855.tif 000125
2005500855.tif 000126
2005500855.tif 000127
2005500855.tif 000128
2005500855.tif 000129
2005500855.tif 000130
2005500855.tif 000131
2005500855.tif 000132
2005500855.tif 000133
2005500855.tif 000134
2005500855.tif 000135
2005500855.tif 000136
2005500855.tif 000137
2005500855.tif 000138
2005500855.tif 000139
2005500855.tif 000140
2005500855.tif 000141
2005500855.tif 000142
2005500855.tif 000143
2005500855.tif 000144
2005500855.tif 000145
2005500855.tif 000146
2005500855.tif 000147
2005500855.tif 000148
2005500855.tif 000149
2005500855.tif 000150
2005500855.tif 000151
2005500855.tif 000152
2005500855.tif 000153
2005500855.tif 000154
2005500855.tif 000155
2005500855.tif 000156
2005500855.tif 000157
2005500855.tif 000158
2005500855.tif 000159
2005500855.tif 000160
2005500855.tif 000161
2005500855.tif 000162
2005500855.tif 000163
2005500855.tif 000164
2005500855.tif 000165
2005500855.tif 000166
2005500855.tif 000167
2005500855.tif 000168
2005500855.tif 000169
2005500855.tif 000170
2005500855.tif 000171
2005500855.tif 000172
2005500855.tif 000173
2005500855.tif 000174
2005500855.tif 000175
2005500855.tif 000176
2005500855.tif 000177
2005500855.tif 000178
2005500855.tif 000179
2005500855.tif 000180
2005500855.tif 000181
2005500855.tif 000182
2005500855.tif 000183
2005500855.tif 000184
2005500855.tif 000185
2005500855.tif 000186
2005500855.tif 000187
2005500855.tif 000188
2005500855.tif 000189
2005500855.tif 000190
2005500855.tif 000191
2005500855.tif 000192
2005500855.tif 000193
2005500855.tif 000194
2005500855.tif 000195
2005500855.tif 000196
2005500855.tif 000197
2005500855.tif 000198
2005500855.tif 000199
2005500855.tif 000200
2005500855.tif 000201
2005500855.tif 000202
2005500855.tif 000203
【国際公開パンフレット（コレクトバージョン）】
2005500855.tif 000204
2005500855.tif 000205
【国際調査報告】
2005500855.tif 000206
2005500855.tif 000207
2005500855.tif 000208
2005500855.tif 000209
2005500855.tif 000210
2005500855.tif 000211
2005500855.tif 000212
2005500855.tif 000213
2005500855.tif 000214
2005500855.tif 000215
2005500855.tif 000216
2005500855.tif 000217
2005500855.tif 000218
2005500855.tif 000219
2005500855.tif 000220
2005500855.tif 000221
2005500855.tif 000222
2005500855.tif 000223